(57)【特許請求の範囲】
【請求項１】
スクランブリング・シーケンス生成方法であって：
通信装置によって、サブキャリア間隔設定パラメータに対応する無線フレームにおけるスロット番号と端末識別子を含むスクランブリング識別子とに基づいて初期値を決定するステップ；及び
前記通信装置によって、前記初期値に基づいてスクランブリング・シーケンスを生成するステップ；
を含み、前記通信装置が端末に適用される場合に、前記方法は、更に：
ネットワーク・デバイスにより設定された少なくとも２つの端末識別子を受信するステップ；及び
前記スクランブリング識別子として使用される前記端末識別子を決定するために、前記ネットワーク・デバイスから通知を受信するステップであって、前記通知は、前記少なくとも２つの端末識別子において前記スクランブリング識別子として使用される前記端末識別子を通知するために使用される、ステップ；
を含む、方法。
【請求項２】
前記初期値は更にスロットにおける直交周波数分割多重（ＯＦＤＭ）シンボル番号に基づいて決定される、請求項１に記載の方法。
【請求項３】
前記スクランブリング識別子はセル識別子を含む、請求項１に記載の方法。
【請求項４】
前記通信装置が前記ネットワーク・デバイスに適用される場合に、前記方法は、更に：
前記端末のために前記少なくとも２つの端末識別子を設定するステップ；及び
前記少なくとも２つの端末識別子において前記スクランブリング識別子として使用される前記端末識別子を、前記端末に通知するステップ；
を含む請求項１に記載の方法。
【請求項５】
前記少なくとも２つの端末識別子は上位レイヤ・シグナリングを使用することにより設定され、前記スクランブリング識別子として使用される前記端末識別子は物理レイヤ・シグナリングを使用することにより通知される、請求項１又は４に記載の方法。
【請求項６】
前記通信装置によって、前記スクランブリング・シーケンスによりスクランブルされた信号を送信するステップであって、前記サブキャリア間隔設定パラメータは前記信号を送信するために使用される、ステップ；
を更に含む請求項１−５のうち何れか１項に記載の方法。
【請求項７】
前記通信装置によって、前記スクランブリング・シーケンスに従って信号を受信するステップであって、前記サブキャリア間隔設定パラメータは前記信号を受信するために使用される、ステップ；
を更に含む請求項１−６のうち何れか１項に記載の方法。
【請求項８】
メモリに格納されたプログラムを実行するように構成されたプロセッサを含むスクランブリング・シーケンス生成装置であって、前記プログラムは、前記プロセッサにより実行される場合に、前記装置に：
サブキャリア間隔設定パラメータに対応する無線フレームにおけるスロット番号と端末識別子を含むスクランブリング識別子とに基づいて初期値を決定させ；及び
前記初期値に基づいてスクランブリング・シーケンスを生成させ、
前記装置が端末に適用される場合に、前記プログラムは、前記プロセッサにより実行される場合に、前記装置に：
ネットワーク・デバイスにより設定された少なくとも２つの端末識別子を受信させ；及び
前記スクランブリング識別子として使用される前記端末識別子を決定するために、前記ネットワーク・デバイスから通知を受信させ、
前記通知は、前記少なくとも２つの端末識別子において前記スクランブリング識別子として使用される前記端末識別子を通知するために使用される、装置。
【請求項９】
前記初期値は更にスロットにおける直交周波数分割多重（ＯＦＤＭ）シンボル番号に基づいて決定される、請求項８に記載の装置。
【請求項１０】
前記スクランブリング識別子はセル識別子を含む、請求項８に記載の装置。
【請求項１１】
前記装置が前記ネットワーク・デバイスに適用される場合に、前記プログラムは、前記プロセッサにより実行される場合に、前記装置に：
前記端末のために前記少なくとも２つの端末識別子を設定させ；及び
前記少なくとも２つの端末識別子において前記スクランブリング識別子として使用される前記端末識別子を、前記端末に通知させる、請求項８に記載の装置。
【請求項１２】
前記少なくとも２つの端末識別子は上位レイヤ・シグナリングを使用することにより設定され、前記スクランブリング識別子として使用される前記端末識別子は物理レイヤ・シグナリングを使用することにより通知される、請求項８又は１１に記載の装置。
【請求項１３】
前記プログラムは、前記プロセッサにより実行される場合に、前記装置に：
前記スクランブリング・シーケンスによりスクランブルされた信号を送信させ、前記サブキャリア間隔設定パラメータは前記信号を送信するために使用される、請求項８−１２のうち何れか１項に記載の装置。
【請求項１４】
前記プログラムは、前記プロセッサにより実行される場合に、前記装置に：
前記スクランブリング・シーケンスに従って信号を受信させ、前記サブキャリア間隔設定パラメータは前記信号を受信するために使用される、請求項８−１３のうち何れか１項に記載の装置。
【請求項１５】
サブキャリア間隔設定パラメータに対応する無線フレームにおけるスロット番号と端末識別子を含むスクランブリング識別子とに基づいて初期値を決定し；及び
前記初期値に基づいてスクランブリング・シーケンスを生成する；
ように構成される処理ユニットを有する装置であって、
前記装置がネットワーク・デバイスに適用される場合に、前記装置は送信ユニットを更に含み：
端末のために少なくとも２つの端末識別子を設定し；及び
前記少なくとも２つの端末識別子において前記スクランブリング識別子として使用される前記端末識別子を、前記端末に通知する；
ように構成されているスクランブリング・シーケンス生成装置。
【請求項１６】
前記処理ユニットは：
更にスロットにおける直交周波数分割多重（ＯＦＤＭ）シンボル番号に基づいて前記初期値を決定するように構成されている、請求項１５に記載の装置。
【請求項１７】
前記スクランブリング識別子はセル識別子を含む、請求項１５に記載の装置。
【請求項１８】
前記装置が前記端末に適用される場合に、前記装置は受信ユニットを更に含み：
前記ネットワーク・デバイスにより設定された前記少なくとも２つの端末識別子を受信し；及び
前記スクランブリング識別子として使用される前記端末識別子を決定するために、前記ネットワーク・デバイスから通知を受信する；
ように構成され、前記通知は、前記少なくとも２つの端末識別子において前記スクランブリング識別子として使用される前記端末識別子を通知するために使用される、請求項１５に記載の装置。
【請求項１９】
前記少なくとも２つの端末識別子は上位レイヤ・シグナリングを使用することにより設定され、前記スクランブリング識別子として使用される前記端末識別子は物理レイヤ・シグナリングを使用することにより通知される、請求項１５又は１８に記載の装置。
【請求項２０】
コンピュータ記憶媒体であって、前記コンピュータ記憶媒体はプログラムを格納し、プロセッサにより実行される場合に、前記プログラムは、請求項１−７のうち何れか１項に記載の前記方法を実行するように構成されている、コンピュータ記憶媒体。
【請求項２１】
チップであって、前記チップはメモリに接続され、請求項１−７のうち何れか１項に記載の方法を実行するために前記メモリに格納されたプログラムを実行するように構成されているチップ。
【発明の詳細な説明】
【背景技術】
【０００１】
本願は２０１７年８月１１日に中国特許庁に出願された「信号スクランブリング方法及び装置、並びに信号デスクランブリング方法及び装置」と題する中国特許出願番号第２０１７１０６８７３９３．１号による優先権を主張しており、これは全体的にリファレンスにより本願に組み込まれる。
技術分野
【０００２】
本願は通信の技術分野に関連し、特に信号スクランブリング方法及び装置、並びに信号デスクランブリング方法及び装置に関連する。
【０００３】
通信の信頼性を保証するために、通信プロセスで送信される信号をスクランブルすることは重要なステップである。
【０００４】
ロング・ターム・エボリューション（Ｌｏｎｇ  Ｔｅｒｍ  Ｅｖｏｌｕｔｉｏｎ，ＬＴＥ）通信システムでは、信号スクランブリングは、通常、信号タイプ、セル識別子（ｉｄｅｎｔｉｔｙ，ＩＤ）、端末識別子、及びスロット（ｓｌｏｔ）番号等のパラメータに従って実行される。ＬＴＥ通信システムは固定フレーム構造パラメータを有する。フレーム構造パラメータに対応するサブキャリア間隔、サイクリック・プレフィックス（ｃｙｃｌｉｃ  ｐｒｅｆｉｘ，ＣＰ）、シンボル数、及びスロット数は全て固定されている。しかしながら、第５世代（５Ｇ）ニュー・ラジオ（ｎｅｗ  ｒａｄｉｏ，ＮＲ）通信システムでは、様々なサブキャリア間隔の下で、システム帯域幅は１つ以上の帯域幅パート（ｂａｎｄｗｉｄｔｈ  ｐａｒｔ，ＢＷＰ）に分割されることが可能である。更に、様々なサービスをサポートするために、異なるＢＷＰは異なるフレーム構造パラメータを使用することが可能である。従って、ＬＴＥ通信システムにおける上記の信号スクランブリング・モードはもはや５Ｇ  ＮＲに適用できない。
【発明の概要】
【０００５】
本願の実施形態は、信号スクランブリング方法及び装置、並びに信号デスクランブリング方法及び装置を提供し、信号スクランブリングの干渉ランダム化を実現し、５Ｇ  ＮＲの様々なサービス・シナリオに関するパフォーマンスを改善する。
【０００６】
第１態様によれば、本願は信号スクランブリング方法を提供し、スクランブリング方法は通信装置に適用されてもよい。本方法において、通信装置はスクランブリング・シーケンスを使用することにより信号をスクランブルし、スクランブルされた信号を送信し、この場合において、
通信装置は、以下の方法でスクランブリング・シーケンスを生成する：信号を送信するために使用されるフレーム構造パラメータに対応する時間単位番号に基づいて、スクランブリング・シーケンスの初期値を生成し、スクランブリング・シーケンスの初期値に基づいてスクランブリング・シーケンスを生成する。
【０００７】
第２態様によれば、本願は通信装置に適用される信号スクランブリング装置を提供し、装置は第１態様におけるステップを実行するユニット又は手段（ｍｅａｎｓ）を含む。
【０００８】
第３態様によれば、本願は通信装置に適用される信号スクランブリング装置を提供し、装置は少なくとも１つの処理要素と少なくとも１つの記憶要素とを含み、少なくとも１つの記憶要素はプログラム及びデータを格納するように構成され、少なくとも１つの処理要素は本願の第１態様で提供される方法を実行するように構成される。
【０００９】
第４態様によれば、本願は通信装置に適用される信号スクランブリング装置を提供し、装置は第１態様の方法を実行するように構成される少なくとも１つの処理要素（又はチップ）を含む。
【００１０】
第５態様によれば、本願は信号スクランブリング・プログラムを提供し、プログラムは、プロセッサにより実行されると、第１態様の方法を実行するように構成されている。
【００１１】
第６態様によれば、例えば、第５態様のプログラムを含むコンピュータ読み取り可能な記憶媒体のようなプログラム・プロダクトが提供される。
【００１２】
第７態様によれば、信号デスクランブリング方法が提供され、デスクランブリング方法は通信装置に適用されてもよく、通信装置は、信号を受信し、受信した信号を、スクランブリング・シーケンスを使用することによりデスクランブルし、この場合において、
通信装置は、以下の方法でスクランブリング・シーケンスを生成する：信号を送信するために使用されるフレーム構造パラメータに対応する時間単位番号に基づいて、スクランブリング・シーケンスの初期値を生成し、スクランブリング・シーケンスの初期値に基づいてスクランブリング・シーケンスを生成する。
【００１３】
第８態様によれば、本願は通信装置に適用される信号デスクランブリング装置を提供し、装置は第７態様におけるステップを実行するユニット又は手段（ｍｅａｎｓ）を含む。
【００１４】
第９態様によれば、本願は通信装置に適用される信号デスクランブリング装置を提供し、装置は少なくとも１つの処理要素と少なくとも１つの記憶要素とを含み、少なくとも１つの記憶要素はプログラム及びデータを格納するように構成され、少なくとも１つの処理要素は本願の第７態様で提供される方法を実行するように構成される。
【００１５】
第１０態様によれば、本願は通信装置に適用される信号デスクランブリング装置を提供し、装置は第７態様の方法を実行するように構成される少なくとも１つの処理要素（又はチップ）を含む。
【００１６】
第１１態様によれば、本願は信号デスクランブリング・プログラムを提供し、プログラムは、プロセッサにより実行されると、第７態様の方法を実行するように構成されている。
【００１７】
第１２態様によれば、例えば、第１１態様のプログラムを含むコンピュータ読み取り可能な記憶媒体のようなプログラム・プロダクトが提供される。
【００１８】
上記の態様において、通信装置は、信号を送信するために使用されるフレーム構造パラメータに対応する時間単位番号に基づいて、スクランブリング・シーケンスの初期値を決定し、スクランブリング・シーケンスの初期値に基づいてスクランブリング・シーケンスを生成する。５Ｇ  ＮＲにおいて異なるフレーム構造パラメータに対応する時間単位番号は異なる可能性があるので、異なるフレーム構造パラメータを使用することで送信される信号をスクランブルするために、異なるスクランブリング・シーケンスが使用されることが可能である。従って、信号スクランブリングに関し、干渉ランダム化が実現されることが可能であり、これはパフォーマンスを改善するために５Ｇ  ＮＲの様々なアプリケーション・シナリオに適用されることが可能である。
【００１９】
上記の態様において、通信装置はネットワーク・デバイス又は端末であってもよく、スクランブリング方法が適用される通信装置がネットワーク・デバイスである場合、デスクランブリング方法が適用される通信装置は端末であってもよく；あるいはスクランブリング方法が適用される通信装置が端末である場合、デスクランブリング方法が適用される通信装置はネットワーク・デバイスであってもよい。
【００２０】
上記の態様において、フレーム構造パラメータは、サブキャリア間隔設定パラメータ、スロット設定パラメータ、及びＣＰ構造パラメータのうちの少なくとも１つを含む。時間単位番号は、無線フレームにおけるスロット番号、無線フレームにおけるサブフレーム番号、サブフレームにおけるスロット番号、及びスロットにおけるＯＦＤＭシンボル番号のうちの少なくとも１つを含む。
【００２１】
可能な具体例において、通信装置は、無線フレームにおけるスロット番号に基づいて、スクランブリング・シーケンスの初期値を決定することができる。無線フレームにおけるスロット番号は互いにオーバーラップしないので、同じスクランブリング・シーケンスの発生は、無線フレームにおけるスロット番号に基づいてスクランブリング・シーケンスの初期値を決定することにより、ある程度回避され、オーバーラップ干渉問題の更なる発生は、ある程度回避されることが可能である。異なる送信フレーム構造パラメータ間の干渉はランダム化されることが可能であり、サブフレームにおける異なるスロット間の干渉もまたランダム化されることが可能であり、従って干渉ランダム化が実現される。
【００２２】
別の可能な具体例において、通信装置は、サブフレームにおけるスロット番号、又は無線フレームにおけるサブフレーム番号に基づいてスクランブリング・シーケンスの初期値を決定し、サブフレームにおける異なるスロット及び異なるサブフレームのスクランブリング・ランダム化を反映し、干渉ランダム化のパフォーマンスを改善することができる。
【００２３】
更に別の可能な具体例において、通信装置は更に無線フレームにおけるサブフレーム番号に基づいてスクランブリング・シーケンスの初期値を決定することが可能である。
【００２４】
可能な設計において、通信装置は、スクランブリング識別子に基づいて、スクランブリング・シーケンスの初期値を決定することができる。
【００２５】
スクランブリング識別子は、端末識別子、セル識別子、コード・ブロック・グループ設定パラメータ、フレーム構造パラメータ、帯域幅パート設定パラメータ、ＱＣＬ設定パラメータ、制御チャネル・リソース設定パラメータ、及びコードワード設定パラメータのうちの少なくとも１つを含むことができる。
【００２６】
通信装置は、信号を送信するために使用されるフレーム構造パラメータに対応するスクランブリング識別子及び時間単位番号に基づいて、スクランブリング・シーケンスの初期値を決定することができる。
【００２７】
具体的には、通信装置は、信号が送信されるチャネルのタイプ、又は信号のタイプに従って、スクランブリング・シーケンスの初期値を生成するために使用されるスクランブリング識別子を決定することができる。
【００２８】
可能な具体例において、通信装置は、信号を送信するために使用されるフレーム構造パラメータに対応する端末識別子及び時間単位番号に基づいて、スクランブリング・シーケンスの初期値を決定することができる。上位レイヤ・シグナリングを使用することにより、少なくとも２つの端末識別子が通信装置に対して設定されてもよく、スクランブリングに使用される端末識別子は、物理レイヤ・シグナリングを使用することにより設定される。
【００２９】
可能な具体例において、通信装置は、信号を送信するために使用されるフレーム構造パラメータに対応するコード・ブロック・グループ設定パラメータ及び時間単位番号に基づいて、スクランブリング・シーケンスの初期値を決定することができる。
【００３０】
更に別の可能な具体例において、通信装置は、信号を送信するために使用されるフレーム構造パラメータに対応するＱＣＬ設定パラメータ及び時間単位番号に基づいて、スクランブリング・シーケンスの初期値を決定することができる。
【００３１】
更に別の可能な具体例において、通信装置は、信号を送信するために使用されるフレーム構造パラメータに対応する帯域幅パート設定パラメータ及び時間単位番号に基づいて、スクランブリング・シーケンスの初期値を決定することができる。
【００３２】
更に別の可能な具体例において、通信装置は、信号を送信するために使用されるフレーム構造パラメータに対応する制御チャネル・リソース設定パラメータ及び時間単位番号に基づいて、スクランブリング・シーケンスの初期値を決定することができる。
【００３３】
更に別の可能な具体例において、通信装置は、信号を送信するために使用されるフレーム構造パラメータに対応するコードワード設定パラメータ及び時間単位番号に基づいて、スクランブリング・シーケンスの初期値を決定することができる。
【００３４】
更に別の可能な具体例において、通信装置は、フレーム構造パラメータ又はサブキャリア間隔に基づいて、スクランブリング・シーケンスの初期値を決定し、異なるフレーム構造パラメータ設定又はサブキャリア間隔設定における干渉ランダム化を改善することができる。
【００３５】
更に別の可能な具体例において、スクランブリング・シーケンスの初期値を決定するために通信装置により使用される初期化数式における前の項の係数パラメータは、変数の値の範囲、及び幾つかの後の項の係数パラメータの値に応じて決定されてもよい。
【００３６】
通信装置は、以下の方式のうちの１つ又はそれらの組み合わせにおいて、スクランブリング・シーケンスの初期値を決定するために使用される初期化数式における係数パラメータの値を決定してもよい：サブキャリア間隔パラメータμ及びスロット・フォーマットに応じて決定する；サブキャリア間隔パラメータμに応じて決定する；及びスロットの最大数に応じて決定する。
【００３７】
各々のサブキャリア間隔パラメータμの異なるスロット・フォーマットは、異なる係数パラメータに対応し、係数パラメータは、サブキャリア間隔パラメータμ及びスロット・フォーマットに応じて決定される。従って、異なるスクランブリング・シーケンスは異なるスロット・フォーマットに従って生成されることが可能であり、スクランブリングのランダム化が最大限に実現される。
【００３８】
係数パラメータはサブキャリア間隔パラメータμに従って決定され、そのため、各々のサブキャリア間隔パラメータμは異なる係数パラメータに対応する。
【００３９】
係数パラメータはスロットの最大数に従って決定され、そのため、全てのフレーム構造に対応する係数パラメータは同じである。
【００４０】
更に別の可能な設計では、無線フレームにおけるスロット番号に基づいてスクランブリング・シーケンスの初期値を決定する実行プロセスにおいて、スクランブリング・シーケンスの初期値は、スロット設定パラメータにより指定されるスロット・フォーマットに従って決定されてもよい。例えば、スクランブリング・シーケンスの初期値は、無線フレームにおけるスロット番号に対応する数値に従って決定されてもよいし、あるいはスクランブリング・シーケンスの初期値は、無線フレームにおけるスロット番号に対応する数値の半分を丸めることによって得られる数値に応じて決定され、そのため、異なるフレーム構造パラメータに対応するスクランブリング・シーケンスの初期値は同一であり、計算の複雑さがある程度軽減される。
【００４１】
例えば、スロット設定パラメータにより指示されるスロット・フォーマットが、スロットは７又は６個のＯＦＤＭシンボルを含むものである場合、スクランブリング・シーケンスの初期値は、無線フレームにおけるスロット番号に対応する数値の半分を丸めることによって得られる数値に従って決定されてもよいし；あるいはスロット設定パラメータにより指示されるスロット・フォーマットが、スロットは１４又は１２個のＯＦＤＭシンボルを含むものである場合、スクランブリング・シーケンスの初期値は、無線フレームにおけるスロット番号に対応する数値に従って決定されてもよい。
【図面の簡単な説明】
【００４２】
【図１】システム帯域幅を分割することにより得られるＢＷＰの概略図である。
【００４３】
【図２】マルチ・アンテナ・サイト協調送信又はシングル・セル送信の概略図である。
【００４４】
【図３Ａ】本願の実施形態による信号スクランブリング及びデスクランブリング方法の実行フローチャートである。
【図３Ｂ】本願の実施形態による信号スクランブリング及びデスクランブリング方法の実行フローチャートである。
【００４５】
【図４】本願の実施形態による時間単位番号の概略図である。
【００４６】
【図５】本願の実施形態による時間単位番号の別の概略図である。
【００４７】
【図６】本願の実施形態による信号スクランブリング装置の概略的な構造図である。
【００４８】
【図７】本願の実施形態による信号デスクランブリング装置の概略的な構造図である。
【００４９】
【図８】本願の実施形態による別の信号スクランブリング装置の概略的な構造図である。
【００５０】
【図９】本願の実施形態による別の信号デスクランブリング装置の概略的な構造図である。
【発明を実施するための形態】
【００５１】
以下、添付図面を参照して本願の実施形態における技術的ソリューションを説明する。
【００５２】
先ず、当業者による理解を容易にするために本願における幾つかの用語が説明及び記載されている。
【００５３】
（１）通信装置は端末又はネットワーク・デバイスであってもよい。端末はまた、ユーザー装置（ｕｓｅｒ  ｅｑｕｉｐｍｅｎｔ，ＵＥ）、移動局（ｍｏｂｉｌｅ  ｓｔａｔｉｏｎ，ＭＳ）、移動端末（ｍｏｂｉｌｅ  ｔｅｒｍｉｎａｌ，ＭＴ）、等々として言及され、例えば無線接続機能を有する携帯デバイス、無線接続機能を有する車載装置、等々のような、ユーザーに音声及び／又はデータ接続を提供するデバイスである。今のところ、端末の幾つかの具体例は、携帯電話（ｍｏｂｉｌｅ  ｐｈｏｎｅ）、タブレット・コンピュータ、ノートブック・コンピュータ、パームトップ・コンピュータ、モバイル・インターネット・デバイス（ｍｏｂｉｌｅ  Ｉｎｔｅｒｎｅｔ  ｄｅｖｉｃｅ，ＭＩＤ）、ウェアラブル・デバイス、バーチャルリアリティ（ｖｉｒｔｕａｌ  ｒｅａｌｉｔｙ，ＶＲ）デバイス、拡張現実（ａｕｇｍｅｎｔｅｄ  ｒｅａｌｉｔｙ，ＡＲ）デバイス、産業用制御（ｉｎｄｕｓｔｒｉａｌ  ｃｏｎｔｒｏｌ）での無線端末、自動運転（ｓｅｌｆ  ｄｒｉｖｉｎｇ）での無線端末、遠隔医療処置（ｒｅｍｏｔｅ  ｍｅｄｉｃａｌ  ｓｕｒｇｅｒｙ）での無線端末、スマートグリッド（ｓｍａｒｔ  ｇｒｉｄ）での無線端末、輸送安全（ｔｒａｎｓｐｏｒｔａｔｉｏｎ  ｓａｆｅｔｙ）における無線端末、スマートシティ（ｓｍａｒｔ  ｃｉｔｙ）における無線端末、スマートホーム（ｓｍａｒｔ  ｈｏｍｅ）における無線端末、等々である。ネットワーク・デバイスは、例えば、端末が無線ネットワークにアクセスできるようにする無線アクセス・ネットワーク（ｒａｄｉｏ  ａｃｃｅｓｓ  ｎｅｔｗｏｒｋ，ＲＡＮ）ノード（又はデバイス）あるいは基地局とも言及され得る、無線ネットワークにおけるデバイスである。今のところ、ＲＡＮノードの幾つかの具体例は：更なるエボルブドＮｏｄｅＢ（ｇＮＢ）、送受信ポイント（ｔｒａｎｓｍｉｓｓｉｏｎ  ｒｅｃｅｐｔｉｏｎ  ｐｏｉｎｔ，ＴＲＰ）、エボルブドＮｏｄｅＢ（ｅｖｏｌｖｅｄ  ＮｏｄｅＢ，ｅＮＢ）、無線ネットワーク・コントローラ（ｒａｄｉｏ  ｎｅｔｗｏｒｋ  ｃｏｎｔｒｏｌｌｅｒ，ＲＮＣ）、ノードＢ（ＮｏｄｅＢ，ＮＢ）、基地局コントローラ（ｂａｓｅ  ｓｔａｔｉｏｎ  ｃｏｎｔｒｏｌｌｅｒ，ＢＳＣ）、ベース・トランシーバ・ステーション（ｂａｓｅ  ｔｒａｎｓｃｅｉｖｅｒ  ｓｔａｔｉｏｎ，ＢＴＳ）、ホーム・ベース・ステーション（例えば、ホーム・エボルブドＮｏｄｅＢ、又はホームＮｏｄｅＢ，ＨＮＢ）、ベース・バンド・ユニット（ｂａｓｅ  ｂａｎｄ  ｕｎｉｔ，ＢＢＵ）、ワイヤレス・フィデリティ（Ｗｉｒｅｌｅｓｓ  Ｆｉｄｅｌｉｔｙ，Ｗｉ−Ｆｉ）アクセス・ポイント（ａｃｃｅｓｓ  ｐｏｉｎｔ，ＡＰ）等である。更に、ネットワーク構造において、ＲＡＮはセントラル化ユニット（ｃｅｎｔｒａｌｉｚｅｄ  ｕｎｉｔ，ＣＵ）ノード、分散ユニット（ｄｉｓｔｒｉｂｕｔｅｄ  ｕｎｉｔ，ＤＵ）ノードを含んでもよい。この構造において、ロング・ターム・エボリューション（Ｌｏｎｇ  Ｔｅｒｍ  Ｅｖｏｌｕｔｉｏｎ，ＬＴＥ）のｅＮＢのプロトコル・レイヤは分割され、幾つかのプロトコル・レイヤの機能はセントラル化された方式でＣＵにより制御され、残りのプロトコル・レイヤの一部分又は全ての��能はＤＵで分散され、ＣＵはセントラルか方式でＵＤを制御する。
【００５４】
「複数の」は２つ以上を示し、他の計量用語はこれと同様である。「及び／又は」という用語は、関連するオブジェクトを記述するための関連性の関係を述べており、３者の関係が存在し得ることを表す。例えば、Ａ及び／又はＢは、Ａのみが存在すること、Ａ及びＢ双方が存在すること、そしてＢのみが存在することという３つのケースを表すことができる。「／」という記号は、一般に、関連するオブジェクト間の「又は」の関係を示す。
【００５５】
（３）インタラクションは、２者の相互作用当事者により相互に情報を転送するプロセスであり、転送される情報は同一でも相違していてもよい。例えば、２者の相互作用当事者が基地局１及び基地局２である場合に、基地局１は基地局２からの情報を要求することができ、基地局２は基地局１により要求された情報を基地局１へ提供する。確かに、基地局１及び基地局２は互いからの情報を要求することができ、要求された情報は同一でも相違していてもよい。
【００５６】
（４）「ネットワーク」及び「システム」という用語は常に代替的に使用されるが、当業者はそれらの意味を理解することができる。情報（ｉｎｆｏｒｍａｔｉｏｎ）、信号（ｓｉｇｎａｌ）、メッセージ（ｍｅｓｓａｇｅ）、及びチャネル（ｃｈａｎｎｅｌ）という用語はしばしば混在しているかもしれない。用語間の相違が強調されない場合に、用語の意味は矛盾していないことは指摘しておいた方がよいであろう。「〜の（ｏｆ）」、「対応する（ｃｏｒｒｅｓｐｏｎｄｉｎｇ  ｏｒ  ｒｅｌｅｖａｎｔ）」、及び対応する（ｃｏｒｒｅｓｐｏｎｄｉｎｇ）はしばしば混在するかもしれない。用語間の相違が強調されない場合に、用語の意味は矛盾していないことは指摘しておいた方がよいであろう。
【００５７】
（５）伝送フレーム構造パラメータとしても言及されるフレーム構造パラメータ（ｎｕｍｅｒｏｌｏｇｙ）は、サブキャリア間隔設定パラメータ、サイクリック・プレフィックス（ｃｙｃｌｉｃ  ｐｒｅｆｉｘ，ＣＰ）構造パラメータ、スロット設定パラメータ（Ｓｌｏｔ  ｃｏｎｆｉｇｕｒａｔｉｏｎ）のうちの少なくとも１つを含む。フレーム構造パラメータがサブキャリア間隔設定パラメータ、及びＣＰパラメータを含む場合、フレーム構造パラメータは表１に表現されることが可能である。
表１
【表１】
0006959434.tif 000002
【００５８】
表１において、サブキャリア間隔設定パラメータは一般にμにより指定される。５Ｇ  ＮＲでは、μの値は０，１，２，３，４，及び５であってよい。μの異なる値は異なるサブキャリア間隔に対応する。サブキャリア間隔はΔｆにより指定される。サブキャリア間隔Δｆとサブキャリア間隔設定パラメータμとの間の関係は、Δｆ＝２μ・１５［ｋＨｚ］という数式を充足することができる。ＣＰ構造は、拡張（Ｅｘｔｅｎｄｅｄ）ＣＰ及びノーマル（Ｎｏｒｍａｌ）ＣＰを含み、ＣＰ構造パラメータは、ＣＰ長が拡張されているか、又はノーマルであるかどうかを示す。代替的に、他のＣＰ長又はタイプが適用可能であってもよく、本願で具体的には限定されない。
【００５９】
フレーム構造パラメータがサブキャリア間隔設定パラメータとスロット設定パラメータとを含む場合、異なるＣＰ構造パラメータに関し、異なる対応関係が、サブキャリア間隔設定パラメータとスロット設定パラメータとの間に存在する。例えば、ノーマルＣＰの下で、サブキャリア間隔設定パラメータ及びスロット設定パラメータは表２で表現されることが可能であり；あるいは拡張ＣＰの下で、サブキャリア間隔設定パラメータ及びスロット設定パラメータは表３で表現されることが可能である。
表２
【表２】
0006959434.tif 000003
表３
【表３】
0006959434.tif 000004
【００６０】
表２及び表３において、スロット設定パラメータ（Ｓｌｏｔ  ｃｏｎｆｉｇｕｒａｔｉｏｎ）はスロット・フォーマットを指定するために使用される。スロット・フォーマットは異なるスロットを区別するために使用されることが可能である。例えば、異なるスロットは、スロットに含まれるシンボル数に応じて区別されてもよい。例えば、スロット・フォーマットは：スロットが７又は６個の直交周波数分割多重化（ｏｒｔｈｏｇｏｎａｌ  ｆｒｅｑｕｅｎｃｙ  ｄｉｖｉｓｉｏｎ  ｍｕｌｔｉｐｌｅｘｉｎｇ，  ＯＦＤＭ）シンボルを含むもの、又はスロットが１４又は１２個のＯＦＤＭシンボルを含むものであってもよい。ＯＦＤＭシンボルは、しばしば略してシンボル（ｓｙｍｂｏｌ）と言及されるかもしれない。Ｎμｓｙｍｂは値がμであるサブキャリア間隔設定パラメータに対応する各スロット（ｓｌｏｔ）内のＯＦＤＭシンボル数を示し、Ｎｓｌｏｔｓ，μｆｒａｍｅは値がμであるサブキャリア間隔設定パラメータに対応する各無線フレーム内のスロット数を示し、Ｎｓｌｏｔｓ，μｓｕｂｆｒａｍｅは値がμであるサブキャリア間隔設定パラメータに対応する各サブフレーム内のスロット数を示す。例えば、表２において、μ＝０である場合、即ちサブキャリア間隔が１５ｋＨｚである場合において、スロット・フォーマットはスロットが７個のＯＦＤＭシンボルを含むものである場合、Ｎμｓｙｍｂ＝７は、各スロットに含まれるＯＦＤＭシンボル数が７であることを示し、Ｎｓｌｏｔｓ，μｆｒａｍｅ＝２０は、各無線フレーム内のスロット数が２０であることを示し、Ｎｓｌｏｔｓ，μｓｕｂｆｒａｍｅ＝２は、各サブフレーム内のスロット数が２であることを示す。
【００６１】
（６）時間単位番号は、無線フレームで信号を送信するための時間単位の番号であり、時間単位インデックスと言及されてもよい。無線フレームで信号を送信するための時間単位は、スロットであってもよいし、サブフレームであってもよいし、ＯＦＤＭシンボルであってもよい。時間単位番号は、無線フレームにおけるスロット番号、無線フレームにおけるサブフレーム番号、サブフレームにおけるスロット番号、又はスロットにおけるＯＦＤＭシンボル番号であってもよく、あるいは無線フレームにおけるＯＦＤＭシンボル番号、又はサブフレームにおけるＯＦＤＭシンボル番号であってもよい。時間単位番号とフレーム構造パラメータとの間には対応関係が存在する。時間単位番号はフレーム構造パラメータに従って決定されてもよい。例えば、フレーム構造パラメータがサブキャリア間隔設定パラメータを含む場合、サブキャリア間隔パラメータに対応するＣＰ構造パラメータが拡張ＣＰ又はノーマルＣＰであるかどうかは、表１を参照して決定されてもよく、更に、時間単位番号が表２又は表３を参照して決定されるか否かが決定されてもよい。時間単位番号が表２に関連して決定されると仮定すると、サブキャリア間隔設定パラメータに対応する時間単位の量を決定することが可能であり、更に時間単位番号が決定される。例えば、サブキャリア間隔設定パラメータμ＝０である場合、即ちサブキャリア間隔が１５ｋＨｚである場合、時間単位は無線フレーム内のスロットである。この場合、サブキャリア間隔設定パラメータμ＝０に対応する無線フレーム内のスロットの量及び番号は次のようにして決定されてもよい：スロット・フォーマットは、スロットが７個のＯＦＤＭシンボルを含むものである場合、無線フレーム内のスロット番号は０ないし１９である。スロット・フォーマットは、スロットが１４個のＯＦＤＭシンボルを含むものである場合、無線フレーム内のスロットの量は１０であり、無線フレーム内のスロット番号は０ないし９である。従って、時間単位番号とフレーム構造パラメータとの間の対応関係は次の通りである：サブキャリア間隔設定パラメータμ＝０というフレーム構造パラメータの下で、サブキャリア間隔は１５ｋＨｚであり、ＣＰはノーマルＣＰであり、スロット・フォーマットは、スロットが７個のＯＦＤＭシンボルを含むものであり、対応する無線フレーム内のスロット番号は０ないし１９である。サブキャリア間隔設定パラメータμ＝０というフレーム構造パラメータの下で、サブキャリア間隔は１５ｋＨｚであり、ＣＰはノーマルＣＰであり、スロット・フォーマットは、スロットが１４個のＯＦＤＭシンボルを含むものであり、対応する無線フレーム内のスロット番号は０ないし９である。
【００６２】
異なるＣＰ構造パラメータに対応するスロット量は同じである。従って、時間単位番号が決定されるべき場合に、対応する時間単位番号は、サブキャリア間隔設定パラメータとスロット設定パラメータとを使用することにより決定されることが可能である。この場合に、フレーム構造パラメータは、対応する時間単位番号を決定するためにサブキャリア間隔設定パラメータ及びスロット設定パラメータを含むことができる。スロット・フォーマットが固定フォーマットである場合、フレーム構造パラメータは、対応する時間単位番号を決定するためにサブキャリア間隔設定パラメータを含むことができる。
【００６３】
無線フレームにおけるスロット番号はｎμｓ，ｆにより指定されることが可能であり、ここで、ｎμｓ，ｆ∈｛０，．．．，Ｎｓｌｏｔｓ，μｆｒａｍｅ−１｝である。例えば、表２において、μ＝０である場合に、スロット・フォーマットが、スロットは７個のＯＦＤＭシンボルを含むものである場合、Ｎｓｌｏｔｓ，μｆｒａｍｅ＝２０であり、ｎμｓ，ｆは全部で２０個の値を有し、その値は次のように指定されることが可能である：ｎμｓ，ｆ∈｛０，．．．，１９｝。値を設定する他の方法は限定されない。
【００６４】
無線フレームにおけるサブフレーム番号はｎｓｆにより指定されることが可能である：
【数１】
0006959434.tif 000005
例えば、表２において、μ＝０である場合に、スロット・フォーマットが、スロットは７個のＯＦＤＭシンボルを含むものである場合、ｎμｓ，ｆは全部で２０個の値を有し、その値は次のように指定されることが可能である：ｎμｓ，ｆ∈｛０，．．．，１９｝。値を設定する他の方法は限定されない。ｎμｓ，ｆの値が１９であり、Ｎｓｌｏｔｓ，μｓｕｂｆｒａｍｅ＝２である場合、１９／２＝９．５、切り捨て後の値は９であり、ｎｓｆは９である。
【００６５】
サブフレームにおけるスロット番号はｎμｓにより指定されることが可能であり、ここで、ｎμｓ∈｛０，．．．，Ｎｓｌｏｔｓ，μｓｕｂｆｒａｍｅ−１｝である。例えば、表２において、μ＝０である場合に、スロット・フォーマットが、スロットは７個のＯＦＤＭシンボルを含むものである場合、Ｎｓｌｏｔｓ，μｓｕｂｆｒａｍｅ＝２であり、ｎμｓは全部で２個の値を有し、その値は次のように指定されることが可能である：ｎμｓ∈｛０，１｝。値を設定する他の方法は限定されない。
【００６６】
スロットにおけるＯＦＤＭシンボル番号はｎｓｙｍｂｏｌにより指定されることが可能であり、ここで、ｎｓｙｍｂｏｌ∈｛０，．．．，Ｎμｓｙｍｂ−１｝である。例えば、表２において、μ＝０である場合に、Ｎμｓｙｍｂは全部で７個の値を有し、その値は次のように指定される：ｎｓｙｍｂｏｌ∈｛０，．．．，６｝。
【００６７】
（７）帯域幅パート設定パラメータ（ｂａｎｄｗｉｄｔｈ  ｐａｒｔ，ＢＰ又はＢＷＰ）は、ＢＰのパラメータを指定するために使用され、ＢＰはシステム帯域幅の一部である。システム帯域幅は１つ以上のパートに分割される。分割により得られる各々のパートはＢＰとして言及されることが可能である。図１に示されるように、６０Ｍシステム帯域幅は４つのパート：１０Ｍ、１０Ｍ、２０Ｍ、及び２０Ｍに分割され、ＢＰ１、ＢＰ２、ＢＰ３、及びＢＰ４を含む４つのＢＰが取得されることが可能である。ＢＰのサブセットは、ＢＰを更に分割することにより得られるそれぞれのパートである。例えば、図１におけるＢＰ１は複数のパートに更に分割され、各々のパートはＢＰ１のサブセットとして言及されることが可能である。ＢＰはまた、連続的な周波数ドメイン・リソースのセグメントを示すことも可能である。
【００６８】
（８）擬似コロケーション（ｑｕａｓｉ−ｃｏ−ｌｏｃａｔｉｏｎ，ＱＣＬ）設定パラメータは、アンテナ・ポート間のＱＣＬ関係を指定するために使用される。アンテナ・ポートがＱＣＬ関係を充足する場合、アンテナ・ポートにより送信される信号は、同じラージ・スケール・フェージングの影響を受け、同じラージ・スケール特徴パラメータを有することを表す。例えば、アンテナ・ポートＡ及びアンテナ・ポートＢがＱＣＬ関係を充足する場合、アンテナ・ポートＡの信号からの推定により得られるチャネル・ラージ・スケール特徴パラメータは、アンテナ・ポートＢの信号にも適用可能である。ラージ・スケール特徴パラメータは、遅延スプレッド、ドップラー・スプレッド、ドップラー周波数シフト、平均チャネル利得及び平均遅延、到達角度（ａｎｇｌｅ  ｏｆ  ａｒｒｉｖａｌ，ＡＯＡ）、到達角度スプレッド（ａｎｇｌｅ  ｏｆ  ａｒｒｉｖａｌ  ｓｐｒｅａｄ，ＡＡＳ）、発射角度（ａｎｇｌｅ  ｏｆ  ｄｅｐａｒｔｕｒｅ，ＡＯＤ）、発射角度スプレッド（ａｎｇｌｅ  ｏｆ  ｄｅｐａｒｔｕｒｅ  ｓｐｒｅａｄ，ＡＤＳ）、空間相関（ｓｐａｔｉａｌ  ｃｏｒｒｅｌａｔｉｏｎ）のうちの１つ以上を含む。
【００６９】
（９）コードワード（ｃｏｄｅｗｏｒｄ，ＣＷ）設定パラメータは、コードワードの設定パラメータを指定するために使用される。コードワードは、トランスポート・ブロックの構成ユニットとして理解されることが可能である。例えば、トランスポート・ブロックはコードワードに対応する。一般に、現在のトランスポート・ブロックで伝送されるＣＷの識別子情報を指定するために、ＣＷインジケータが使用される。
【００７０】
（１０）コード・ブロック・グループ（ｃｏｄｅ  ｂｌｏｃｋ  ｇｒｏｕｐ，ＣＢＧ）設定パラメータは、ＣＢＧの設定パラメータを指定するために使用される。ＣＢＧはデータ伝送の基本単位であり得る。トランスポート・ブロックは１つ以上のＣＢＧを含むことができる。コードワードは１つ以上のＣＢＧを含むことができる。
【００７１】
（１１）制御チャネル・リソース設定パラメータは、制御チャネル・リソースの設定パラメータを指定するために使用され、周波数ドメイン位置、時間ドメイン位置、及び制御チャネル・リソース・セット（ｃｏｎｔｒｏｌ  ｒｅｓｏｕｒｃｅ  ｓｅｔ，ＣＯＲＥＳＥＴ）識別子のうちの少なくとも１つを含むことができる。ＣＯＲＥＳＥＴ識別子は、制御チャネルにより占有される時間−周波数リソース位置を指定するために使用される。
【００７２】
（１２）セル識別子は、異なるセル又は異なる送信ポイントを表すために使用される。
【００７３】
（１３）端末識別子は、ネットワーク・デバイスにより割り当てられる識別子であり、ユーザーがセルにアクセスした後にユーザーの身元を表すために使用される。
【００７４】
（１４）スクランブリング識別子は、スクランブリング・シーケンスの初期値を生成するために使用されるパラメータである。スクランブリング識別子は、端末識別子、セル識別子、ＣＢＧ設定パラメータ、フレーム構造パラメータ、ＢＷＰ設定パラメータ、ＱＣＬ設定パラメータ、制御チャネル・リソース設定パラメータ、ＣＷ設定パラメータ等のうちの少なくとも１つであってもよい。
【００７５】
通信技術の発達により、通信システムは５Ｇ  ＮＲに発展している。５Ｇ  ＮＲでは、スケジューリングの柔軟性を高め、スケジューリングされるシグナリング・オーバーヘッドを減らすために、信号スクランブリング・モードが提供されることを要する。
【００７６】
通信装置（ネットワーク・デバイス又は端末）によるデータ及び各相関チャネルの信号スクランブリングは、一般に、信号に擬似ランダム・シーケンスを乗算することにより、通信装置（ネットワーク・デバイス又は端末）の信号をスクランブルしている。通信装置（ネットワーク・デバイス又は端末）が信号スクランブリングを実行する場合、先ずスクランブリング初期化が実行されることを要する。スクランブリング初期化プロセスは、スクランブリング・シーケンスの初期値を生成し、次いでスクランブリング・シーケンスの初期値に基づいて生成されるスクランブリング・シーケンスを利用することにより、データ及び各相関チャネルの信号をスクランブルするプロセスとして理解することができる。
【００７７】
本願の実施形態により提供される信号スクランブリング方法において、通信装置は、信号を送信するために使用されるフレーム構造パラメータに対応する時間単位番号に基づいて、スクランブリング・シーケンスの初期値を決定してもよいし、あるいは通信装置はスクランブリング識別子に基づいてスクランブリング・シーケンスの初期値を決定してもよいし、あるいは通信装置は、信号を送信するために使用されるフレーム構造パラメータに対応するスクランブリング識別子及び時間単位番号に基づいて、スクランブリング・シーケンスの初期値を決定してもよい。スクランブリング識別子は、端末識別子、セル識別子、ＣＢＧ設定パラメータ、フレーム構造パラメータ、ＢＷＰ設定パラメータ、ＱＣＬ設定パラメータ、制御チャネル・リソース設定パラメータ、ＣＷ設定パラメータ等のうちの少なくとも１つを含む。スクランブリング・シーケンスの初期値を決定した後に、通信装置は、スクランブリング・シーケンスの初期値に基づいてスクランブリング・シーケンスを取得し、取得したスクランブリング・シーケンスを利用することにより信号をスクランブルすることができる。従って、例えば異なるスロット構造、異なるＣＢＧ、無セルＩＤ、及び異なるフレーム構造のような５Ｇ  ＮＲの様々な状況に関し、干渉ランダム化が信号スクランブリングに関して実現され、パフォーマンスが改善される。
【００７８】
本願の実施形態により提供される信号スクランブリング方法及び装置、並びに信号デスクランブリング方法及び装置は、無線通信ネットワークに適用されることが可能であり、具体例として無線通信システムにおける５Ｇ  ＮＲネットワークの状況を利用することによって主に説明される。本願の実施形態におけるソリューションは、他の無線通信ネットワークにも更に適用されることが可能であり、対応する名称もまた、他の無線通信ネットワークにおける対応する機能の名称に置換され得ることは、指摘しておいた方がよいであろう。
【００７９】
従来の協調マルチ・ポイント伝送（Ｃｏｏｒｄｉｎａｔｅｄ  Ｍｕｌｔｉｐｌｅ  Ｐｏｉｎｔｓ  Ｔｒａｎｓｍｉｓｓｉｏｎ，ＣｏＭＰ）をバックグラウンドとする主なアプリケーション・シナリオでは、伝送信頼性を向上させるためのダイバーシティ技術や伝送データ・レートを向上させるためのマルチ・ストリーム技術などの複数の技術を含む多入力多出力（ｍｕｌｔｉｐｌｅ  ｉｎｐｕｔ  ｍｕｌｔｉｐｌｅ  ｏｕｔｐｕｔ，ＭＩＭＯ）技術がＣｏＭＰと組み合わせられ、分散マルチ・アンテナ・システムを形成し、より良好にユーザーに応対する。本願の実施形態では、説明の具体例として、シングル・セル伝送が主に使用される。シングル・セル伝送では、同じスケジューリング時間に、ただ１つのセル又は送信ポイントのみが、端末のためのデータを送信する。図２は、マルチ・アンテナ・サイト協調伝送又はシングル・セル伝送の状況の概略図である。
【００８０】
本願の実施形態によって提供される信号スクランブリング方法及び装置は、ホモジーニアス・ネットワーク・シナリオ及びヘテロジーニアス・ネットワーク・シナリオの両方に適用可能であり、周波数分割複信（ｆｒｅｑｕｅｎｃｙ  ｄｉｖｉｓｉｏｎ  ｄｕｐｌｅｘ，ＦＤＤ）システム及び時分割複信（ｔｉｍｅ  ｄｉｖｉｓｉｏｎ  ｄｕｐｌｅｘ，ＴＤＤ）システム又はフレキシブル複信システムの両方に適用可能であり、低周波数シナリオ（例えば、サブ６Ｇ）に適用可能であるだけでなく、高周波数シナリオ（例えば、６Ｇ以上）にも適用可能であることは、指摘されるべきである。本願の実施形態では、送信ポイントは制限されず、送信は、マクロ基地局間の協調マルチ・ポイント伝送、マイクロ基地局間の協調マルチ・ポイント伝送、マクロ基地局とマイクロ基地局との間の協調マルチ・ポイント伝送、異なる送信ポイント間の協調マルチ・ポイント伝送、同じ送信ポイントの異なるパネル間の協調マルチ・ポイント伝送、又は端末間の協調マルチ・ポイント伝送であってもよい。本願はまた端末間の通信にも適用可能である。本願の以下の実施形態では、ネットワーク・デバイスと端末との間の通信が説明の具体例として使用される。
【００８１】
本願の実施形態において、信号をスクランブルする通信装置は、ネットワーク・デバイス又は端末であってもよく、信号をデスクランブルする通信装置は、ネットワーク・デバイス又は端末であってもよい。スクランブリング方法が適用される通信装置がネットワーク装置である場合には、デスクランブリング方法が適用される通信装置は端末であってもよく；あるいはスクランブリング方法が適用される通信装置が端末である場合には、デスクランブリング方法が適用される通信装置はネットワーク・デバイスであってもよい。
【００８２】
本願の以下の実施形態は、信号をスクランブルする通信装置がネットワーク・デバイスであり、信号をデスクランブルする通信装置が端末である例を用いて説明される。
【００８３】
図３Ａおよび図３Ｂは、本願の実施形態による信号スクランブリング及びデスクランブリングのための方法の実装フローチャートである。図３Ａ及び図３Ｂを参照すると、本方法は、以下のステップを含む。
【００８４】
Ｓ１０１．ネットワーク・デバイスが、スクランブリング・シーケンスを使用して信号をスクランブルする。
【００８５】
本願の実施形態では、ネットワーク・デバイスは、信号を送信するために使用されるフレーム構造パラメータに対応する時間単位番号、端末識別子、セル識別、ＣＢＧ設定パラメータ、フレーム構造パラメータ、ＢＷＰ設定パラメータ、ＱＣＬ設定パラメータ、制御チャネル・リソース設定パラメータ、及びＣＷ設定パラメータのうちの１つ以上に基づいて、スクランブリング・シーケンスの初期値を生成し、スクランブリング・シーケンスの初期値に基づいてスクランブリング・シーケンスを生成し、得られたスクランブリング・シーケンスを利用することにより信号をスクランブルすることができる。
【００８６】
Ｓ１０２．ネットワーク・デバイスは、スクランブル信号を送信し、端末はネットワーク・デバイスから送信された信号を受信する。
【００８７】
Ｓ１０３．端末は、スクランブリング・シーケンスを利用することにより受信信号をデスクランブルする。
【００８８】
本願の実施形態では、ネットワーク・デバイスによって送信された信号を受信した後、端末は、ネットワーク・デバイスによって信号をスクランブルするために使用されたスクランブリング・シーケンスと同じスクランブリング・シーケンスに基づいて、受信信号をデスクランブルすることができ、端末及びネットワーク・デバイスによって使用されるスクランブリング・シーケンスを生成する方法は、所定の方法で決定されることが可能である。
【００８９】
本願の実施形態は、信号をスクランブルする通信装置がネットワーク・デバイスであり、信号をデスクランブルする通信装置が端末である具体例を用いて上述されている。信号をスクランブルする通信装置が端末であり、信号をデスクランブルする通信装置がネットワーク・デバイスである実装プロセスは、これと同様であり、端末がスクランブリング・シーケンスを利用することにより信号をスクランブルし、ネットワーク・デバイスがスクランブリング・シーケンスを利用することにより信号をデスクランブルするという点だけに相違がある。他の類似点は本願で更には説明されない。
【００９０】
本願の特定の実施形態を参照して、以下、前述の実施形態におけるスクランブリング・シーケンスの初期値を生成する実装プロセスを説明する。前述の実施形態において信号をスクランブルする実装プロセスで実行される他のステップについては、既存のソリューションを参照されたい。
【００９１】
実施形態１：信号を送信するための時間単位番号に基づいてスクランブリング・シーケンスの初期値を決定する。
【００９２】
５Ｇ  ＮＲでは、複数のフレーム構造パラメータがサポートされており、異なるネットワーク・デバイスにより送信される信号が異なるフレーム構造パラメータを使用する場合、信号を送信するために使用されるフレーム構造パラメータに対応する時間単位番号（例えば、スロット番号）は相違し得る。例えば、時間単位番号が図４のサブフレーム内のスロット番号であると仮定すると、サブキャリア間隔設定パラメータμが０であるフレーム構造パラメータにおいて、サブフレームにおけるスロット番号は０であり；サブキャリア間隔設定パラメータμが１であるフレーム構造パラメータにおいて、サブフレームにおけるスロット番号は０及び１であり：あるいはサブキャリア間隔設定パラメータμが２であるフレーム構造パラメータにおいて、サブフレームにおけるスロット番号は０ないし３である。図４に示される例から学ぶことができるように、サブフレームにおけるスロット番号に関し、サブフレームにおけるスロット番号は無線フレームで反復され、異なるフレーム構造パラメータに関し、サブフレームにおける第１スロットは、サブフレームにおいて同じスロット番号を有する。更に、説明の具体例として図５の無線フレームにおけるスロット番号を使用すると、サブキャリア間隔設定パラメータμが０であるフレーム構造パラメータにおいて、無線フレームにおけるスロット番号は０ないし９であり；サブキャリア間隔設定パラメータμが１であるフレーム構造パラメータにおいて、無線フレームにおけるスロット番号は０ないし１９であり；あるいはサブキャリア間隔設定パラメータμが２であるフレーム構造パラメータにおいて、無線フレームにおけるスロット番号は０ないし３９である。図５に示す具体例から学ぶことができるように、無線フレームにおけるスロット番号に関し、及び異なるフレーム構造パラメータに関し、無線フレームにおける最初のスロットは、同じスロット番号を有する。また、各無線フレームのスロットは、フレーム内で異なるスロット番号を有する。
【００９３】
本願の実施形態において、ネットワーク・デバイスは、信号を送信するための時間単位番号に基づいてスクランブリング・シーケンスの初期値を決定し、スクランブリング・シーケンスの初期値を用いてスクランブリング・シーケンスを生成し、スクランブリング・シーケンスを用いて信号をスクランブルし、信号スクランブルのためのランダム化を実現することができる。
【００９４】
具体的には、オプションとして、ネットワーク・デバイスが信号を送信するための時間単位番号を決定する場合に、ネットワーク・デバイスは、まず、信号を送信するために使用されるフレーム構造パラメータを決定し、即ち、信号を送信するために使用されるサブキャリア間隔設定パラメータ、スロット設定パラメータ、及びＣＰ構造パラメータのうちの少なくとも１つを決定し、次いで、表２及び表３に示される対応関係を利用して、信号を送信するための時間単位番号を決定することができる。例えば、信号を送信するために使用されるＣＰ構造パラメータを決定することによって、ネットワーク・デバイスは、表２又は表３を使用することによって、信号を送信するための時間単位番号を決定することができる。例えば、信号を送信するために使用されるＣＰ構造パラメータがノーマルＣＰであると判断した場合、ネットワーク・デバイスは、表２を利用して信号を送信するための時間単位番号を決定することができる。次いで、ネットワーク・デバイスは、信号を送信するために使用されるサブキャリア間隔設定パラメータとスロット設定パラメータに対応するスロット・フォーマットとを決定し、表２における、サブキャリア間隔設定パラメータとスロット設定パラメータに対応するスロット・フォーマットとの間の対応関係に従って、時間単位の量を決定し、更に、時間単位の数が０から（時間単位の量マイナス１）であることを決定することができる。例えば、例えば、信号を送信するために使用されるスロット設定パラメータに対応するスロット・フォーマットは０であり、サブキャリア間隔設定パラメータμは２であり、時間単位は無線フレーム内のスロットである。この場合、ネットワーク・デバイスは、スロット・フォーマットが０であること、及びサブキャリア間隔設定パラメータμ＝２に対応する無線フレーム内のスロット数が４０であることを判定することができ（Ｎｓｌｏｔ，μｆｒａｍｅ＝４０）、更に、フレーム構造パラメータがノーマルＣＰであること、及びスロット・フォーマットが０であること、及びサブキャリア間隔設定パラメータμ＝２に対応する時間単位番号（無線フレーム内のスロット番号）が０ないし３９のうちの１つ以上であることを判定することができる。
【００９５】
無線フレームで信号を送信するための時間単位は、スロットであってもよいし、サブフレームであってもよいし、ＯＦＤＭシンボルであってもよい。時間単位番号は、無線フレーム内のスロット番号、無線フレーム内のサブフレーム番号、サブフレーム内のスロット番号、又はスロット内のＯＦＤＭシンボル番号であってもよい。時間単位番号はフレーム構造パラメータに関連する。時間単位番号とフレーム構造パラメータとの間の対応関係は、表２及び表３に案連して、及び時間単位番号に関する前述の説明及び記載を参照することによって決定することができる。時間単位番号を決定する具体的なプロセスについては、前述の説明を参照されたい。詳細は本願で更に網羅的には説明されない。
【００９６】
本願の実施形態において、以下、時間単位番号及びスクランブリング識別子に基づいてスクランブリング・シーケンスの初期値を決定する前述のプロセスが、具体例に関連して以下に説明される。
【００９７】
具体例１：無線フレームにおけるスロット番号（ｎμｓ，ｆ）に基づいてスクランブリング・シーケンスの初期値を決定する。
【００９８】
信号をスクランブルするために使用されるスクランブリング・シーケンスは、一般に、信号が送信されるチャネルのタイプ、又は信号のタイプに関連する。例えば、物理ダウンリンク・データ・チャネル（ｐｈｙｓｉｃａｌ  ｄｏｗｎｌｉｎｋ  ｓｈａｒｅ  ｃｈａｎｎｅｌ，ＰＤＳＣＨ）は、端末識別子、スロット番号、セル識別子、及び単一のサブフレームで送信されるコードワードの量に関連する。物理マルチキャスト・チャネル（ｐｈｙｓｉｃａｌ  ｍｕｌｔｉｃａｓｔ  ｃｈａｎｎｅｌ，ＰＭＣＨ）及びブロードキャスト・マルチキャスト・サービス・シングル周波数ネットワーク（ｍｕｌｔｉｍｅｄｉａ  ｂｒｏａｄｃａｓｔ  ｍｕｌｔｉｃａｓｔ  ｓｅｒｖｉｃｅ  ｓｉｎｇｌｅ  ｆｒｅｑｕｅｎｃｙ  ｎｅｔｗｏｒｋ，ＭＢＳＦＮ）、リファレンス信号（ｒｅｆｅｒｅｎｃｅ  ｓｉｇｎａｌ，ＲＳ）のスクランブリングは、スロット番号及びＭＢＳＦＮ識別子（ＮＭＢＳＦＮＩＤ）に関連する。物理ダウンリンク制御チャネル（ｐｈｙｓｉｃａｌ  ｄｏｗｎｌｉｎｋ  ｃｏｎｔｒｏｌ  ｃｈａｎｎｅｌ，ＰＤＣＣＨ）、物理制御フォーマット・インジケータ・チャネル（ｐｈｙｓｉｃａｌ  ｃｏｎｔｒｏｌ  ｆｏｒｍａｔ  ｉｎｄｉｃａｔｏｒ  ｃｈａｎｎｅｌ，ＰＣＦＩＣＨ）、及びハイブリッド自動再送要求（ｈｙｂｒｉｄ  ａｕｔｏｍａｔｉｃ  ｒｅｐｅａｔ  ｒｅｑｕｅｓｔ，ＨＡＲＱ）インジケータ・チャネル（ｐｈｙｓｉｃａｌ  ＨＡＲＱ  ｉｎｄｉｃａｔｏｒ  ｃｈａｎｎｅｌ，ＰＨＩＣＨ）のスクランブリングは、スロット番号及びセル識別子に関連する。物理ブロードキャストチャネル（ｐｈｙｓｉｃａｌ  ｂｒｏａｄｃａｓｔ  ｃｈａｎｎｅｌ，ＰＢＣＨ）、物理的アップリンク制御チャネル（ｐｈｙｓｉｃａｌ  ｕｐｌｉｎｋ  ｃｏｎｔｒｏｌ  ｃｈａｎｎｅｌ，ＰＵＣＣＨ）、サイクリック・シフト（ｃｙｃｌｉｃ  ｓｈｉｆｔ）、ミラーリング機能、及びグループ・ホッピングは、セル識別子に関連する。ＰＵＣＣＨフォーマット（ｆｏｒｍａｔ）２／２ａ／２ｂ、物理アップリンク・データ・チャネル（ｐｈｙｓｉｃａｌ  ｕｐｌｉｎｋ  ｓｈａｒｅ  ｃｈａｎｎｅｌ，ＰＵＳＣＨ）、端末固有のリファレンス信号（ＵＥ固有ＲＳ）等のスクランブリングは、端末識別子、スロット番号、セル識別などに関連する。セル固有リファレンス信号（Ｃｅｌｌ  Ｓｐｅｃｉｆｉｃ  ＲＳ）のスクランブリングは、端末識別子、スロット番号、セル識別子、及びサイクリック・プレフィックス長（ＮＣＰ）に関連する。シーケンス番号（ｓｅｑｕｅｎｃｅ  ｎｕｍｂｅｒ）のスクランブリングは、セル識別子に関連する。サウンディング・リファレンス信号（Ｓｏｕｎｄｉｎｇ  Ｒｅｆｅｒｅｎｃｅ  Ｓｉｇｎａｌ，ＳＲＳ）のスクランブリングは、上位レイヤにより設定されるシーケンス・シフト（ΔＳＳ∈｛０，１，．．．，２９｝）とリファレンス信号識別子とに関連する。チャネル状態情報リファレンス信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ，ＣＳＩ−ＲＳ）のスクランブリングは、ＣＳＩ識別子とサイクリック・プレフィックス長に関係する。
【００９９】
前述の具体例は単なる信号スクランブリング・モードである。前述のタイプの信号は、他のパラメータを使用することによってスクランブルされてもよく；又はオプションとして、他のタイプの信号は、前述のパラメータ又は他のパラメータを使用することによってスクランブルされてもよい。これは本願で具体的には限定されない。他のタイプの信号又はチャネルは、例えば、時間ドメイン又は周波数ドメインのトラッキング又は同期を実行するため、及び時間−周波数補正を実行するために使用されるトラッキング・リファレンス信号（ｔｒａｃｋｉｎｇ  ｒｅｆｅｒｅｎｃｅ  ｓｉｇｎａｌ，ＴＲＳ）であってもよい。他のタイプの信号又はチャネルは、別の例では、位相トラッキング又は同期を実行するため、及び位相補正を実行するために使用される位相トラッキング・リファレンス信号（Ｐｈａｓｅ  ｔｒａｃｋｉｎｇ  ｒｅｆｅｒｅｎｃｅ  ｓｉｇｎａｌ，ＰＴＲＳ）であってもよい。
【０１００】
従って、本願の実施形態では、異なる信号のスクランブリング・ランダム化を実現するために、スクランブリング・シーケンスの初期値を生成するために使用されるスクランブリング識別子は、信号が送信されるチャネルのタイプ又は信号のタイプに応じて決定されることが可能である。
【０１０１】
本願の実施形態では、信号又はチャネルに対するスクランブリング・シーケンスの初期値は、無線フレームにおけるスロット番号に応じて決定されることが可能である。
【０１０２】
更に、オプションとして、スクランブリング・シーケンスの初期値は、他の変数に関連して決定されてもよい。これは本願で具体的には限定されない。
【０１０３】
具体的には、例えば、本願の実施形態において、スクランブリング・シーケンスを生成するための初期値は更に、信号を送信するために使用されるフレーム構造パラメータに対応する時間単位番号に加えて、スクランブリング識別子に従って決定されてもよい。スクランブリング識別子は、信号が送信されるチャネル又は信号のタイプに応じて決定される。例えば、信号が送信されるチャネルがＰＵＳＣＨである場合、スクランブリング識別子は、端末識別子、セル識別子などであってもよい。送信される信号がＣＳＩ−ＲＳである場合、スクランブリング識別子はＣＳＩ識別子及びサイクリック・プレフィックス長であってもよい。
【０１０４】
本願の実施態様において、ＰＵＳＣＨデータ・チャネルをスクランブルするために使用されるスクランブリング・シーケンスを生成するために使用される初期値を生成するプロセスが、説明のために使用される。
【０１０５】
本願の実施形態では、ネットワーク・デバイスは、端末識別子、コードワード番号、無線フレーム内のスロット番号、及びセル識別子に従って、ＰＵＳＣＨデータ・チャネルをスクランブルすることができる。ＰＵＳＣＨデータ・チャネルをスクランブルするためのスクランブリング・シーケンスの初期値は、次式を満たすことが可能である：
【数２】
0006959434.tif 000006
ここで、ｎＲＮＴＩは、端末を識別するために使用されることが可能であり、即ち、端末識別子として理解されることが可能であり、ｑはコードワード番号を表し、ｎμｓ，ｆは無線フレーム内のスロット番号を表し、無線フレームで信号を送信するためのスロットのシーケンス番号として理解されることが可能であり、ＮｃｅｌｌＩＤはセル識別子を表し、Ｃｉｎｉｔはスクランブリング・シーケンスの初期値を表し、ｔ，ｘ，及びｙはスクランブリング・シーケンスの初期値を決定するための初期化数式における係数パラメータであり、ｔ，ｘ，及びｙは正の整数である。
【０１０６】
オプションとして、初期化数式における前の項の係数パラメータは、変数の値の範囲と幾つかの後の項の係数パラメータの値とに基づいて決定されることが可能である。例えば、ｙの値は、ＮｃｅｌｌＩＤに従って決定されてもよい。５Ｇ  ＮＲにおけるセル識別子の量は１００８であるので、異なるセルを区別するために干渉ランダム化が実行される場合、量子化には１０バイナリ・ビットが必要とされる。従ってｙの値は１０であってもよい。ｘの値は、ｎμｓ，ｆ，２ｙ，及びＮｃｅｌｌＩＤに応じて一緒に決定されてもよい。例えば、ｎμｓ，ｆが２０個の値を有し、ｙ＝１０であり、ＮｃｅｌｌＩＤが１００８個の値を有する場合、ｎμｓ，ｆの２０個の値を指定するために５バイナリ・ビットが必要とされ、ＮｃｅｌｌＩＤの１００８個の値を指定するために１０バイナリ・ビットが必要とされる。従って、ｘ＝５＋１０＝１５であり、これは、干渉ランダム化は１５バイナリ・ビットを使用することにより実行され、ｘの値は１５であり得ることを表現する。ｔの値は、ｎμｓ，ｆ，２ｙ，ＮｃｅｌｌＩＤ，及び        ｑに従って決定されることが可能である。ｑは単独サブフレームで送信されるコードワードの量を表現する。サブフレーム内で送信されるコードワードの量が０又は１である場合、即ち、２つの値を有する場合、ｑについての２つの値を示すために、１つのバイナリ・ビットが必要とされる。例えば、ｑが２つの値を有し、ｎμｓ，ｆが２０の値を有し、ＮｃｅｌｌＩＤが１００８の値を有する、ｑの２つの値を示すために１つのバイナリ・ビットが必要であり、ｎμｓ，ｆの２０の値を示すために５つのバイナリ・ビットが必要とされ、ＮｃｅｌｌＩＤの１００８の値を示すために１０のバイナリ・ビットが必要とされる。従って、ｔ＝１＋５＋１０＝１６であり、ｔの値は１６に設定されることが可能である。
【０１０７】
本願の実施形態の可能な具体例では、スクランブリング・シーケンスの初期値を決定するための数式における係数パラメータの値は、サブキャリア間隔設定パラメータμ及びスロット・フォーマットに従って決定されてもよく、各サブキャリア間隔設定パラメータμの異なるスロット・フォーマットは、異なる係数パラメータに対応する。従って、異なるスクランブリング・シーケンスは、異なるスロット・フォーマットに従って生成され、スクランブリング・ランダム化は、最大限に実行される。例えば、係数パラメータの値は、各サブキャリア間隔設定パラメータμの各スロット・フォーマットにおけるスロットの対応する最大数に従って決定されることが可能である。例えば、係数パラメータｘの値の決定が、説明の具体例として使用される。
【０１０８】
表２及び表３を参照すると、サブキャリア間隔設定パラメータμ＝０であり、スロット・フォーマットが、スロットは７又は６個のＯＦＤシンボルを含むものであり、Ｎｓｌｏｔｓ，μｆｒａｍｅ＝２０である場合に、無線フレームは２０個のスロットを含み、ｎμｓ，ｆ∈｛０，．．．，１９｝であり、ｎμｓ，ｆは合計２０個の値を有し、これは５つのバイナリ・ビットを用いて指定され、５Ｇ  ＮＲにおける１００８個のセル識別子を示すために１０個のバイナリ・ビットが必要とされる。従って、ｘの値は１０＋５＝１５である。μ＝０であり、スロット・フォーマットが、スロットは１４又は１２個のＯＦＤＭシンボルを含むものであり、Ｎｓｌｏｔｓ，μｆｒａｍｅ＝１０である場合に、無線フレームは１０個のスロットを含み、ｎμｓ，ｆ∈｛０，．．．，９｝であり、ｎμｓ，ｆは合計１０個の値を有し、これは４つのバイナリ・ビットを使用して指定され、５Ｇ  ＮＲにおける１００８個のセル識別子を示すために１０個のバイナリ・ビットが必要とされる。従って、ｘの値は１０＋４＝１４である。
【０１０９】
表２及び表３を参照すると、サブキャリア間隔設定パラメータμ＝１であり、スロット・フォーマットが、スロットは７又は６個のＯＦＤシンボルを含むものであり、Ｎｓｌｏｔｓ，μｆｒａｍｅ＝４０である場合に、無線フレームは４０個のスロットを含み、ｎμｓ，ｆ∈｛０，．．．，３９｝であり、ｎμｓ，ｆは合計４０個の値を有し、これは６つのバイナリ・ビットを用いて指定され、５Ｇ  ＮＲにおける１００８個のセル識別子を示すために１０個のバイナリ・ビットが必要とされる。従って、ｘの値は１０＋６＝１６である。μ＝１であり、スロット・フォーマットが、スロットは１４又は１２個のＯＦＤＭシンボルを含むものであり、Ｎｓｌｏｔｓ，μｆｒａｍｅ＝２０である場合に、無線フレームは２０個のスロットを含み、ｎμｓ，ｆ∈｛０，．．．，１９｝であり、ｎμｓ，ｆは合計２０個の値を有し、これは５つのバイナリ・ビットを使用して指定され、５Ｇ  ＮＲにおける１００８個のセル識別子を示すために１０個のバイナリ・ビットが必要とされる。従って、ｘの値は１０＋５＝１５である。
【０１１０】
表２、表３に示される残りのサブキャリア間隔設定パラメータμ及びスロット・フォーマットに対応するｘの値も同様の方法で取得することができる。従って、ノーマルＣＰ及び拡張ＣＰに関し、サブキャリア間隔設定パラメータμ、スロット・フォーマット、ｘの値の間の対応関係は、以下の表４及び表５にそれぞれ示すことが可能である。
表４  ノーマルＣＰに対する、サブキャリア間隔設定パラメータμ、スロット・フォーマット、及びｘの値の間の対応関係
【表４】
0006959434.tif 000007
表５  拡張ＣＰに対する、サブキャリア間隔設定パラメータμ、スロット・フォーマット、及びｘの値の間の対応関係
【表５】
0006959434.tif 000008
【０１１１】
本願の実施形態では、サブキャリア間隔設定パラメータμ、スロット・フォーマット、及びｘの値の対応関係は、表６に更に示すことができる。
表６  サブキャリア間隔設定パラメータμ、スロット・フォーマット、及びｘの値の間の対応関係
【表６】
0006959434.tif 000009
【０１１２】
本願の実施形態の他の可能な具体例において、スクランブリング・シーケンスの初期値を決定する数式における係数パラメータの値は、サブキャリア間隔設定パラメータμに従って決定されてもよく、各サブキャリア間隔設定パラメータμは、異なる係数パラメータに対応する。例えば、サブキャリア間隔設定パラメータμ内のスロットの最大数が考慮されてもよい。例えば、係数パラメータｘの値の決定が、説明のための具体例として使用される。
【０１１３】
表２及び表３を参照すると、サブキャリア間隔設定パラメータμ＝０であり、スロット・フォーマットが、スロットは７又は６個のＯＦＤシンボルを含むものであり、Ｎｓｌｏｔｓ，μｆｒａｍｅ＝２０である場合に、無線フレームは２０個のスロットを含み、ｎμｓ，ｆ∈｛０，．．．，１９｝であり、ｎμｓ，ｆは合計２０個の値を有する。しかしながら、μ＝０であり、スロット・フォーマットが、スロットは１４又は１２個のＯＦＤシンボルを含むものであり、Ｎｓｌｏｔｓ，μｆｒａｍｅ＝１０である場合に、無線フレームは１０個のスロットを含み、ｎμｓ，ｆ∈｛０，．．．，９｝であり、ｎμｓ，ｆは合計１０個の値を有する。スロットの最大数を示すためには５つのバイナリ・ビット、即ち２０個の値が必要であること、及び５Ｇ  ＮＲにおける１００８個のセル識別子を示すためには１０個のバイナリ・ビットが必要であることを考慮すると、ｘの値は１０＋５＝１５となる。
【０１１４】
表２及び表３を参照すると、サブキャリア間隔設定パラメータμ＝１であり、スロット・フォーマットが、スロットは７又は６個のＯＦＤシンボルを含むものであり、Ｎｓｌｏｔｓ，μｆｒａｍｅ＝４０である場合に、無線フレームは４０個のスロットを含み、ｎμｓ，ｆ∈｛０，．．．，３９｝であり、ｎμｓ，ｆは合計４０個の値を有する。しかしながら、μ＝１であり、スロット・フォーマットが、スロットは１４又は１２個のＯＦＤシンボルを含むものであり、Ｎｓｌｏｔｓ，μｆｒａｍｅ＝２０である場合に、無線フレームは２０個のスロットを含み、ｎμｓ，ｆ∈｛０，．．．，１９｝であり、ｎμｓ，ｆは合計１０個の値を有する。スロットの最大数を示すためには６つのバイナリ・ビット、即ち４０個の値が必要であること、及び５Ｇ  ＮＲにおける１００８個のセル識別子を示すためには１０個のバイナリ・ビットが必要であることを考慮すると、ｘの値は１０＋６＝１６となる。
【０１１５】
表２及び表３に示される残りのサブキャリア間隔設定パラメータμに対応するｘの値は同様にして求めることができる。従って、サブキャリア間隔設定パラメータμとｘの値との間の対応関係を表７に示すことができる。
表７
【表７】
0006959434.tif 000010
【０１１６】
本願の実施形態の更に他の可能な具体例において、全てのフレーム構造に対応する係数パラメータは同一であってもよい。例えば、ｘの値は、無線フレームに含まれるスロットの最大数に従って決定されてもよい。例えば、無線フレームに含まれるスロットの最大数は３２０であり、即ち、量子化には９ビットが必要であり、ｘの値は１９に設定されることが可能である。
【０１１７】
本願の実施形態では、他のチャネル又は信号に対するスクランブリング・シーケンスの初期値が同様の方法で決定されてもよく、相違は、使用されるスクランブリング識別子が、チャネルのタイプ又は信号のタイプに応じて決定される必要があるという点においてのみ存在する。次の表８は、チャネル又は信号に対するスクランブリング・シーケンスの初期値、無線フレーム内のスロット番号、及びスクランブリング識別子の間の幾つかの可能な対応関係をリスト化している。
表８
【表８】
0006959434.tif 000011
【０１１８】
前述の実施形態で使用されるものと同一である表中の各数式で使用されるパラメータに関する説明については、前述の実施形態で使用されるパラメータに関する説明を参照されたい。以下、前述の実施形態での説明で使用されたパラメータのみを説明する。ｌは、スロット内のＯＦＤＭシンボル番号を表す。
【０１１９】
本願の実施形態では、スクランブリング・シーケンスの初期値は前述の方法で決定され、信号はスクランブリング・シーケンスの初期値を用いて生成されたスクランブリング・シーケンスを利用することによってスクランブルされる。異なるフレーム構造パラメータにおける異なるスロット・フォーマットでの信号のスクランブリングがサポートされ、無線フレームにおけるスロット番号は互いにオーバーラップしない。これは、同じスクランブリング・シーケンスの発生をある程度回避し、更に、干渉オーバーラップ問題の発生をある程度回避することができる。異なる伝送フレーム構造パラメータ間の干渉はランダム化されることが可能であり、サブフレーム内の異なるスロット間の干渉もランダム化されることが可能であり、従って干渉ランダム化が実現される。
【０１２０】
上記実施形態では、スクランブリング・シーケンスの初期値を決定する際に使用される初期化数式における係数パラメータは、セル識別子の量に応じて決定される。従って、５Ｇ  ＮＲにおける異なるセルのセル識別子は区別され得る。これは、同じスクランブリング・シーケンスの発生をある程度回避し、更に、干渉オーバーラップ問題の発生をある程度回避することができる。従って、干渉ランダム化がある程度実現される。
【０１２１】
本願の実施形態では、５Ｇ  ＮＲにおいてセル識別子が存在しないアプリケーション・シナリオの場合に、ネットワーク・デバイスは、端末識別子、コードワード番号、及び無線フレーム内のスロット番号に従ってＰＵＳＣＨデータ・チャネルをスクランブルすることができる。ＰＵＳＣＨデータ・チャネルをスクランブルするためのスクランブリング・シーケンスの初期値は、次式を満たすことが可能である：
【数３】
0006959434.tif 000012
ここで、ｎＲＮＴＩは、端末を識別するために使用されることが可能であり、即ち、端末識別子として理解されることが可能であり、ｑはコードワード番号を表し、ｎμｓ，ｆは無線フレーム内のスロット番号を表し、無線フレームで信号を送信するためのスロットのシーケンス番号として理解されることが可能であり、Ｃｉｎｉｔはスクランブリング・シーケンスの初期値を表し、ｔ及びｘはスクランブリング・シーケンスの初期値を決定するための初期化数式における係数パラメータであり、ｔ及びｘは正の整数である。
【０１２２】
同様に、初期化数式における前の項の係数パラメータは、変数の値の範囲と幾つかの後の項の係数パラメータの値とに応じて決定されることが可能である。具体的な決定方法は、セル識別子が存在する場合に係数パラメータを決定する前述のプロセスと類似しており、相違は、セル識別子が存在しない場合には、５Ｇ  ＮＲにおけるセル識別子の量が考慮されなくてよいという点においてのみ存在する。類似点は本願で更には説明されない。
【０１２３】
ｔ＝１＋５＝６は、係数パラメータを決定する上記の方式と同じ方式で取得されることが可能である。ｘの値の範囲は、ｘ∈｛４，５，６，７，８，９｝である。
【０１２４】
本願の実施形態では、スクランブリング・シーケンスの初期値を決定する数式における係数パラメータの値は、サブキャリア間隔設定パラメータμに応じて決定されることが可能であり、スロット・フォーマットは、例えば、各サブキャリア間隔設定パラメータμの各スロット・フォーマットにおける対応するスロット最大数に応じて決定されることが可能である。ノーマルＣＰ及び拡張ＣＰに関する、サブキャリア間隔設定パラメータμ、スロット・フォーマット、及びｘの値の間の対応関係は、それぞれ以下の表９及び表１０に示すことができる。
表９  ノーマルＣＰに対する、サブキャリア間隔設定パラメータμ、スロット・フォーマット、及びｘの値の間の対応関係
【表９】
0006959434.tif 000013
表１０  拡張ＣＰに対する、サブキャリア間隔設定パラメータμ、スロット・フォーマット、及びｘの値の間の対応関係
【表１０】
0006959434.tif 000014
【０１２５】
本願の実施形態では、サブキャリア間隔設定パラメータμ、スロット・フォーマット、ｘの値の対応関係は、更に表１１に示すことができる。
表１１  サブキャリア間隔設定パラメータμ、スロット・フォーマット、及びｘの値の間の対応関係
【表１１】
0006959434.tif 000015
【０１２６】
本願の実施形態では、スクランブリング・シーケンスの初期値を決定するための数式における係数パラメータの値が、サブキャリア間隔設定パラメータμに従って決定され得る場合、例えば、各サブキャリア間隔設定パラメータμにおけるスロットの対応する最大数に従って決定され得る場合に、サブキャリア間隔設定パラメータμとｘの値との間の対応関係は、表１２に示すことが可能である。
表１２
【表１２】
0006959434.tif 000016
【０１２７】
本願の実施形態の他の可能な具体例において、全てのフレーム構造に対応する係数パラメータは同一であってもよい。例えば、ｘの値は、無線フレームに含まれるスロットの最大数に従って決定されることが可能である。例えば、無線フレームに含まれるスロットの最大数は３２０であり、即ち、量子化には９ビットが必要であり、ｘの値は９に設定されることが可能である。
【０１２８】
本願の実施形態において、セル識別子が存在しないアプリケーション・シナリオに関し、他のチャネル又は信号に対するスクランブリング・シーケンスの初期値は同様の方法で決定されてもよく、相違は、使用されるスクランブリング識別子が、チャネルのタイプ又は信号のタイプに応じて決定される必要があるという点においてのみ存在する。次の表１３は、チャネル又は信号に対するスクランブリング・シーケンスの初期値、無線フレーム内のスロット番号、及びスクランブリング識別子の間の幾つかの可能な対応関係をリスト化している。
表１３
【表１３】
0006959434.tif 000017
【０１２９】
本願の実施態様によるスクランブリング・シーケンスの初期値を決定する実装において、異なるスロット・フォーマットに対して異なるスクランブリング・シーケンスが生成されることが可能であるが、計算の複雑さは比較的高い。本願の実施形態の別の可能な具体例では、対応する係数パラメータが、各フレーム構造パラメータについて決定されることが可能であり、これはスクランブリングのランダム化をある程度確実にし、計算の複雑さも低減することができる。
【０１３０】
本願の可能な具体例では、無線フレーム内のスロット番号（ｎμｓ，ｆ）に基づいてスクランブリング・シーケンスの初期値を決定する処理において、スクランブリング・シーケンスの初期値は、スロット設定パラメータにより示されるスロット・フォーマットに従って決定されてもよい。例えば、スクランブリング初期化のための数式は異なっていてもよい。具体的には、例えば、スクランブリング・シーケンスの初期値は、無線フレーム内のスロット番号に対応する数値に従って決定されてもよいし、あるいはスクランブリング・シーケンスの初期値は、無線フレーム内のスロット番号に対応する数値の半分を丸めることにより得られる数値に従って決定される。一般に、スロット設定パラメータにより示されるスロット・フォーマットが、スロットは７又は６個のＯＦＤＭシンボルを含むものである場合には、スクランブリング・シーケンスの初期値は、無線フレーム内のスロット番号に対応する数値の半分を丸めることにより得られる数値に従って決定され；あるいはスロット設定パラメータにより示されるスロット・フォーマットが、スロットは１４又は１２個のＯＦＤＭシンボルを含むものである場合には、スクランブリング・シーケンスの初期値は、無線フレーム内のスロット番号に対応する数値に従って決定されることができる。
【０１３１】
例えば、スロット設定パラメータにより示されるスロット・フォーマットが、スロットは７又は６個のＯＦＤＭシンボルを含むものであり、ネットワーク・デバイスが、端末識別子、コードワード番号、無線フレーム内のスロット番号、及びセル識別子に従って、ＰＵＳＣＨデータ・チャネルをスクランブルする場合、端末識別子、コードワード番号、無線フレーム内のスロット番号、及びセル識別子は、次式を満たすことが可能である：
【数４】
0006959434.tif 000018
【０１３２】
スロット設定パラメータにより示されるスロット・フォーマットが、スロットは１４又は１２個のＯＦＤＭシンボルを含むものであり、ネットワーク・デバイスが、端末識別子、コードワード番号、無線フレーム内のスロット番号、セル識別子に従って、ＰＵＳＣＨデータ・チャネルをスクランブルする場合、端末識別子、コードワード番号、無線フレーム内のスロット番号、及びセル識別子は、次式を満たすことが可能である：
【数５】
0006959434.tif 000019
ここで、ｎＲＮＴＩは、端末を識別するために使用されることが可能であり、即ち、端末識別子として理解されることが可能であり、ｑはコードワード番号を表し、ｎμｓ，ｆは無線フレーム内のスロット番号を表し、無線フレームで信号を送信するためのスロットのシーケンス番号として理解されることが可能であり、ＮｃｅｌｌＩＤはセル識別子を表し、Ｃｉｎｉｔはスクランブリング・シーケンスの初期値を表し、ｔ，ｘ，及びｙはスクランブリング・シーケンスの初期値を決定するための初期化数式における係数パラメータであり、ｔ，ｘ，及びｙは正の整数である。
【０１３３】
本願の実施形態における係数パラメータｔ、ｘ、及びｙの値を決定する具体的な方法は、前述の実施形態における係数パラメータを決定するプロセスに類似しており、係数パラメータを決定する前述のプロセスに適用可能であり得る。以下の３つの方法を含むことが可能である：スクランブリング・シーケンスの初期値を決定する数式における係数パラメータの値は、サブキャリア間隔設定パラメータμ及びスロット・フォーマットに従って決定されてもよく；スクランブリング・シーケンスの初期値を決定する数式における係数パラメータの値は、サブキャリア間隔設定パラメータμに従って決定されてもよく；及びスクランブリング・シーケンスの初期値を決定する数式における係数パラメータの値は、最大の時間単位数に従って決定されてもよい。
【０１３４】
スロット設定パラメータにより示されるスロット・フォーマットが、スロットは７又は６個のＯＦＤＭシンボルを含むものである場合に、ｘの値が決定される場合、その値は、
【数６】
0006959434.tif 000020
の値に応じて決定されることを必要とするという点においてのみ相違が存在する。例えば、ｎμｓ，ｆが２０個の値を有し、ｙ＝１０であり、ＮｃｅｌｌＩＤが１００８個の値を有する場合、
【数７】
0006959434.tif 000021
に対応する数値は１０であり、
【数８】
0006959434.tif 000022
の１０個の値を示すために４個のバイナリ・ビットが必要である。従って、ｘ＝４＋１０＝１４であり、これは、干渉ランダム化を実行するために１４バイナリ・ビットが使用されることを表す。同様に、ｔ＝１＋４＋１０＝１５が決定される。
【０１３５】
本願の実施形態では、前述の実施形態における係数パラメータｘを決定する方法に類似する方法が使用される。ノーマルＣＰ及び拡張ＣＰに関し、係数パラメータｘの決定された値の範囲は、ｘ∈｛１４，１５，１６，１７，１８，１９｝である。係数パラメータｘの決定された値、サブキャリア間隔設定パラメータμ、及びスロット・フォーマットの間の対応関係は、表１４及び表１５に示すことが可能である。
表１４  ノーマルＣＰに対する、サブキャリア間隔設定パラメータμ及びｘの値の間の対応関係
【表１４】
0006959434.tif 000023
表１５  拡張ＣＰに対する、サブキャリア間隔設定パラメータμ及びｘの値の間の対応関係
【表１５】
0006959434.tif 000024
【０１３６】
本願の実施形態において、サブキャリア間隔設定パラメータμ及びｘの値の間の対応関係は更に表１６に示すことが可能である。
表１６
【表１６】
0006959434.tif 000025
【０１３７】
本願の実施形態の他の可能な具体例において、全てのフレーム構造に対応する係数パラメータは同一であってもよい。例えば、ｘの値は、無線フレームに含まれるスロットの最大数に従って決定されてもよい。例えば、無線フレームに含まれるスロットの最大数は３２０であり、量子化には９ビットが必要である。例えば、ｘの値は１９に設定することが可能である。
【０１３８】
同様に、５Ｇ  ＮＲにおいてセル識別子が存在しないアプリケーション・シナリオでは、係数パラメータを決定する前述と同一の方法が、ｘの値の範囲を得るために使用されることが可能であり、その値の範囲はｘ∈｛４，５，６，７，８，９｝である。ノーマルＣＰ及び拡張ＣＰに関し、サブキャリア間隔設定パラメータμ、スロット・フォーマット、及びｘの値の間の対応関係は、それぞれ以下の表１７及び表１８に示すことが可能である。
表１７  ノーマルＣＰに対するサブキャリア間隔設定パラメータμ及びｘの値の対応関係
【表１７】
0006959434.tif 000026
表１８  拡張ＣＰに対するサブキャリア間隔設定パラメータμ及びｘの値の対応関係
【表１８】
0006959434.tif 000027
【０１３９】
本願の実施形態において、サブキャリア間隔設定パラメータμ及びｘの値の間の対応関係は表１９に更に示すことが可能である。
表１９
【表１９】
0006959434.tif 000028
【０１４０】
本願の実施形態の他の可能な具体例において、全てのフレーム構造に対応する係数パラメータは同一であってもよい。例えば、ｘの値は、無線フレームに含まれるスロットの最大数に従って決定されてもよい。例えば、無線フレームに含まれるスロットの最大数は３２０であり、量子化には９ビットが必要である。例えば、ｘの値は９に設定することが可能である。
【０１４１】
本願の実施形態では、セル識別子が存在する場合、他のチャネル又は信号に対するスクランブリング・シーケンスの初期値は同様の方法で決定されることが可能であり、相違は、使用されるスクランブリング識別子が、チャネルのタイプ又は信号のタイプに応じて決定される必要があるという点においてのみ存在する。次の表２０は、スロット設定パラメータによって示されるスロット・フォーマットが、スロットは７又は６個のＯＦＤＭシンボルを含むものである場合の、チャネル又は信号に対するスクランブリング・シーケンスの初期値、無線フレーム内のスロット番号、及びスクランブリング識別子の間の幾つかの可能な対応関係をリスト化している。
表２０
【表２０】
0006959434.tif 000029
【０１４２】
セル識別子が存在し、スロット設定パラメータにより示されるスロット・フォーマットが、スロットは１４又は１２個のＯＦＤＭシンボルを含むものである場合、チャネル又は信号のスクランブリング・シーケンスの初期値、無線フレーム内のスロット番号、及びスクランブリング識別子の間の幾つかの可能な対応関係は、表８に示すように、チャネル又は信号のスクランブリング・シーケンスの初期値、無線フレーム内のスロット番号、及びスクランブリング識別子の間のいくつかの可能な対応関係と同じである。詳細は本願で更には説明されない。
【０１４３】
以下の表２１は、セル識別子が存在し、スロット設定パラメータにより示されるスロット・フォーマットが、スロットは１４又は１２個のＯＦＤＭシンボルを含むものである場合の、チャネル又は信号のスクランブリング・シーケンスの初期値、無線フレーム内のスロット番号、及びスクランブリング識別子の間の幾つかの可能な対応をリスト化している。
表２１
【表２１】
0006959434.tif 000030
【０１４４】
セル識別子が存在せず、スロット設定パラメータにより示されるスロット・フォーマットが、スロットは１４又は１２個のＯＦＤＭシンボルを含むものである場合、チャネル又は信号のスクランブリング・シーケンスの初期値、無線フレームのスロット番号、及びスクランブリング識別子の間の幾つかの可能な対応関係は、表１３に示されるように、チャネル又は信号のスクランブリング・シーケンスの初期値、無線フレーム内のスロット番号、及びスクランブリング識別子の間の幾つかの可能な対応と同じである。詳細は本願で更には説明されない。
【０１４５】
本願の具体例１における無線フレームのスロット番号（ｎμｓ，ｆ）に基づいて、スクランブリング・シーケンスの初期値を決定する実装においては、信号は、異なるスロット・フォーマットに従ってスクランブルされることが可能である。これは、干渉ランダム化のパフォーマンスを改善する。更に、セル識別子に関係のないスクランブリング・モードが提供され、５Ｇ  ＮＲにおいてセル識別子が存在しないアプリケーション・シナリオに適用可能であり得る。
【０１４６】
具体例２：無線フレーム内のサブフレーム番号（ｎｓｆ）とサブフレーム内のスロット番号（ｎμｓ）に基づいて、スクランブリング・シーケンスの初期値を決定する。
【０１４７】
本願の実施形態では、信号又はチャネルに対するスクランブリング・シーケンスの初期値は、無線フレームにおけるサブフレーム番号（ｎｓｆ）及びサブフレームにおけるスロット番号（ｎμｓ）に応じて決定することができる。
【０１４８】
更に、オプションとして、スクランブリング・シーケンスの初期値は、他の変数を参照して決定されることも可能である。これは本願で具体的には限定されない。
【０１４９】
本願の具体例２において、ＰＵＳＣＨデータ・チャネルをスクランブルするために使用されるスクランブリング・シーケンスの初期値を生成するプロセスが、説明のために依然として使用される。
【０１５０】
本願の実施形態において、ネットワーク・デバイスは、端末識別子、コードワード番号、サブフレーム内のスロット番号、無線フレーム内のサブフレーム番号、及びセル識別子に従って、ＰＵＳＣＨデータ・チャネルをスクランブルすることができる。ＰＵＳＣＨデータ・チャネルをスクランブリングするためのスクランブリング・シーケンスの初期値は、次式を満たすことが可能である：
【数９】
0006959434.tif 000031
ここで、ｎＲＮＴＩは、端末を識別するために使用されることが可能であり、即ち、端末識別子として理解されることが可能であり、ｑはコードワード番号を表し、ｎμｓ，ｆはサブフレーム内のスロット番号を表し、スロットが配置されているサブフレームで信号を送信するためのスロットのシーケンス番号として理解されることが可能であり、ｎｓｆは無線フレーム内のサブフレーム番号を表し、ｎｓｆは、
【数１０】
0006959434.tif 000032
という数式を利用することにより決定されることが可能であり、ＮｃｅｌｌＩＤはセル識別子を表し、Ｃｉｎｉｔはスクランブリング・シーケンスの初期値を表し、ｔ，ｘ，ｙ，及びｚはスクランブリング・シーケンスの初期値を決定するための初期化数式における係数パラメータであり、ｔ，ｘ，ｙ，及びｚは正の整数である。
【０１５１】
同様に、スクランブリング・シーケンスの初期値を決定するための初期化数式における前の項の係数パラメータは、変数の値の範囲、及び幾つかの後の項の係数パラメータの値に応じて決定されることが可能である。例えば、ｚの値は、ＮｃｅｌｌＩＤに応じて決定されることが可能である。５Ｇ  ＮＲにおけるセル識別子の量は１００８であるため、干渉ランダム化には１０ビットが必要である。従って、ｚの値は１０に設置されることが可能である。ｙの値は、ｎｓｆ、ｚ、及びＮｃｅｌｌＩＤに応じて一緒に決定されることが可能である。例えば、無線フレームが１０個のサブフレームを含み、無線フレームにおけるサブフレーム番号ｎｓｆが１０個の値を有する場合、ｎｓｆの１０個の値を示すために４個のバイナリ・ビットが必要とされ；ＮｃｅｌｌＩＤが１００８個の値を有する場合、ＮｃｅｌｌＩＤの１００８個の値を示すために１０個のバイナリ・ビットが必要とされ、ｚ＝１０である。従って、ｙ＝４＋１０＝１４であり、これは干渉ランダム化を実行するために１４バイナリ・ビットが使用されることを表す。ｘの値は、ｙ、ｎｓｆ、ｚ、及びＮｃｅｌｌＩＤに応じて一緒に決定されることが可能である。例えば、ｎμｓが２個の値を有する場合、ｎμｓの２個の値を示すために１バイナリ・ビットが必要とされ；ｎμｓが１０個の値を有する場合、ｎμｓの１０個の値を示すために４バイナリ・ビットが必要とされ；ＮｃｅｌｌＩＤが１００８個の値を有する場合、ＮｃｅｌｌＩＤの１００８個の値を示すために１０個のバイナリ・ビットが必要とされ、ｚ＝１０である。従って、ｘ＝１＋４＋１０＝１５であり、これは干渉ランダム化を実行するために１５バイナリ・ビットが使用されることを表す。ｔの値は、ｑ、ｙ、ｎｓｆ、ｚ、及びＮｃｅｌｌＩＤに応じて一緒に決定されることが可能である。例えば、ｑが２個の値を有する場合、ｑの２個の値を示すために１バイナリ・ビットが必要とされ；ｎμｓが２個の値を有する場合、ｎμｓの２個の値を示すために１バイナリ・ビットが必要とされ；ｎμｓが１０個の値を有する場合、ｎμｓの１０個の値を示すために４バイナリ・ビットが必要とされ；ＮｃｅｌｌＩＤが１００８個の値を有する場合、ＮｃｅｌｌＩＤの１００８個の値を示すために１０個のバイナリ・ビットが必要とされる。従って、ｔ＝１＋１＋４＋１０＝１６である。
【０１５２】
同様に、スクランブリング・シーケンスの初期値を決定するための初期化数式における係数パラメータの値は、係数パラメータを決定する上記のプロセスに適用可能であり得る。以下の３つの方法を含むことが可能である：スクランブリング・シーケンスの初期値を決定する数式における係数パラメータの値は、サブキャリア間隔設定パラメータμ及びスロット・フォーマットに従って決定されてもよく；スクランブリング・シーケンスの初期値を決定する数式における係数パラメータの値は、サブキャリア間隔設定パラメータμに従って決定されてもよく；及びスクランブリング・シーケンスの初期値を決定する数式における係数パラメータの値は、最大の時間単位数に従って決定されてもよい。
【０１５３】
例えば、係数パラメータｘの値の決定が説明の具体例として使用される。
【０１５４】
本願の実施形態では、前述の実施形態におけるサブキャリア間隔設定パラメータμ及びスロット・フォーマットに応じて係数パラメータｘを決定する方法と同様の方法が使用される。例えば、ノーマルＣＰ及び拡張ＣＰに関し、係数パラメータの決定された値の範囲は、ｘ∈｛１５，１６，１７，１８，１９｝であるとすることができる。ノーマルＣＰ及び拡張ＣＰに関し、サブキャリア間隔設定パラメータμ、スロット・フォーマット、及びｘの値の間の対応関係は、それぞれ以下の表２２及び表２３に示すことが可能である。
表２２  ノーマルＣＰに対する、サブキャリア間隔設定パラメータμ、スロット・フォーマット、及びｘの値の間の対応関係
【表２２】
0006959434.tif 000033
表２３  拡張ＣＰに対する、サブキャリア間隔設定パラメータμ、スロット・フォーマット、及びｘの値の間の対応関係
【表２３】
0006959434.tif 000034
【０１５５】
本願の実施形態では、サブキャリア間隔設定パラメータμ、スロット・フォーマット、及びｘの値の間の対応関係は、表２４に更に示すことができる。
表２４  サブキャリア間隔設定パラメータμ、スロット・フォーマット、及びｘの値の間の対応関係
【表２４】
0006959434.tif 000035
【０１５６】
本願の実施形態では、表２５に示されるように、上記の実施形態においてサブキャリア間隔設定パラメータμに応じて係数パラメータｘを決定する方法と同様な方法で、サブキャリア間隔設定パラメータμ及びｘの値の間の対応関係が取得され得る。
表２５  サブキャリア間隔設定パラメータμ及びｘの値の間の対応関係
【表２５】
0006959434.tif 000036
【０１５７】
本願の実施形態では、前述の実施形態における時間単位の最大数に応じて係数パラメータｘを決定する方法と同様な方法で、ｘの値が取得されることが可能であり、その値は１９であり得る。
【０１５８】
本願の実施形態において、サブフレーム内のスロット番号や無線フレーム内のサブフレーム番号に応じて、他のチャネルや信号のスクランブリング・シーケンスの初期値を決定する実装プロセスも同様な方法で決定することができ、相違は、使用されるスクランブリング識別子は、チャネルのタイプや信号のタイプに応じて決定される必要があるという点においてのみ存在する。以下の表２６は、チャネル又は信号のためのスクランブリング・シーケンスの初期値、サブフレーム内のスロット番号、無線フレーム内のサブフレーム番号、及びスクランブリングＩＤの間の幾つかの可能な対応関係をリスト化している。
表２６
【表２６】
0006959434.tif 000037
【０１５９】
本願の実施形態では、スクランブリング・シーケンスの初期値は、サブフレーム内のスロット番号と無線フレーム内のサブフレーム番号とに応じて決定され、信号は、スクランブリング・シーケンスの初期値を用いて生成されたスクランブリング・シーケンスを用いてスクランブルされる。これは、サブフレーム内の異なるサブフレーム及び異なるスロットのスクランブリング・ランダム化を反映することが可能であり、干渉ランダム化のパフォーマンス改善することができる。
【０１６０】
前述の実施形態では、スクランブリング・シーケンスの初期値を決定するプロセスで使用される初期化数式の係数パラメータは、セル識別子の量に応じて決定される。従って、５Ｇ  ＮＲにおける異なるセルのセル識別子は区別されることが可能である。これは、同じスクランブリング・シーケンスの発生をある程度回避し、更に、干渉オーバーラッピング問題の発生をある程度回避することができる。従って、干渉ランダム化がある程度実現される。
【０１６１】
本願の実施形態では、５Ｇ  ＮＲにおいてセル識別が存在しないアプリケーション・シナリオに対して、ネットワーク・デバイスは、端末識別子、コードワード番号、サブフレーム内のスロット番号、及び無線フレーム内のサブフレーム番号に従って、ＰＵＳＣＨデータ・チャネルをスクランブルすることができる。ＰＵＳＣＨデータ・チャネルをスクランブルするためのスクランブリング・シーケンスの初期値は、次式を満たすことが可能である：
【数１１】
0006959434.tif 000038
ここで、ｎＲＮＴＩは、端末を識別するために使用されることが可能であり、即ち、端末識別子として理解されることが可能であり、ｑはコードワード番号を表し、ｎμｓはサブフレーム内のスロット番号を表し、スロットが配置されていサブフレームで信号を送信するためのスロットのシーケンス番号として理解されることが可能であり、ｎｓｆは無線フレーム内のサブフレーム番号を表し、ｎｓｆは、
【数１２】
0006959434.tif 000039
という数式を利用することにより決定されることが可能であり、Ｃｉｎｉｔはスクランブリング・シーケンスの初期値を表し、ｔ，ｘ，及びｙはスクランブリング・シーケンスの初期値を決定するための初期化数式における係数パラメータであり、ｔ，ｘ，及びｙは正の整数である。
【０１６２】
同様に、初期化数式における前の項の係数パラメータは、変数の値の範囲と幾つかの後の項の係数パラメータの値とに応じて決定されることが可能である。特定の決定方法は、セル識別子が存在する場合に係数パラメータを決定する前述のプロセスと同様であり、以下の３つの方法を含むことができる：スクランブリング・シーケンスの初期値を決定する数式における係数パラメータの値は、サブキャリア間隔設定パラメータμ及びスロット・フォーマットに従って決定されてもよく；スクランブリング・シーケンスの初期値を決定する数式における係数パラメータの値は、サブキャリア間隔設定パラメータμに従って決定されてもよく；及びスクランブリング・シーケンスの初期値を決定する数式における係数パラメータの値は、最大の時間単位数に従って決定されてもよい。相違は、セル識別子がない場合に、５Ｇ  ＮＲにおけるセル識別子の量が考慮されなくてよいという点においてのみ存在する。類似点は本願で更には説明されない。
【０１６３】
変数の値の範囲、幾つかの後の項の係数パラメータの値に応じて、前の係数パラメータを決定する方法と同じ方法が使用される。例えば、ｎｓｆが１０個の値を有し、ｙ＝４である場合において；μ＝５であり、スロット・フォーマットが、スロットは７又は６個のＯＦＤＭシンボルを含むものである場合、Ｎｓｌｏｔ，μｓｕｂｆｒａｍｅ＝３２であり、サブフレームは３２スロットを含み、ｎμｓ∈｛０，．．．，３１｝であり、ｎμｓは合計３２個の値を有し、ｎμｓの３２個の値を示すために５つのバイナリ・ビットが必要とされる。従って、ｘ＝４＋５＝９であり、これは干渉ランダム化を実行するために９バイナリ・ビットが使用されることを表す。同様に、ｔ＝１＋４＋５＝１０が決定される。以下を得ることができる：μ＝５、ｙ＝４である場合に、ｘ＝４＋５＝９であり、ｔ＝１＋４＋５＝１０である。
【０１６４】
サブキャリア間隔設定パラメータμ及びスロット・フォーマットに応じて係数パラメータを決定する前述の方法において、ｘの値の範囲を取得することが可能であり、ｘ＝｛５，６，７，８，９｝である。
【０１６５】
ノーマルＣＰ及び拡張ＣＰに関し、サブキャリア間隔設定パラメータμ、スロット・フォーマット、及びｘの値の間の対応関係は、それぞれ次の表２７及び表２８に示すことが可能である。
表２７  ノーマルＣＰに対する、サブキャリア間隔設定パラメータμ、スロット・フォーマット、及びｘの値の間の対応関係
【表２７】
0006959434.tif 000040
表２８  拡張ＣＰに対する、サブキャリア間隔設定パラメータμ、スロット・フォーマット、及びｘの値の間の対応関係
【表２８】
0006959434.tif 000041
【０１６６】
本願の実施形態では、サブキャリア間隔設定パラメータμ、スロット・フォーマット、及びｘの値の間の対応関係は、表２９に更に示すことが可能である。
表２９  サブキャリア間隔設定パラメータμ、スロット・フォーマット、及びｘの値の間の対応関係
【表２９】
0006959434.tif 000042
【０１６７】
本願の実施形態では、スクランブリング・シーケンスの初期値を決定するための数式における係数パラメータの値がサブキャリア間隔設定パラメータμに従って決定され得る場合に、例えば、各サブキャリア間隔設定パラメータμにおけるスロットの対応する最大数に従って決定される場合に、サブキャリア間隔設定パラメータμとｘの値との間の対応関係は表３０に示すことが可能である。
表３０
【表３０】
0006959434.tif 000043
【０１６８】
本願の実施形態の他の可能な具体例において、全てのフレーム構造に対応する係数パラメータは同一であってもよい。例えば、ｘの値は、サブフレームに含まれるスロットの最大数に従って決定されてもよい。例えば、サブフレームに含まれるスロットの最大数は３２であり、即ち、量子化には９ビットが必要とされ、ｘの値は９に設定されることが可能である。
【０１６９】
本願の実施形態では、セル識別子が存在しないアプリケーション・シナリオに関し、他のチャネル又は信号に対するスクランブリング・シーケンスの初期値は同様の方法で決定されてもよく、相違は、使用されるスクランブリング識別子は、チャネルのタイプ又は信号のタイプに応じて決定される必要があるという点においてのみ存在する。次の表３１は、チャネル又は信号に対するスクランブリング・シーケンスの初期値、サブフレーム内のスロット番号、無線フレーム内のサブフレーム番号、及びスクランブリング識別子の間の幾つかの可能な対応関係をリスト化している。
表３１
【表３１】
0006959434.tif 000044
【０１７０】
本願の実施形態では、スクランブリング・シーケンスの初期値を決定する初期化数式の係数パラメータが使用され、異なるサブキャリア間隔設定パラメータμ及び異なるスロット・フォーマットに対して、異なる係数パラメータが存在する；しかしながら、計算の複雑性は比較的高い。本願の実施形態の別の可能な具体例において、対応する係数パラメータは、各々のサブキャリア間隔設定パラメータに対して決定されることが可能であり、そのため、同一のサブキャリア間隔設定パラメータμ及び異なるスロット・フォーマットが、同一の係数パラメータに対応する。本願の実施形態の他の可能な具体例において、対応する係数パラメータは、全てのサブキャリア間隔設定パラメータμに決定されることが可能であり、これは、クランブルのランダム化をある程度確実にし、計算の複雑さもまた軽減することができる。
【０１７１】
本願の可能な具体例において、サブフレーム内のスロット番号と無線フレーム内のサブフレーム番号とに基づいてスクランブリング・シーケンスの初期値を決定する実装プロセスにおいて、スクランブリング・シーケンスの初期値は、スロット設定パラメータにより示されるスロット・フォーマットに従って決定されることが可能である。例えば、スクランブリング初期化のための数式は異なっていてもよい。具体的には、例えば、スクランブリング・シーケンスの初期値は、サブフレーム内のスロット番号に対応する数値に従って、又はサブフレーム内のスロット番号に対応する数値の半分を丸めることによって得られる数値に従って決定される。一般に、スロット設定パラメータにより示されるスロット・フォーマットが、スロットは７又は６個のＯＦＤＭシンボルを含むものである場合、スクランブリング・シーケンスの初期値は、サブフレーム内のスロット番号に対応する数値の半分を丸めることにより得られる数値に従って決定されてもよいし；あるいは、スロット設定パラメータにより示されるスロット・フォーマットが、スロットは１４又は１２個のＯＦＤＭシンボルを含むものである場合、スクランブリング・シーケンスの初期値は、サブフレーム内のスロット番号に対応する数値に基づいて決定されることが可能である。
【０１７２】
例えば、スロット設定パラメータにより示されるスロット・フォーマットが、スロットは７又は６個のＯＦＤＭ記号を含むものであり、ネットワーク・デバイスが、端末識別子、コードワード番号、サブフレーム内のスロット番号、無線フレーム内のサブフレーム番号、及びセル識別情報に従ってＰＵＳＣＨデータ・チャネルをスクランブルする場合、端末識別子、コードワード番号、サブフレーム内のスロット番号、無線フレーム内のサブフレーム番号、及びセル識別子は、次式を満たすことが可能である：
【数１３】
0006959434.tif 000045
【０１７３】
スロット設定パラメータにより示されるスロット・フォーマットが、スロットは１４又は１２個のＯＦＤＭシンボルを含むものであり、ネットワーク・デバイスが、端末識別子、コードワード番号、サブフレーム内のスロット番号、無線フレーム内のサブフレーム番号、及びセル識別子に従ってＰＵＳＣＨデータ・チャネルをスクランブルする場合、端末識別子、コードワード番号、無線フレーム内のスロット番号、及びセル識別子は次式を満たすことが可能である：
【数１４】
0006959434.tif 000046
ここで、ｎＲＮＴＩは、端末を識別するために使用されることが可能であり、即ち、端末識別子として理解されることが可能であり、ｑはコードワード番号を表し、ｎμｓはサブフレーム内のスロット番号を表し、スロットが配置されているサブフレームで信号を送信するためのスロットのシーケンス番号として理解されることが可能であり、
【数１５】
0006959434.tif 000047
はサブフレーム内のスロット番号に対応する数値の半分を丸めることを表し、ｎｓｆは無線フレーム内のサブフレーム番号を表し、ｎｓｆは、
【数１６】
0006959434.tif 000048
という数式を利用することにより決定されることが可能であり、ＮｃｅｌｌＩＤはセル識別子を表し、Ｃｉｎｉｔはスクランブリング・シーケンスの初期値を表し、ｔ，ｘ，ｙ，及びｚはスクランブリング・シーケンスの初期値を決定するための初期化数式における係数パラメータであり、ｔ，ｘ，ｙ，及びｚは正の整数である。
【０１７４】
本願の実施形態における係数パラメータｔ、ｘ、ｙ、及びｚの値を決定する具体的な方法は、前述の実施形態における係数パラメータを決定するプロセスに類似しており、以下の３つの方法を含むことが可能である：スクランブリング・シーケンスの初期値を決定する数式における係数パラメータの値は、サブキャリア間隔設定パラメータμ及びスロット・フォーマットに従って決定されてもよく；スクランブリング・シーケンスの初期値を決定する数式における係数パラメータの値は、サブキャリア間隔設定パラメータμに従って決定されてもよく；及びスクランブリング・シーケンスの初期値を決定する数式における係数パラメータの値は、最大の時間単位数に従って決定されてもよい。
【０１７５】
相違は、スロット設定パラメータにより示されるスロット・フォーマットが、スロットは７又は６個のＯＦＤＭシンボルを含むものである場合に、ｘ及びｔの値が決定されるべきである場合、その値は、
【数１７】
0006959434.tif 000049
の値に応じて決定される必要があるという点においてのみ存在する。例えば、ｎμｓが２値を有する場合、
【数１８】
0006959434.tif 000050
であり、
【数１９】
0006959434.tif 000051
の１つの値を示すために１ビットが必要とされる；無線フレームが１０個のサブフレームを含み、ｎｓｆが１０個の値を有する場合、ｎｓｆの１０個の値を示すために４つのバイナリ・ビットが必要とされる；ＮｃｅｌｌＩＤが１００８個の値を有する場合、ＮｃｅｌｌＩＤの１００８個の値を示すために１０個のバイナリ・ビットが必要とされる。従って、ｘ＝１＋４＋１０＝１５である。
【０１７６】
同様に、初期化数式の係数パラメータが、サブキャリア間隔設定パラメータμ及びスロット・フォーマットに従って決定される場合、
【数２０】
0006959434.tif 000052
の値を考慮すると、係数パラメータｘの値の範囲を得ることができ、ｘ∈｛１５，１６，１７，１８，１９｝である。更に、同じサブキャリア間隔設定パラメータμ及び異なるスロット・フォーマットが、ｘの同じ値に対応する。ノーマルＣＰ及び拡張ＣＰに関し、サブキャリア間隔設定パラメータμとｘの値との間の対応関係は、それぞれ表３２及び表３３に示すことが可能である。
表３２  ノーマルＣＰに対する、サブキャリア間隔設定パラメータμ及びｘの値の間の対応関係
【表３２】
0006959434.tif 000053
表３３  拡張ＣＰに対する、サブキャリア間隔設定パラメータμ及びｘの値の間の対応関係
【表３３】
0006959434.tif 000054
【０１７７】
本願の実施形態では、サブキャリア間隔設定パラメータμとｘの値との間の対応関係は、以下の表３４に更に示すことができる。
表３４
【表３４】
0006959434.tif 000055
【０１７８】
本願の実施態様において、セル識別子が存在し、スロット設定パラメータによって示されるスロット・フォーマットが、スロットは７又は６個のＯＦＤＭシンボルを含むものである場合、他のチャネル又は信号に対するスクランブリング・シーケンスの初期値は、同様の方法で決定されることが可能であり、相違は、使用されるスクランブリング識別子が、チャネルのタイプ又は信号のタイプに応じて決定される必要があるという点においてのみ存在する。次の表３５は、チャネル又は信号のためのスクランブリング・シーケンスの初期値、サブフレーム内のスロット番号、無線フレーム内のサブフレーム番号、セル識別子、及びスクランブリング識別子の間の幾つかの可能な対応関係をリスト化している。
表３５
【表３５】
0006959434.tif 000056
【０１７９】
セル識別子が存在し、スロット設定パラメータにより示されるスロット・フォーマットが、スロットは１４又は１２個のＯＦＤＭシンボルを含むものである場合、チャネル又は信号のスクランブリング・シーケンスの初期値、無線フレーム内のスロット番号、及びスクランブリング識別子の間の幾つかの可能な対応関係は、表２６に示されるように、チャネル又は信号のスクランブリング・シーケンスの初期値、サブフレーム内のスロット番号、無線フレーム内のサブフレーム番号、及びスクランブリング識別子の間の幾つかの可能な対応と同じである。詳細は本願で更には説明されない。
【０１８０】
５Ｇ  ＮＲにおいてセル識別子が存在しないアプリケーション・シナリオでは、スロット設定パラメータにより示されるスロット・フォーマットが、スロットは７又は６個のＯＦＤＭシンボルを含むものである場合に、ＰＵＳＣＨデータ・チャネルがスクランブルされる場合、端末識別子、コードワード番号、サブフレーム内のスロット番号、及び無線フレーム内のサブフレーム番号は、次式を満たすことが可能である：
【数２１】
0006959434.tif 000057
【０１８１】
５Ｇ  ＮＲにおいてセル識別子が存在しないアプリケーション・シナリオでは、スロット設定パラメータにより示されるスロット・フォーマットが、スロットは１４又は１２個のＯＦＤＭシンボルを含むものである場合、端末識別子、コードワード番号、及び無線フレーム内のスロット番号は、次式を満たすことが可能である：
【数２２】
0006959434.tif 000058
ここで、ｎＲＮＴＩは、端末を識別するために使用されることが可能であり、即ち、端末識別子として理解されることが可能であり、ｑはコードワード番号を表し、ｎμｓはサブフレーム内のスロット番号を表し、スロットが配置されているサブフレームで信号を送信するためのスロットのシーケンス番号として理解されることが可能であり、
【数２３】
0006959434.tif 000059
はサブフレーム内のスロット番号に対応する数値の半分を丸めることを表し、ｎｓｆは無線フレーム内のサブフレーム番号を表し、ｎｓｆは、
【数２４】
0006959434.tif 000060
という数式を利用することにより決定されることが可能であり、Ｃｉｎｉｔはスクランブリング・シーケンスの初期値を表し、ｔ，ｘ，及びｙはスクランブリング・シーケンスの初期値を決定するための初期化数式における係数パラメータであり、ｔ，ｘ，及びｙは正の整数である。
【０１８２】
本願の実施形態における係数パラメータｔ、ｘ、及びｙの値を決定する具体的な方法は、前述の実施形態における係数パラメータを決定するプロセスに類似しており、係数パラメータを決定する前述のプロセスに適用可能であり得る。以下の３つの方法を含むことが可能である：スクランブリング・シーケンスの初期値を決定する数式における係数パラメータの値は、サブキャリア間隔設定パラメータμ及びスロット・フォーマットに従って決定されてもよく；スクランブリング・シーケンスの初期値を決定する数式における係数パラメータの値は、サブキャリア間隔設定パラメータμに従って決定されてもよく；及びスクランブリング・シーケンスの初期値を決定する数式における係数パラメータの値は、最大の時間単位数に従って決定されてもよい。
【０１８３】
同様に、５Ｇ  ＮＲにおいてセル識別子がないアプリケーション・シナリオでは、係数パラメータを決定する上記の方法と同じ方法が使用される。例えば、ｎｓｆが１０個の値を有し、ｙ＝４である場合に；μ＝５であり、スロット・フォーマットが、スロットは７又は６個のＯＦＤＭシンボルを含むものである場合、Ｎｓｌｏｔ，μｓｕｂｆｒａｍｅ＝３２であり、サブフレームは３２個のスロットを含み、ｎμｓ∈｛０，．．．，３１｝であり、ｎμｓは合計３２個の値を有し、ｎμｓの３２個の値を指定するために５つのバイナリ・ビットが必要とされる。従って、ｘ＝４＋５＝９であり、これは、干渉ランダム化を実行するために９バイナリ・ビットが使用されることを表す。同様に、ｔ＝１＋４＋５＝１０が決定される。以下を得ることができる：μ＝５、ｙ＝４である場合に、ｘ＝４＋５＝９、及びｔ＝１＋５＋４＝１０である。ｙの値が取得されてもよく、４であり、ｘの値の範囲はｘ∈｛５，６，７，８，９｝である。ノーマルＣＰ及び拡張ＣＰに関し、サブキャリア間隔設定パラメータμとｘの値との間の対応関係は、それぞれ以下の表３６及び表３７に示すことが可能である。
表３６  ノーマルＣＰに対する、サブキャリア間隔設定パラメータμ及びｘの値の間の対応関係
【表３６】
0006959434.tif 000061
表３７  拡張ＣＰに対する、サブキャリア間隔設定パラメータμ及びｘの値の間の対応関係
【表３７】
0006959434.tif 000062
【０１８４】
本願の実施形態において、サブキャリア間隔設定パラメータμとｘの値との間の対応関係は、以下の表３８に更に示すことが可能である。
表３８
【表３８】
0006959434.tif 000063
【０１８５】
本願の実施形態の他の可能な具体例において、全てのフレーム構造に対応する係数パラメータは同一であってもよい。例えば、ｘの値は、サブフレームに含まれるスロットの最大数に従って決定されることが可能である。例えば、サブフレームに含まれるスロットの最大数が３２であり、即ち、量子化には９ビットが必要とされ、ｘの値は９に設定されることが可能である。
【０１８６】
本願の実施態様において、セル識別子が存在しないアプリケーション・シナリオに関し、スロット設定パラメータによって示されるスロット・フォーマットが、スロットは７又は６個のＯＦＤＭシンボルを含むものである場合、他のチャネル又は信号に対するスクランブリング・シーケンスの初期値は同様の方法で決定されることが可能であり、相違は、使用されるスクランブリング識別子が、チャネルのタイプ又は信号のタイプに応じて決定される必要があるという点においてのみ存在する。次の表３９は、チャネル又は信号のためのスクランブリング・シーケンスの初期値、サブフレーム内のスロット番号、無線フレーム内のサブフレーム番号、及びスクランブリング識別の間の幾つかの可能な対応関係をリスト化している。
【表３９】
0006959434.tif 000064
【０１８７】
本願の実施態様において、セル識別子が存在しないアプリケーション・シナリオに関し、スロット設定パラメータによって示されるスロット・フォーマットが、スロットは１４又は１２個のＯＦＤＭシンボルを含むものである場合、他のチャネル又は信号に対するスクランブリング・シーケンスの初期値は、同様の方法で決定されることが可能であり、相違は、使用されるスクランブリング識別子が、チャネルのタイプ又は信号のタイプに応じて決定される必要があるという点においてのみ存在する。チャネル又は信号のためのスクランブリング・シーケンスの初期値、サブフレーム内のスロット番号、無線フレーム内のサブフレーム番号、及びスクランブリング識別子の間の幾つかの可能な対応関係は、表２６に示されるように、チャネル又は信号のためのスクランブリング・シーケンスの初期値、サブフレーム内のスロット番号、無線フレーム内のサブフレーム番号、及びスクランブリング識別子の間の幾つかの可能な対応関係と同じである。詳細は本願で更には説明されない。
【０１８８】
本願の前述の実施形態では、対応する係数パラメータは、各々のフレーム構造パラメータについて決定される。これは、スクランブリング・ランダム化をある程度確実にし、計算の複雑さも減らすことができる。
【０１８９】
本願の実施形態の他の可能な具体例において、全てのフレーム構造パラメータに対応する係数パラメータは同じであってもよい。例えば、ｘの値は、サブフレームに含まれるスロットの最大数に従って決定されることが可能である。例えば、サブフレームに含まれるスロットの最大数は３２であり、ｘの値は９に設定されることが可能である。
【０１９０】
本願の具体例２では、スクランブリング・シーケンスの初期値は、サブフレーム内のスロット番号と無線フレーム内のサブフレーム番号とに従って決定される。これは、異なるサブフレーム及びサブフレーム内の異なるスロットのスクランブリング・ランダム化を反映し、干渉ランダム化のパフォーマンスを改善することができ、異なるスロット設定における信号のスクランブリングに適用可能であるとすることができ、５Ｇ  ＮＲにおける信号スクランブリングがセル識別子に無関係であるかもしれない問題を解決することができる。
【０１９１】
具体例３：無線フレーム内のサブフレーム番号（ｎｓｆ）に基づいてスクランブリング・シーケンスの初期値を決定する。
【０１９２】
本願の実施形態では、信号又はチャネルに対するスクランブリング・シーケンスの初期値は、無線フレーム内のサブフレーム番号に応じて決定されることが可能である。
【０１９３】
更に、オプションとして、スクランブリング・シーケンスの初期値は、他の変数を参照して決定されることも可能である。これは本願で具体的には限定されない。
【０１９４】
本願の具体例３では、ＰＵＳＣＨデータ・チャネルをスクランブルするために使用されるスクランブリング・シーケンスの初期値を生成するプロセスが、説明のために依然として使用される。
【０１９５】
本願の実施形態では、セル識別が存在するアプリケーション・シナリオに対して、ネットワーク・デバイスは、端末識別子、コードワード番号、無線フレーム内のサブフレーム番号、及びセル識別子に従ってＰＵＳＣＨデータ・チャネルをスクランブルすることができる。ＰＵＳＣＨデータ・チャネルをスクランブルするためのスクランブリング・シーケンスの初期値は、次式を満たすことが可能である：
【数２５】
0006959434.tif 000065
【０１９６】
５Ｇ  ＮＲにおいてセル識別が存在しないアプリケーション・シナリオでは、ネットワーク・デバイスは、端末識別子、コードワード番号、及び無線フレーム内のサブフレーム番号に従ってＰＵＳＣＨデータ・チャネルをスクランブルすることができる。ＰＵＳＣＨデータ・チャネルをスクランブルするためのスクランブリング・シーケンスの初期値は、次式を満たすことが可能である：
【数２６】
0006959434.tif 000066
ここで、ｎＲＮＴＩは、端末を識別するために使用されることが可能であり、即ち、端末識別子として理解されることが可能であり、ｑはコードワード番号を表し、ｎｓｆは無線フレーム内のサブフレーム番号を表し、ｎｓｆは、
【数２７】
0006959434.tif 000067
という数式を利用することにより決定されることが可能であり、ＮｃｅｌｌＩＤはセル識別子を表し、Ｃｉｎｉｔはスクランブリング・シーケンスの初期値を表し、ｔ，ｘ，及びｙはスクランブリング・シーケンスの初期値を決定するための初期化数式における係数パラメータであり、ｔ，ｘ，及びｙは正の整数である。
【０１９７】
同様に、スクランブリング・シーケンスの初期値を決定するための初期化数式における前の項の係数パラメータは、変数の値の範囲と幾つかの後の項の係数パラメータの値とに従って決定されることが可能である。
【０１９８】
同様に、本願の実施形態における係数パラメータｔ、ｘ、及びｙの値を決定する具体的な方法は、前述の実施形態における係数パラメータを決定するプロセスに類似しており、係数パラメータを決定する前述のプロセスに適用可能であり得る。以下の３つの方法を含むことが可能である：スクランブリング・シーケンスの初期値を決定する数式における係数パラメータの値は、サブキャリア間隔設定パラメータμ及びスロット・フォーマットに従って決定されてもよく；スクランブリング・シーケンスの初期値を決定する数式における係数パラメータの値は、サブキャリア間隔設定パラメータμに従って決定されてもよく；及びスクランブリング・シーケンスの初期値を決定する数式における係数パラメータの値は、最大の時間単位数に従って決定されてもよい。
【０１９９】
本願の具体例３において、係数パラメータを決定するプロセスと、係数パラメータ、サブキャリア間隔設定パラメータμ、及びスロット・フォーマットの間の対応関係とは、前述の具体例１及び２における決定プロセス及び対応関係と同様である。詳細は本願で更には説明されない。詳細については、前述の具体例１及び２における決定プロセス及び対応する表を参照されたい。
【０２００】
本願の具体例３において、セル識別子が存在するアプリケーション・シナリオに関し、他のチャネル又は信号に対するスクランブリング・シーケンスの初期値を決定するための初期化数式は、表４０に示すことが可能である。
表４０
【表４０】
0006959434.tif 000068
【０２０１】
本願の具体例３において、セル識別子が存在しないアプリケーション・シナリオの場合、他のチャネル又は信号に対するスクランブリング・シーケンスの初期値を決定するための初期化数式において、セル識別子ＮｃｅｌｌＩＤは除外されることが可能である。具体的な初期化数式は、ＮｃｅｌｌＩＤが除去された後に、表３５に示される数式から得ることができ、本願で更に網羅的には列挙しない。
【０２０２】
具体例４：スロットにおけるＯＦＤＭシンボル番号（ｎｓｙｍｂｏｌ）に基づいて、スクランブリング・シーケンスの初期値を決定する。
【０２０３】
本願の実施形態では、信号又はチャネルに対するスクランブリング・シーケンスの初期値は、スロット内のシンボル番号（ｎｓｙｍｂｏｌ）に基づいて決定されることが可能である。
【０２０４】
更に、オプションとして、スクランブリング・シーケンスの初期値は、別の変数を参照して決定されてもよい。これは本願で具体的には限定されない。
【０２０５】
本願の具体例４では、セル識別子が存在するアプリケーション・シナリオにおいて、ネットワーク・デバイスは、端末識別子、コードワード番号、スロット内のＯＦＤＭシンボル番号、及びセル識別子に基づいて、チャネル又は信号をスクランブルすることができる。種々のチャネル又は信号をスクランブリングするためのスクランブリング・シーケンスの初期値を決定するための初期化数式については、表４１に示される数式を参照されたい。
表４１
【表４１】
0006959434.tif 000069
【０２０６】
本願の具体例４では、５Ｇ  ＮＲ内にセル識別子が存在しないアプリケーション・シナリオにおいて、ネットワーク・デバイスは、端末識別子、コードワード番号、及びスロット内のＯＦＤＭシンボル番号に基づいて、チャネル又は信号をスクランブルすることができる。種々のチャネル又は信号をスクランブルするためのスクランブリング・シーケンスの初期値を決定するための初期化数式は、セル識別子ＮｃｅｌｌＩＤが除外された後に、表４１に示される数式から得ることができる。例えば、セル識別が存在しないシナリオにおいて、ＰＵＳＣＨデータ・チャネルをスクランブルするために使用されるスクランブリング・シーケンスの初期値を決定するための初期化数式は、次式を満たすことが可能である：
【数２８】
0006959434.tif 000070
【０２０７】
本願の具体例４における係数パラメータｔ及びｘの値を決定する具体的な方法は、前述の実施形態における係数パラメータを決定するプロセスと同様であり、係数パラメータを決定する前述のプロセスに適用可能であり得る。以下の３つの方法を含むことが可能である：スクランブリング・シーケンスの初期値を決定する数式における係数パラメータの値は、サブキャリア間隔設定パラメータμ及びスロット・フォーマットに従って決定されてもよく；スクランブリング・シーケンスの初期値を決定する数式における係数パラメータの値は、サブキャリア間隔設定パラメータμに従って決定されてもよく；及びスクランブリング・シーケンスの初期値を決定する数式における係数パラメータの値は、最大の時間単位数に従って決定されてもよい。
【０２０８】
本願の具体例４では、係数パラメータを決定するプロセスと、係数パラメータ、サブキャリア間隔設定パラメータμ、及びスロット・フォーマットの間の対応関係とは、前述の具体例１及び２における決定プロセス及び対応関係と同様である。詳細は本願で更には説明されない。詳細については、上記の具体例１及び２における決定プロセス及び対応する表を参照されたい。
【０２０９】
本願の実施形態では、ネットワーク・デバイスは、無線フレーム内のスロット番号、無線フレーム内のサブフレーム番号、サブフレーム内のスロット番号、スロット内のＯＦＤＭ記号番号のうち少なくとも１つに基づいて、スクランブリング・シーケンスの初期値を決定することができる。例えば、前述の幾つかの具体例に加えて、ネットワーク・デバイスは、更に、サブフレーム内のスロット番号（ｎμｓ）に基づいてスクランブリング・シーケンスの初期値を決定するか、又は、無線フレーム内のスロット番号、無線フレーム内のサブフレーム番号、及びサブフレーム内のスロット番号のうちの少なくとも１つに基づいて、スロット内のＯＦＤＭシンボルを参照して、スクランブリング・シーケンスの初期値を決定することができる。
【０２１０】
実施形態２：ＣＢＧ設定パラメータに基づいてスクランブリング・シーケンスの初期値を決定する。
【０２１１】
オプションとして、スクランブリング・シーケンスの初期値は、信号を送信するための時間単位番号とＣＢＧ設定パラメータとに基づいて決定されることが可能である。
【０２１２】
５Ｇ  ＮＲにおいて、ＣＢＧは伝送単位であり、送信／再送信及びＨＡＲＱは両方ともＣＢＧベースの伝送である。ＴＢに対して、複数のＣＢＧが存在してもよい。ＣＢＧベースの送信／再送信及びＨＡＲＱの柔軟性を考慮して、スクランブリング・シーケンスの初期値は、信号を送信するための時間単位番号とＣＢＧ構成パラメータとに従って決定されることが可能であり、その結果、異なるＣＢＧに対して干渉ランダム化が実行される。
【０２１３】
本願の実施形態では、信号又はチャネルに対するスクランブリング・シーケンスの初期値は、ＣＢＧ設定パラメータに基づいて決定されてもよい。
【０２１４】
更に、オプションとして、スクランブリング・シーケンスの初期値は、他の変数を参照して決定されてもよい。これは本願で具体的には限定されない。
【０２１５】
本願の実施例では、ＰＵＳＣＨデータ・チャネルをスクランブルするために使用されるスクランブリング・シーケンスの初期値を生成するプロセスが、説明のための具体例として依然として使用される。
【０２１６】
具体例１：時間単位番号は、サブフレームにおけるスロット番号（ｎμｓ）と、無線フレームにおけるサブフレーム番号（ｎｓｆ）とを含み、ＣＢＧ設定パラメータは、サポートされるＣＢＧの最大数及びＣＢＧ番号のうちの少なくとも１つであってもよい。
【０２１７】
本願の実施形態では、信号又はチャネルのスクランブリング・シーケンスの初期値は、サブフレーム内のスロット番号（ｎμｓ）、無線フレーム内のサブフレーム番号（ｎｓｆ）、及びＣＢＧ設定パラメータに基づいて決定されることが可能である。
【０２１８】
更に、オプションとして、スクランブリング・シーケンスの初期値は、他の変数を参照して決定されてもよい。これは本願で具体的には限定されない。
【０２１９】
本願の実施形態では、セル識別子が存在するアプリケーション・シナリオに対して、ネットワーク・デバイスは、端末識別子、サポートされるＣＢＧの最大数、ＣＢＧ番号、サブフレーム内のスロット番号（ｎμｓ）、無線フレーム内のサブフレーム番号（ｎｓｆ）、及びセル識別子に従って、ＰＵＳＣＨデータ・チャネルをスクランブルすることができる。スクランブリング・シーケンスの初期値、端末識別子、サポートされるＣＢＧの最大数、ＣＢＧ番号（ｃｑ）、サブフレーム内のスロット番号（ｎμｓ）、無線フレーム内のサブフレーム番号（ｎｓｆ）、及びセル識別度子は、次式を満足することが可能である：
【数２９】
0006959434.tif 000071
【０２２０】
同様に、スクランブリング・シーケンスの初期値を決定する初期化数式における前の項の係数パラメータは、変数の値の範囲と後の項の係数パラメータの値に応じて決定されることが可能である。具体的な決定プロセスについては、前述の実施形態１における係数パラメータの値を決定するプロセスを参照されたい。類似点は、本願の実施態様におけるここで更には説明されない。ＣＢＧ番号は２値を有し得ることに留意すべきである。
【０２２１】
５Ｇ  ＮＲにおいてセル識別子が存在しないアプリケーション・シナリオに関し、ネットワーク・デバイスは、端末識別子、サポートされているＣＢＧの最大数、ＣＢＧ番号、サブフレーム内のスロット番号（ｎμｓ）、及び無線フレーム内のサブフレーム番号（ｎｓｆ）に従って、ＰＵＳＣＨデータ・チャネルをスクランブルすることができる。スクランブリング・シーケンスの初期値、端末識別子、サポートされるＣＢＧの最大数、ＣＢＧ番号（ｃｑ）、サブフレーム内のスロット番号（ｎμｓ）、及び無線フレーム内のサブフレーム番号（ｎｓｆ）は、次式を満足することが可能である：
【数３０】
0006959434.tif 000072
【０２２２】
本願の実施形態２の実施例１における各数式において、ｎＲＮＴＩは端末を識別するために使用されることが可能であり、即ち、端末識別子として理解されることが可能であり、ｔの値はサポートされるＣＢＧの最大数に関連し、ｃｑはＣＢＧ番号であり、ｎμｓはサブフレーム内のスロット番号を表し、スロットが位置するサブフレームで信号を送信するためのスロットのシーケンス番号として理解されることが可能であり、ｎｓｆは無線フレーム内のサブフレーム番号を表し、ｎｓｆは、
【数３１】
0006959434.tif 000073
という数式を利用することにより決定されることが可能であり、ＮｃｅｌｌＩＤはセル識別子を表し、Ｃｉｎｉｔはスクランブリング・シーケンスの初期値を表し、ｔ、ｘ、及びｙは、スクランブリング・シーケンスの初期値を決定するための初期化数式の係数パラメータであり、ｔ、ｘ、及びｚは正の整数である。
【０２２３】
同様に、スクランブリング・シーケンスの初期値を決定するための初期化数式における前の項の係数パラメータは、変数の値の範囲と幾つかの後の項の係数パラメータの値とに応じて決定されることが可能である。
【０２２４】
具体的には、例えば、セル識別子が存在しない場合、例えば、無線フレームが１０個のサブフレームを含み、無線フレーム内のサブフレーム番号ｎｓｆが１０個の値を有する場合、ｎｓｆの１０個の値を指定するために４個のバイナリ・ビットが必要とされる。従って、ｙ＝４であり、これは干渉ランダム化を実行するために４つのバイナリ・ビットが使用されることを表す。ｘの値はｙ、ｎｓｆ、及びｎμｓに従って決定されることが可能である。例えば、ｎμｓが２値を有する場合、ｎμｓの２値を指定するために１つのバイナリ・ビットが必要とされ；ｎｓｆが１０の値を有する場合、ｎｓｆの１０の値を示すために４つのバイナリ・ビットが必要とされる。従って、ｘ＝１＋４＝５であり、これは、干渉ランダム化を実行するために５つのバイナリ・ビットが使用されることを表す。ｔの値はｃｑ、ｘ、ｙ、ｎｓｆ、及びｎμｓに応じて一緒に決定されることが可能である。例えば、ｃｑが２値を有する場合、ｃｑの２値を指定するために１つのバイナリ・ビットが必要とされ；ｎμｓが２値を有する場合、ｎμｓの２値を指定するために１つのバイナリ・ビットが必要とされ；ｎμｓが１０個の値を有する場合、ｎｓｆの１０個の値を指定するために、４つのバイナリ・ビットが必要とされる。従って、ｔ＝１＋１＋４＝６である。例えば、ｃｑが４値を有する場合、ｃｑの４値を指定するために２つのバイナリ・ビットが必要とされ；ｎμｓが２値を有する場合、ｎμｓの２値を指定するために１つのバイナリ・ビットが必要とされ；ｎμｓが１０個の値を有する場合、ｎｓｆの１０個の値を指定するために、４つのバイナリ・ビットが必要とされる。従って、ｔ＝２＋１＋４＝７である。
【０２２５】
同様に、スクランブリング・シーケンスの初期値を決定するための初期化数式の係数パラメータが決定される場合、サブキャリア間隔設定パラメータμ及びスロット・フォーマットに応じて、異なる係数パラメータが、異なる副搬送波間隔設定パラメータμ及び異なるスロット・フォーマットに対して決定されることが可能であり、あるいは、同一のサブキャリア間隔設定パラメータμ及び異なるスロット・フォーマットに対して同一の係数パラメータが決定され、即ち、各フレーム構造パラメータに対して対応する係数パラメータが決定されるか、又は全てのフレーム構造パラメータに対応する係数パラメータは同一であってもよい。例えば、ｘの値は最大の時間単位数に従って決定される。
【０２２６】
本願の実施形態２の具体例１では、係数パラメータを決定するプロセスと、係数パラメータ、サブキャリア間隔設定パラメータμ、及びスロット・フォーマットの間の対応関係とは、上記実施形態１における決定プロセス及び対応関係と同様である。詳細は本願で更には説明されない。詳細については、上記実施形態１における係数パラメータを決定するプロセス及び対応する表を参照されたい。
【０２２７】
本願の実施形態２の具体例１において、セル識別子が存在するアプリケーション・シナリオにおいて、種々のチャネル又は信号をスクランブルするためのスクランブリング・シーケンスの初期値を決定するための初期化数式については、表４２に示される数式を参照されたい。
表４２
【表４２】
0006959434.tif 000074
【０２２８】
本願の実施形態２の具体例１において、セル識別子が存在しないアプリケーション・シナリオにおいて、種々のチャネル又は信号をスクランブルするためのスクランブリング・シーケンスの初期値を決定するための初期化数式については、表４３に示されている数式を参照されたい。
表４３
【表４３】
0006959434.tif 000075
【０２２９】
具体例２：時間単位番号は、無線フレームにおけるスロット番号（ｎμｓ，ｆ）を含み、ＣＢＧ設定パラメータは、サポートされるＣＢＧの最大数、及びＣＢＧ番号のうちの少なくとも１つを含む。
【０２３０】
本願の実施形態では、信号又はチャネルに対するスクランブリング・シーケンスの初期値は、無線フレーム内のスロット番号（ｎμｓ，ｆ）及びＣＢＧ設定パラメータに応じて決定されてもよい。
【０２３１】
オプションとして、スクランブリング・シーケンスの初期値は、別の変数を参照して決定されることも可能である。これは本願で具体的には限定されない。
【０２３２】
本願の実施形態において、セル識別子が存在するアプリケーション・シナリオにおいて、ネットワーク・デバイスは、端末識別子、サポートされる最大ＣＢＧ量、ＣＢＧ番号、無線フレーム内のスロット番号（ｎμｓ，ｆ）、及びセル識別子に従って、ＰＵＳＣＨデータ・チャネルをスクランブルすることができる。スクランブリング・シーケンスの初期値、端末識別子、サポートされるＣＢＧの最大数、ＣＢＧ番号、無線フレーム内のスロット番号（ｎμｓ，ｆ）、及びセル識別子は、次式を満たすことが可能である：
【数３２】
0006959434.tif 000076
【０２３３】
５Ｇ  ＮＲにおいて、セル識別子が存在しないアプリケーション・シナリオに関し、ネットワーク・デバイスは、端末識別子、サポートされる最大ＣＢＧ量、ＣＢＧ番号、及び無線フレーム内のスロット番号（ｎμｓ，ｆ）に従ってＰＵＳＣＨデータ・チャネルをスクランブルすることができる。スクランブリング・シーケンスの初期値、端末識別子、サポートされるＣＢＧの最大数、ＣＢＧ番号、及び無線フレーム内のスロット番号（ｎμｓ，ｆ）は、次式を満たすことが可能である：
【数３３】
0006959434.tif 000077
【０２３４】
本願の実施形態２の具体例２の各数式においては、ｎＲＮＴＩは端末を識別するために使用されることが可能であり、即ち、端末識別子として理解されることが可能であり、ｔの値はサポートされるＣＢＧの最大数に関連し、ｃｑはＣＢＧ番号であり、ｎμｓはサブフレーム内のスロット番号を表し、ＮｃｅｌｌＩＤはセル識別子を表し、Ｃｉｎｉｔはスクランブリング・シーケンスの初期値を表し、ｔ、ｘ、ｙ及びｚは、スクランブリング・シーケンスの初期値を決定するための初期化数式の係数パラメータであり、ｔ、ｘ、ｙ、及びｚは正の整数である。
【０２３５】
同様に、スクランブリング・シーケンスの初期値を決定するための初期化数式における前の項の係数パラメータは、変数の値の範囲と幾つかの後の項の係数パラメータの値とに応じて決定されることが可能である。
【０２３６】
同様に、本願の具体例２における係数パラメータｔ及びｘの値を決定する具体的な方法は、以下の３つの方法を含むことが可能である：スクランブリング・シーケンスの初期値を決定する数式における係数パラメータの値は、サブキャリア間隔設定パラメータμ及びスロット・フォーマットに応じて決定されてもよく；スクランブリング・シーケンスの初期値を決定する数式における係数パラメータの値は、サブキャリア間隔設定パラメータμに応じて決定されてもよく；及び、スクランブリング・シーケンスの初期値を決定する数式における係数パラメータの値は、最大の時間単位数に応じて決定されてもよい。
【０２３７】
具体的には、ｔの値は、ｘの値、プラス、ＣＢＧ番号（ｃｑ）を量子化するのに必要なバイナリ・ビットであってもよい。
【０２３８】
具体的には、例えば、サブキャリア間隔設定パラメータμ＝１であり、スロット・フォーマットが、スロットは７又は６個のＯＦＤＭシンボルを含み、Ｎｓｌｏｔｓ，μｆｒａｍｅ＝４０である場合、無線フレームは４０個のスロットを含み、ｎμｓ，ｆ∈｛０，．．．，３９｝であり、ｎμｓ，ｆは合計４０個の値を有し、その値を指定するために６個のバイナリ・ビットが必要とされる。従って、ｘの値は６である。ＣＢＧ番号の最大量が２である場合、量子化には１バイナリ・ビットが必要とされる。従って、ｔの値はｘプラス１の値であり、即ち、ｔ＝１＋６＝７である。ＣＢＧ番号の最大量が４である場合、量子化のために２つのバイナリ・ビットが必要とされる。従って、ｔの値はｘプラス２の値であり、即ちｔ＝２＋６＝８である。μ＝１であり、スロット・フォーマットが、スロットは１４又は１２個のＯＦＤＭ記号を含むものであり、無線フレームが２０個のスロットを含む場合、ｎμｓ，ｆ∈｛０，．．．，１９｝であり、ｎμｓ，ｆは合計２０の値を有し、その値を示すために５つのバイナリ・ビットが必要とされる。従って、ｘの値は５である。ＣＢＧ番号の最大量が２である場合、量子化には１バイナリ・ビットが必要とされる。従って、ｔの値はｘプラス１の値であり、即ちｔ＝１＋５＝６である。ＣＢＧ番号の最大量が４である場合、量子化のために２つのバイナリ・ビットが必要とされる。したがって、ｔの値はｘプラス２の値であり、ｔ＝２＋５＝７である。具体的には、例えば、全てのフレーム構造に対応する係数パラメータは、同一であってもよい。例えば、ｘの値は、無線フレームに含まれるスロットの最大数に従って決定されることが可能である。例えば、無線フレームに含まれるスロットの最大数が３２０であり、即ち、量子化に９ビットが必要とされ、ｘの値は９に設定されることが可能である。ＣＢＧ番号の最大量が２である場合、量子化には１バイナリ・ビットが必要とされる。従って、ｔの値はｘプラス１の値であり、即ちｔ＝１＋９＝１０である。ＣＢＧ番号の最大量が４である場合、量子化のために２つのバイナリ・ビットが必要とされる。従って、ｔの値はｘプラス２の値であり、即ち、ｔ＝２＋９＝１１である。
【０２３９】
本願の実施形態２の具体例２では、係数パラメータを決定するプロセスと、係数パラメータ、サブキャリア間隔設定パラメータμ、及びスロット・フォーマットの間の対応関係とは、上記実施形態１における決定プロセス及び対応関係と同様である。詳細は本願で更には説明されない。詳細については、上記実施形態１の係数パラメータを決定するプソセス及び対応する表を参照されたい。
【０２４０】
本願の実施形態２の具体例２において、セル識別子が存在するアプリケーション・シナリオでは、種々のチャネル又は信号をスクランブルするためのスクランブリング・シーケンスの初期値を決定するための初期化数式については、表４４に示される数式を参照されたい。
表４４
【表４４】
0006959434.tif 000078
【０２４１】
本願の実施形態２の具体例２において、セル識別子が存在しないアプリケーション・シナリオでは、種々のチャネル又は信号をスクランブルするためのスクランブリング・シーケンスの初期値を決定するための初期化数式については、表４５に示される数式を参照されたい。
表４５
【表４５】
0006959434.tif 000079
【０２４２】
本願の実施形態２の具体例１及び具体例２では、５Ｇ  ＮＲにおいてセル識別子が存在しないアプリケーション・シナリオにおいて、セル識別子ＮｃｅｌｌＩＤは、種々のチャネル又は信号をスクランブルするためのスクランブリング・シーケンスの初期値を決定するための初期化数式から除外されることが可能である。具体的な初期化数式は本願で更に網羅的には列挙されない。
【０２４３】
本願の実施形態２は、時間単位番号が無線フレーム内のサブフレーム番号及びサブフレーム内のスロット番号を含む例と、時間単位番号が無線フレーム内のスロット番号を含む例とを用いて説明されているに過ぎないが、実施形態はこれらに限定されない。時間単位番号はまた、無線フレーム内のスロット番号、無線フレーム内のサブフレーム番号、サブフレーム内のスロット番号、及びスロット内のＯＦＤＭシンボル番号の任意の組み合わせにおける他の時間単位番号であってもよい。他の時間単位番号の実装プロセスは同様であり、本願で更には説明されない。
【０２４４】
本願の実施形態２では、スクランブリング・シーケンスの初期値は、異なるＣＢＧ設定パラメータ及び異なる時間単位番号に基づいて決定され、信号は、スクランブリング・シーケンスの初期値に基づいて生成されたスクランブリング・シーケンスを使用してスクランブルされる。実施形態は、異なるＣＢＧに対して干渉ランダム化を実行することが可能であり、異なるフレーム構造の時間単位を使用することによって送信される信号のスクランブリングに適用可能であり得る。更に、信号スクランブリングは、５Ｇ  ＮＲにおいてセル識別子が存在しないアプリケーション・シナリオで実行されることが可能である。
【０２４５】
実施形態３：ＱＣＬ設定パラメータに基づいてスクランブリング・シーケンスの初期値を決定する。
【０２４６】
本願の実施形態では、信号又はチャネルに対するスクランブリング・シーケンスの初期値は、ＱＣＬ設定パラメータに従って決定されてもよい。
【０２４７】
オプションとして、スクランブリング・シーケンスの初期値は、時間単位番号及びＱＣＬ設定パラメータに基づいて決定されてもよい。
【０２４８】
更に、オプションとして、スクランブリング・シーケンスの初期値は、他の変数を参照して決定されてもよい。これは本願で具体的には限定されない。
【０２４９】
５Ｇ  ＮＲでは、５Ｇ  ＮＲにおけるノン・コヒーレント・ジョイント送信のために、同じＴＲＰ又は異なるＴＲＰの異なるビーム／プリコーディング／アンテナ・ポートが、異なるＱＣＬ設定パラメータを利用することができる。スクランブリング・シーケンスの初期値が、時間単位番号及びＱＣＬ設定パラメータに基づいて決定され、信号が、初期値に応じて得られるスクランブリング・シーケンスを使用することによってスクランブルされる場合、同じＴＲＰ又は異なるＴＲＰの異なるビーム／プリコーティング／アンテナ・ポートによって同じ端末に送信される信号をスクランブルするために使用されるスクランブリング・シーケンスは相違し得る。
【０２５０】
ＱＣＬ設定パラメータは、復調リファレンス信号（ｄｅｍｏｄｕｌａｔｉｏｎ  ｒｅｆｅｒｅｎｃｅ  ｓｉｇｎａｌ，ＤＭＲＳ）アンテナ・ポート・グループ、ＤＭＲＳアンテナ・ポート、及びＱＣＬ指標のうちの少なくとも１つを含む。
【０２５１】
準静的な設定は、メディア・アクセス制御（Ｍｅｄｉｕｍ  Ａｃｃｅｓｓ  Ｃｏｎｔｒｏｌ，ＭＡＣ）シグナリング又は無線リソース制御（ｒａｄｉｏ  ｒｅｓｏｕｒｃｅ  ｃｏｎｔｒｏｌ，  ＲＲＣ）シグナリング等の上位レイヤ・シグナリングを利用することにより、復調リファレンス信号（ｄｅｍｏｄｕｌａｔｉｏｎ  ｒｅｆｅｒｅｎｃｅ  ｓｉｇｎａｌ，ＤＭＲＳ）アンテナ・ポート・グループ及びＱＣＬ指標などのＱＣＬ設定パラメータに関して実行されることが可能である。更に、各ＴＲＰのＱＣＬパラメータ設定は事前に設計され、伝送遅延を減らすためにデータ・スクランブリングは事前に実行されることが可能である。
【０２５２】
ＤＭＲＳアンテナ・ポート及びＱＣＬ指標などのＱＣＬ設定パラメータは、ダウンリンク制御情報（ｄｏｗｎｌｉｎｋ  ｃｏｎｔｒｏｌ  ｉｎｆｏｒｍａｔｉｏｎ，ＤＣＩ）等の物理レイヤ・シグナリングを利用することにより更に通知されることが可能である。ＴＲＰ又は端末は、物理レイヤ・シグナリングによって示されるＱＣＬ設定パラメータに従ってＤＭＲＳアンテナ・ポートを決定することができ、ＤＭＲＳアンテナ・ポートをグループ化することができ、各ＤＭＲＳアンテナ・ポート・グループは、１つのＴＲＰによる送信に使用されることが可能である。物理レイヤ・シグナリング（ＤＣＩ等）におけるＱＣＬ指標に従って、異なるＴＲＰが異なるパラメータ設定を使用することが決定され得る。信号スクランブリングのためのＱＣＬ設定パラメータを使用することは、干渉ランダム化を実現することができる
【０２５３】
オプションとして、ＱＣＬ指標は、ＱＣＬ設定識別子又はＱＣＬ設定パラメータ・セットであってもよい。
【０２５４】
例えば、ＱＣＬ設定パラメータの４つのグループは、ＲＲＣにより設定され、それぞれ「パラメータ・セット１」、「パラメータ・セット２」、「パラメータ・セット３」、及び「パラメータ・セット４」である。ＴＲＰ又は端末が、現在ＴＲＰで使用されている送信アンテナで使用されているＱＣＬ設定パラメータは「パラメータ・セット１」であると判断する。この場合、ＴＲＰ又は端末は、現在のＱＣＬ設定パラメータ「パラメータ・セット１」に基づいて信号をスクランブルすることが可能である。
【０２５５】
オプションとして、ＱＣＬ設定パラメータは、上位レイヤ・シグナリング（例えば、ＲＲＣシグナリング又はＭＡＣシグナリング）又は物理レイヤ信号（例えば、ＤＣＩ）を使用することにより通知されてもよいし、あるいは暗黙のうちに決定されてもよい。これは本願で具体的には限定されない。
【０２５６】
具体的には、例えば、ＱＣＬ設定パラメータは、ＣＯＲＥＳＥＴ設定又は候補又はＤＣＩによって占有されるＣＣＥに従って決定されてもよい。
【０２５７】
例えば、デフォルトでは、基地局１のＱＣＬ設定パラメータは０であるとすることが可能であり、基地局２のＱＣＬ設定パラメータは１であるとすることが可能である。基地局１は、ＣＯＲＥＳＥＴ識別子１の時間−周波数リソースを使用してＤＣＩを送信することができ、基地局２は、ＣＯＲＥＳＥＴ識別子２の時間−周波数リソースを使用してＤＣＩを送信することができる。ＵＥがＣＯＲＥＳＥＴ識別子１の時間−周波数リソースでＤＣＩを検出した場合、ＤＣＩによりスケジューリングされたデータは、ＱＣＬ設定パラメータ０を利用してスクランブルされることが可能であり；ＵＥがＣＯＲＥＳＥＴ識別子２の時間−周波数リソースでＤＣＩを検出した場合、ＤＣＩによりスケジューリングされたデータは、ＱＣＬ設定パラメータ１を利用してスクランブルされることが可能である。
【０２５８】
例えば、基地局１が候補１ないし４を用いてＤＣＩを送信し、基地局２が候補５ないし８を用いてＤＣＩを送信する場合において、ＵＥが候補１ないし４の時間−周波数リソースでＤＣＩを検出した場合、ＤＣＩによりスケジューリングされたデータは、ＱＣＬ設定パラメータ０を用いてスクランブルされることが可能であり；ＵＥが候補５ないし８の時間−周波数リソースでＤＣＩを検出した場合、ＤＣＩによりスケジューリングされたデータは、ＱＣＬ設定パラメータ１を用いてスクランブルされることが可能である。
【０２５９】
例えば、基地局１がＣＣＥ１ないし１０を用いてＤＣＩを送信し、基地局２がＣＣＥ１１ないし２０を用いてＤＣＩを送信する場合において、ＵＥがＣＣＥ１ないし１０の時間−周波数リソースでＤＣＩを検出した場合、ＤＣＩによりスケジューリングされたデータはＱＣＬ設定パラメータ０を用いてスクランブルされることが可能であり；ＵＥがＣＣＥ１１ないし２０の時間−周波数リソースでＤＣＩを検出した場合、ＤＣＩによりスケジューリングされたデータはＱＣＬ設定パラメータ１を用いてスクランブルされることが可能である。
【０２６０】
本願の実施形態では、ＰＵＳＣＨデータ・チャネルをスクランブルするために使用されるスクランブリング・シーケンスの初期値を生成するプロセスが、説明のための具体例として依然として使用される。
【０２６１】
ネットワーク・デバイスは、端末の現在の無線ネットワーク一時識別子（ｒａｄｉｏ  ｎｅｔｗｏｒｋ  ｔｅｍｐｏｒａｒｙ  ｉｄｅｎｔｉｆｉｅｒ，ＲＮＴＩ）番号又は他の端末識別子、コードワード番号、無線フレーム内のスロット番号（ｎμｓ，ｆ）、及びＱＣＬ設定パラメータに基づいて、ＰＵＳＣＨデータ・チャネルをスクランブルするために使用されるスクランブリング・シーケンスの初期値を決定することができる。例えば、スクランブリング・シーケンスの初期値を決定するための初期化数式は、次式であってもよい：
【数３４】
0006959434.tif 000080
ここで、ｎＲＮＴＩはＲＮＴＩ番号を示し、端末を識別するために使用されることが可能であり、即ち、端末識別子として理解されることが可能であり、    ｑはコードワード番号を表し、ｎμｓ，ｆは無線フレーム内のスロット番号を表し、ＮｃｅｌｌＩＤはＱＣＬ設定パラメータを示し、パラメータｔ、ｙ、及びｘは正の整数であり；具体的には、ｘの値は、設定されることが可能なＱＣＬ設定パラメータの最大量に関連する。
【０２６２】
本願の実施形態における時間単位番号及びＱＣＬ設定パラメータに基づいてスクランブリング・シーケンスの初期値を決定する実装は、データ・チャネルのスクランブリングに適用されるだけでなく、他のチャネル又は信号のスクランブリングにも適用され、例えば、リファレンス信号、制御チャネル、報知信号、及び端末固有信号のような他の信号のスクランブリングにも適用されることが可能である。
【０２６３】
ＰＵＳＣＨデータ・チャネルをスクランブルするために使用されるスクランブリング・シーケンスの初期値を決定するための初期化数式と同様な方法に基づいて、他のチャネル又は信号に対するスクランブリング・シーケンスの初期値を決定するための初期化数式は、表４６に示すことが可能である。
表４６
【表４６】
0006959434.tif 000081
【０２６４】
本願の実施形態３では、５Ｇ  ＮＲでセル識別子が存在しないアプリケーション・シナリオにおいて、セル識別子ＮｃｅｌｌＩＤは、種々のチャネル又は信号をスクランブルするためのスクランブリング・シーケンスの初期値を決定するために初期化数式から除外されることが可能である。具体的な初期化数式は本願で更に網羅的には列挙されない。
【０２６５】
本願の実施形態３は、時間単位番号が無線フレーム内のスロット番号を含んでいる具体例を使用することによって説明されているに過ぎない；しかしながら、実施形態はこれらに限定されない。時間単位番号はまた、無線フレーム内のスロット番号、無線フレーム内のサブフレーム番号、サブフレーム内のスロット番号、及びスロット内のＯＦＤＭシンボル番号の任意の組み合わせにおける他の時間単位番号であってもよい。他の時間単位番号の実装プロセスは同様であり、本願で更には説明されない。
【０２６６】
本願の実施形態３により提供される信号スクランブリングの実装において、異なるＱＣＬ設定パラメータ及び異なる時間単位番号に基づいて、スクランブリング・シーケンスの初期値が決定され、スクランブリング・シーケンスの初期値に基づいて生成されたスクランブリング・シーケンスを使用することにより、信号はスクランブルされる。ＱＣＬ設定パラメータが、上位レイヤ・シグナリングを使用することにより準静的に設定される場合、各ＴＲＰにより使用されるパラメータが指定され、ＴＲＰは、ＱＣＬ設定パラメータを使用することによりスクランブリングを実行する。従って、あらかじめ信号スクランブリングの処理を行うことができ、伝送遅延は削減される。同じＴＲＰ又は異なるＴＲＰの異なるビーム／プリコーディング／アンテナ・ポートにより同じ端末に送信されるスクランブリング信号に使用されるスクランブリング・シーケンスは相違する。従って、干渉ランダム化が実現され、パフォーマンスが改善される。
【０２６７】
実施形態４：ＢＷＰ設定パラメータに基づいてスクランブリング・シーケンスの初期値を決定する。
【０２６８】
本願の実施形態では、信号又はチャネルに対するスクランブリング・シーケンスの初期値は、ＢＷＰ設定パラメータに基づいて決定されてもよい。
【０２６９】
オプションとして、スクランブリング・シーケンスの初期値は、時間単位番号及びＢＷＰ設定パラメータに基づいて決定されてもよい。
【０２７０】
周波数ドメイン・リソース割り当ての場合、ＢＷＰ設定は端末固有であってもよい。複数のＢＷＰが端末に設定され、異なるＢＷＰが異なるフレーム構造パラメータを使用してもよい。異なるＢＷＰ設定パラメータを使用することにより、異なるＢＷＰが設定されてもよいことを考慮して、信号を送信するための時間単位番号及びＢＷＰ設定パラメータは、スクランブリング・シーケンスの初期値を決定するために使用されることが可能であり、その結果、異なるＢＷＰに対して干渉ランダム化が実現される。
【０２７１】
更に、オプションとして、スクランブリング・シーケンスの初期値はまた、別の変数を参照して決定されてもよい。これは本願で具体的には限定されない。
【０２７２】
ＢＷＰ設定パラメータは、設定されたＢＷＰのＢＷＰ設定パラメータ、アクティベートされたＢＷＰのＢＷＰ設定パラメータ、信号のＢＷＰのＢＷＰ設定パラメータ、データ・チャネルのＢＷＰのＢＷＰ設定パラメータ、及び制御チャネルのＢＷＰのＢＷＰ設定パラメータのうちの少なくとも１つを含むことができる。
【０２７３】
ＢＷＰ設定パラメータは、スクランブリングのための、ＢＷＰ設定識別子、ＢＷＰ設定セット、及びＢＷＰ設定パラメータの少なくとも１つであってもよい。
【０２７４】
ＢＷＰ設定識別子はＢＷＰの識別子又はインデックスであってもよい。
【０２７５】
ＢＷＰ設定セットは、ＢＷＰ設定パラメータ・セット番号であってもよい。
【０２７６】
ＢＷＰ設定パラメータは、ＢＷＰ設定における特定のパラメータ、例えばＢＷＰ設定における時間−周波数リソース又はフレーム構造情報であってもよいし、例えば周波数ドメイン・リソース・ブロック（ｒｅｓｏｕｒｃｅ  ｂｌｏｃｋ）番号のような例えば周波数ドメイン・リソース表示、又は例えばシンボル番号のような時間ドメイン・リソース指標を含んでもよい。
【０２７７】
例えば、複数のＢＷＰは、上位レイヤ・シグナリング又は物理レイヤ・シグナリングを用いて設定され、１つ以上のＢＷＰは、上位レイヤ・シグナリング又は物理レイヤ・シグナリングを用いてアクティベートされる。スクランブリングのためのＢＷＰ設定パラメータは、アクティベートされたＢＷＰのＢＷＰ設定パラメータであってもよい。
【０２７８】
例えば、スケジューリングされたデータの位置は、制御チャネルを用いて示され、制御チャネルのＢＷＰがＢＷＰ１に設定され、制御チャネルにより示される／スケジューリングされたデータのＢＷＰがＢＷＰ２に設定される。スクランブリングのためのＢＷＰ設定パラメータは、設定されたＢＷＰ２のＢＷＰ設定パラメータであってもよい。
【０２７９】
例えば、複数のＢＷＰは、上位レイヤ・シグナリング又は物理レイヤ・シグナリングを用いて設定され、１つ以上のＢＷＰは、上位レイヤ・シグナリング又は物理レイヤ・シグナリングを用いてアクティベートされる。スクランブリングのためのＢＷＰ設定パラメータは、データ・チャネルのＢＷＰのＢＷＰ設定パラメータであってもよい。
【０２８０】
例えば、スケジューリングされたデータの位置は、制御チャネルを用いて示され、制御チャネルのＢＷＰがＢＷＰ１に設定され、制御チャネルにより示さえる／スケジューリングされたデータのＢＷＰがＢＷＰ２に設定される。スクランブリングのためのＢＷＰ設定パラメータは、制御チャネルのＢＷＰのＢＷＰ設定パラメータであってもよい。
【０２８１】
本願の実施形態では、信号又はチャネルに対するスクランブリング・シーケンスの初期値は、ＢＷＰ設定パラメータに基づいて決定されてもよい。
【０２８２】
更に、オプションとして、スクランブリング・シーケンスの初期値は、他の変数を参照して決定されてもよい。これは本願で具体的には限定されない。
【０２８３】
本願の実施例では、ＰＵＳＣＨデータ・チャネルをスクランブルするために使用されるスクランブリング・シーケンスの初期値を生成するプロセスが、説明のための具体例として依然として使用される。
【０２８４】
具体例１：データ・チャネルの時間単位番号及びＢＷＰ設定パラメータに基づいて、スクランブリング・シーケンスの初期値を決定する。
【０２８５】
本願の実施形態では、信号又はチャネルに対するスクランブリング・シーケンスの初期値は、データ・チャネルのＢＷＰ設定パラメータに基づいて決定されることが可能である。
【０２８６】
更に、オプションとして、スクランブリング・シーケンスの初期値は、他の変数を参照して決定されてもよい。これは本願で具体的には限定されない。
【０２８７】
本願の実施形態において、ネットワーク・デバイスは、端末の現在のＲＮＴＩ番号、コードワード番号、無線フレーム内のスロット番号（ｎμｓ，ｆ）、及びＢＷＰ設定パラメータに基づいて、ＰＵＳＣＨデータ・チャネルをスクランブルするために使用されるスクランブリング・シーケンスの初期値を決定することができる。例えば、スクランブリング・シーケンスの初期値を決定するための初期化数式は、次式であってもよい：
【数３５】
0006959434.tif 000082
ここで、ｎＲＮＴＩはＲＮＴＩ番号を示し、端末を識別するために使用されることが可能であり、即ち、端末識別子として理解されることが可能であり、    ｑはコードワード番号を表し、ｎμｓ，ｆは無線フレーム内のスロット番号を表し、ＮＢＷＰＩＤはデータ・チャネルのＢＷＰ設定パラメータを示し、係数パラメータｔ、ｙ、及びｘは正の整数である。
【０２８８】
ｘの値は、ＢＷＰ設定パラメータの最大数に応じて決定されてもよい。例えば、ＢＷＰ設定パラメータの最大数が２である場合、量子化のために１つのバイナリ・ビットが必要とされる。この場合、ｘの値は１に設定されることが可能である。例えば、ＢＷＰ設定パラメータの最大数が４である場合、量子化のために２つのバイナリ・ビットが必要とされる。この場合、ｘの値は２に設定されることが可能である。
【０２８９】
本願の実施形態では、データ・チャネルのＢＷＰ設定パラメータは、スクランブリングのために、ＢＷＰ設定識別子、ＢＷＰ設定セット、及びデータ・チャネルのＢＷＰ設定パラメータのうちの少なくとも１つであってもよい。
【０２９０】
ＢＷＰ設定識別子は、ＢＷＰの識別子又はインデックスであってもよい。
【０２９１】
ＢＷＰ設定セットは、ＢＷＰ設定パラメータ・セット番号であってもよい。
【０２９２】
ＢＷＰ設定パラメータは、ＢＷＰ設定における特定のパラメータ、例えばＢＷＰ設定における時間−周波数リソース又はフレーム構造情報であってもよい。
【０２９３】
例えば、複数のＢＷＰは、上位レイヤ・シグナリング又は物理レイヤ・シグナリングを用いて設定され、次いで上位レイヤ・シグナリング又は物理レイヤ・シグナリングを用いて１つ以上のＢＷＰがアクティベートされる。スクランブリングのためのＢＷＰ設定パラメータは、活性化されたＢＷＰのＢＷＰ設定パラメータであってもよい。
【０２９４】
例えば、スケジューリングされたデータの位置は、制御チャネルを用いて示され、制御チャネルのＢＷＰがＢＷＰ１に設定され、制御チャネルにより示される／スケジューリングされたデータのＢＷＰがＢＷＰ２に設定される。スクランブリングのためのＢＷＰ設定パラメータは、設定されたＢＷＰ２のＢＷＰ設定パラメータであってもよい。
【０２９５】
例えば、複数のＢＷＰは、上位レイヤ・シグナリング又は物理レイヤ・シグナリングを用いて設定され、次いで上位レイヤ・シグナリング又は物理レイヤ・シグナリングを用いて１つ以上のＢＷＰがアクティベートされる。スクランブリングのためのＢＷＰ設定パラメータは、データ・チャネルのＢＷＰのＢＷＰ設定パラメータであってもよい。
【０２９６】
例えば、スケジューリングされたデータの位置は、制御チャネルを用いて示され、制御チャネルのＢＷＰがＢＷＰ１に設定され、制御チャネルにより示される／スケジューリングされたデータのＢＷＰがＢＷＰ２に設定される。スクランブルのためのＢＷＰ設定パラメータは、制御チャネルのＢＷＰのＢＷＰ設定パラメータであってもよい。
【０２９７】
本願の実施形態におけるデータ・チャネルの時間単位番号及びＢＷＰ設定パラメータに基づいてスクランブリング・シーケンスの初期値を決定する実装は、データ・チャネルのスクランブリングに適用されるだけでなく、他のチャネル又は信号のスクランブルにも適用され、例えば、リファレンス信号、制御チャネル、報知信号、及び端末固有信号のような他の信号のスクランブリングにも更に適用され得る。
【０２９８】
ＰＵＳＣＨデータ・チャネルをスクランブルするために使用されるスクランブリング・シーケンスの初期値を決定する初期化数式と同様の方法に基づいて、他のチャネル又は信号に対するスクランブリング・シーケンスの初期値を決定する初期化数式は、表４７に示すことが可能である。
表４７
【表４７】
0006959434.tif 000083
【０２９９】
具体例２：制御チャネルの時間単位番号及びＢＷＰ設定パラメータに基づいて、スクランブリング・シーケンスの初期値を決定する。
【０３００】
本願の実施形態では、信号又はチャネルに対するスクランブリング・シーケンスの初期値は、制御チャネルのＢＷＰ設定パラメータに従って決定されることが可能である。
【０３０１】
更に、オプションとして、スクランブリング・シーケンスの初期値は、他の変数を参照して決定されてもよい。これは本願で具体的には限定されない。
【０３０２】
本願の実施形態では、ネットワーク・デバイスは、端末により検出されたＤＣＩのＢＷＰのＢＷＰ設定パラメータ及び時間単位番号に基づいて、スクランブリング・シーケンスの初期値を決定することができる。
【０３０３】
具体的には、ネットワーク・デバイスが、端末により検出された制御チャネルのＢＷＰのＢＷＰ設定パラメータ及び時間単位番号に基づいて、スクランブリング・シーケンスの初期値を決定する実装プロセスは、以下の実装のうちの少なくとも１つを含むことができる：
【０３０４】
第１実装：ネットワーク・デバイスは、端末により検出されたＤＣＩのＢＷＰのＢＷＰ設定セット又はＢＷＰ設定識別子及び時間単位番号に基づいて、スクランブリング・シーケンスの初期値を決定する。
【０３０５】
例えば、スクランブリング・シーケンスの初期値を決定するための初期化数式は、以下の数式であってもよい：
【数３６】
0006959434.tif 000084
ここで、ｎＲＮＴＩはＲＮＴＩ番号を示し、端末を識別するために使用されることが可能であり、即ち、端末識別子として理解されることが可能であり、    ｑはコードワード番号を表し、ｎμｓ，ｆは無線フレーム内のスロット番号を表し、ＮＢＷＰＩＤは、端末により検出されるＤＣＩのＢＷＰのＢＷＰ設定セットまたはＢＷＰ設定識別子を示し、パラメータｔ、ｙ、及びｘは正の整数である。
【０３０６】
例えば、端末が、ＢＷＰ設定識別子１に対応する時間−周波数リソースでＤＣＩを検出する。この場合、ＮＢＷＰＩＤは、ＢＷＰ設定識別子１、即ちＮＢＷＰＩＤ＝１として理解されることが可能である。
【０３０７】
オプションとして、ｘの値は、ＢＷＰ設定パラメータの最大数に応じて決定されることが可能である。例えば、ＢＷＰ設定パラメータの最大数が２である場合、量子化のために１つのバイナリ・ビットが必要とされる。この場合、ｘの値は１に設定されることが可能である。例えば、ＢＷＰ設定パラメータの最大数が４である場合、量子化のために２つのバイナリ・ビットが必要とされる。この場合、ｘの値は２に設定されることが可能である。
【０３０８】
端末により検出されたＤＣＩのＢＷＰのＢＷＰ設定識別子／ＢＷＰ設定セット及び時間単位番号に基づいて、各チャネル又は信号に対してスクランブリング・シーケンスの初期値を、ネットワーク・デバイスにより決定する初期化数式は、表４７に示されるものと同じであってもよく、相違は、ＮＢＷＰＩＤの意味が異なるという点においてのみ存在する。従って、類似点は本願で更には説明されない。
【０３０９】
第２実装：ネットワーク・デバイスが、ＢＷＰ設定パラメータにおけるＲＢ番号及び時間単位番号に基づいて、スクランブリング・シーケンスの初期値を決定する。
【０３１０】
本願の実施形態では、信号又はチャネルに対するスクランブリング・シーケンスの初期値は、ＢＷＰ設定パラメータのＲＢ番号に応じて決定されてもよい。
【０３１１】
更に、オプションとして、スクランブリング・シーケンスの初期値は、他の変数を参照して決定されてもよい。これは本願で具体的には限定されない。
【０３１２】
例えば、スクランブリング・シーケンスの初期値を決定する初期化数式は、次式であってもよい：
【数３７】
0006959434.tif 000085
ここで、ｎＲＮＴＩはＲＮＴＩ番号を示し、端末を識別するために使用されることが可能であり、即ち、端末識別子として理解されることが可能であり、    ｑはコードワード番号を表し、ｎμｓ，ｆは無線フレーム内のスロット番号を表し、ＮＲＢＩＤは、ＢＷＰ設定パラメータにおけるＲＢ番号を示し、パラメータｔ、ｙ、及びｘは正の整数である。
【０３１３】
ＲＢ番号は、ＢＷＰに対応する最小ＲＢインデックス値又は最大ＲＢインデックス値等とすることができる。
【０３１４】
オプションとして、ｘの値は、ＢＷＰ設定パラメータの最大ＲＢ番号に応じて決定されてもよい。例えば、ＢＷＰ設定パラメータの最大ＲＢ番号が１００である場合、量子化には７つのバイナリ・ビットが必要とされる。この場合、ｘの値は７に設定されることが可能である。例えば、ＢＷＰ設定パラメータの最大ＲＢ番号が２７５である場合、量子化には９つのバイナリ・ビットが必要とされる。この場合、ｘの値は９に設定されることが可能である。
【０３１５】
例えば、端末がＢＷＰ設定識別子１に対応する時間−周波数リソースでＤＣＩを検出した場合、ＮＲＢＩＤは、ＢＷＰ設定識別子１のＲＢ番号である。
【０３１６】
本願の実施形態において、ネットワーク・デバイスが、ＢＷＰ設定パラメータにおける時間単位番号及びＲＢ番号に基づいて、各チャネル又は信号に対するスクランブリング・シーケンスの初期値を決定するための対応する初期化式については、表４８を参照されたい。
表４８
【表４８】
0006959434.tif 000086
【０３１７】
第３実装：ネットワーク・デバイスが、ＢＷＰ設定パラメータにおける時間単位番号及びシンボル番号に基づいて、スクランブリング・シーケンスの初期値を決定する。
【０３１８】
本願の実施形態では、信号又はチャネルに対するスクランブリング・シーケンスの初期値は、ＢＷＰ設定パラメータのシンボル番号に基づいて決定されてもよい。
【０３１９】
更に、オプションとして、スクランブリング・シーケンスの初期値は、別の変数を参照して決定されてもよい。これは本願で具体的には限定されない。
【０３２０】
例えば、スクランブリング・シーケンスの初期値を決定する初期化数式は、次式であってもよい：
【数３８】
0006959434.tif 000087
ここで、ｎＲＮＴＩはＲＮＴＩ番号を示し、端末を識別するために使用されることが可能であり、即ち、端末識別子として理解されることが可能であり、    ｑはコードワード番号を表し、ｎμｓ，ｆは無線フレーム内のスロット番号を表し、ｌは端末により検出されたＤＣＩのＢＷＰに対応するシンボル番号を表し、パラメータｔ、ｙ、及びｘは正の整数である。
【０３２１】
シンボル番号は、ＢＷＰに対応する最小シンボル・インデックス値又は最大シンボル・インデックス値などとすることが可能である。
【０３２２】
オプションとして、ｘの値は、ＢＷＰ設定パラメータにおける最大シンボル番号に応じて決定されてもよい。例えば、ＢＷＰ設定パラメータにおける最大シンボル番号が１４である場合、量子化には４つのバイナリ・ビットが必要とされる。この場合、ｘの値は４に設定されることが可能である。例えば、ＢＷＰ設定パラメータにおける最大シンボル番号が７である場合、量子化には３つのバイナリ・ビットが必要とされる。この場合、ｘの値は３に設定されることが可能である。
【０３２３】
例えば、端末がＢＷＰ設定識別子／ＢＷＰ設定セット１に対応する時間−周波数リソースでＤＣＩを検出した場合、ｌは、ＢＷＰ設定識別子／ＢＷＰ設定セットにおけるシンボル番号であってもよい。
【０３２４】
本願の実施形態において、ネットワーク・デバイスが、ＢＷＰ設定パラメータの時間単位番号及びシンボル番号に基づいて、各チャネル又は信号に対するスクランブリング・シーケンスの初期値を決定するための対応する初期化数式については、表４９を参照されたい。
表４９
【表４９】
0006959434.tif 000088
【０３２５】
本願の実施形態４では、５Ｇ  ＮＲでセル識別子が存在しないアプリケーション・シナリオにおいて、セル識別子ＮｃｅｌｌＩＤは、各チャネル又は信号をスクランブルするためのスクランブリング・シーケンスの初期値を決定するための初期化数式から除外されることが可能である。具体的な初期化数式は本願で更に網羅的には列挙されない。
【０３２６】
本願の実施形態４は、時間単位番号が無線フレームにおけるスロット番号を含む具体例を用いて説明されているに過ぎないが、実施形態はこれに限定されない。時間単位番号はまた、無線フレーム内のスロット番号、無線フレーム内のサブフレーム番号、サブフレーム内のスロット番号、及びスロット内のＯＦＤＭシンボル番号の任意の組み合わせにおける他の時間単位番号であってもよい。他の時間単位番号の実装プロセスは同様であり、本願で更には説明されない。
【０３２７】
本願の実施形態４により提供される信号スクランブリングの実装において、異なるＢＷＰ設定パラメータ及び異なる時間単位番号に基づいて、スクランブリング・シーケンスの初期値が決定され、信号は、スクランブリング・シーケンスの初期値に基づいて生成されたスクランブリング・シーケンスを使用してスクランブルされる。ＢＷＰ設定パラメータが、上位レイヤ・シグナリングを用いて準静的に設定される場合、各ネットワーク・デバイス又は端末で使用されるＢＷＰパラメータは指定され、ネットワーク・デバイスは、準静的に設定されたＢＷＰ設定パラメータを用いてスクランブリングを実行する。従って、事前の信号スクランブリングの処理を行うことができ、伝送遅延を低減することができる。更に、同じネットワーク・デバイスの異なるビーム／プリコーディング／アンテナ・ポートによって、又は異なるネットワーク・デバイスによって同じ端末に送信されるスクランブリング信号に使用されるスクランブリング・シーケンスは相違する。従って、干渉ランダム化が実現され、パフォーマンスが改善される。
【０３２８】
実施形態５：制御チャネル・リソース設定パラメータに基づいて、スクランブリング・シーケンスの初期値を決定する。
【０３２９】
本願の実施形態では、信号又はチャネルに対するスクランブリング・シーケンスの初期値は、制御チャネル・リソース設定パラメータに基づいて決定されてもよい。
【０３３０】
オプションとして、スクランブリング・シーケンスの初期値は、時間単位番号及び制御チャネル・リソース設定パラメータに基づいて決定されてもよい。
【０３３１】
同一ネットワーク・デバイスの異なるビーム／プリコーディング／アンテナ・ポート、又は異なるネットワーク・デバイスは、異なる制御チャネル・リソース設定パラメータを使用することができる。従って、本願の実施形態では、スクランブリング・シーケンスの初期値は、信号を送信するための時間単位番号及び制御チャネル・リソース設定パラメータに従って決定されてもよく、その結果、干渉ランダム化が、異なる制御チャネル・リソースに対して実行される。
【０３３２】
制御チャネル・リソース設定パラメータは、周波数ドメイン位置、時間ドメイン位置、ＱＣＬ指標、及びＣＯＲＥＳＥＴ識別子のうちの少なくとも１つを含んでもよい。制御チャネル・リソース設定パラメータは、上位レイヤ・シグナリング（ＲＲＣ又はＭＡＣ）又は物理レイヤ・シグナリング（ＤＣＩ等）を使用することによって示されてもよい。
【０３３３】
更に、オプションとして、スクランブリング・シーケンスの初期値は、他の変数を参照して決定されてもよい。これは本願で具体的には限定されない。
【０３３４】
本願の実施形態では、ＰＵＳＣＨデータ・チャネルをスクランブルするために使用されるスクランブリング・シーケンスの初期値を生成するプロセスが、説明のための具体例として依然として使用される。
【０３３５】
具体例１：端末により検出されたＤＣＩが位置する制御チャネル・リソースに対応するＣＯＲＥＳＥＴ設定パラメータ／識別子及び時間単位番号に基づいて、スクランブリング・シーケンスの初期値を決定する。
【０３３６】
本願の実施形態において、ネットワーク・デバイスは、ＵＥの現在のＲＮＴＩ番号、コードワード番号、無線フレーム内のスロット番号（ｎμｓ，ｆ）、及びＣＯＲＥＳＥＴ設定パラメータ／識別子に基づいて、ＰＵＳＣＨデータ・チャネルをスクランブルするために使用されるスクランブリング・シーケンスの初期値を決定することができる。例えば、スクランブリング・シーケンスの初期値を決定するための初期化数式は、次式であってもよい：
【数３９】
0006959434.tif 000089
ここで、ｎＲＮＴＩはＲＮＴＩ番号を示し、端末を識別するために使用されることが可能であり、即ち、端末識別子として理解されることが可能であり、    ｑはコードワード番号を表し、ｎμｓ，ｆは無線フレーム内のスロット番号を表し、ＮＣＯＲＥＳＥＴＩＤは、ＣＯＲＥＳＥＴ設定パラメータ／識別子を表し、係数パラメータｔ、ｙ、及びｘは正の整数であり；具体的には、ｘの値は、設定されることが可能な制御チャネル・リソース設定パラメータの最大量に関連している。
【０３３７】
例えば、制御チャネル・リソース設定パラメータの４つのグループは、ＲＲＣによって設定される。端末がＣＯＲＥＳＥＴ識別子１に対応する時間−周波数リソースでＤＣＩを検出する場合、ＮＣＯＲＥＳＥＴＩＤはＣＯＲＥＳＥＴ識別子１である。
【０３３８】
本願の実施形態における時間単位番号及びＣＯＲＥＳＥＴ設定パラメータ／識別子に基づいて、スクランブリング・シーケンスの初期値を決定する実装は、データ・チャネルのスクランブリングに適用されるだけでなく、他のチャネル又は信号のスクランブリングにも適用され、例えば、リファレンス信号、制御チャネル、報知信号、及び端末固有信号のような他の信号のスクランブリングにも更に適用されることが可能である。
【０３３９】
ＰＵＳＣＨデータ・チャネルをスクランブルするために使用されるスクランブリング・シーケンスの初期値を決定する初期化数式と同様の方法に基づいて、他のチャネル又は信号に対するスクランブリング・シーケンスの初期値を決定する初期化数式は、表５０に示すことが可能である。
表５０
【表５０】
0006959434.tif 000090
【０３４０】
具体例２：制御チャネル・リソースに対応する時間単位番号及びＲＢ番号に基づいて、スクランブル・シーケンスの初期値を決定する。
【０３４１】
本願の実施形態では、信号又はチャネルに対するスクランブリング・シーケンスの初期値は、制御チャネル・リソースに対応するＲＢ番号に従って決定されてもよい。
【０３４２】
更に、オプションとして、スクランブリング・シーケンスの初期値は、別の変数を参照して決定されてもよい。これは本願で具体的には限定されない。
【０３４３】
例えば、スクランブリングは、スクランブル中にＣＯＲＥＳＥＴに対応するＲＢ番号に従って実行されてもよい。
【０３４４】
例えば、スクランブリング・シーケンスの初期値を決定するための初期化数式は、次式であってもよい：
【数４０】
0006959434.tif 000091
ここで、ｎＲＮＴＩはＲＮＴＩ番号を示し、端末を識別するために使用されることが可能であり、即ち、端末識別子として理解されることが可能であり、    ｑはコードワード番号を表し、ｎμｓ，ｆは無線フレーム内のスロット番号を表し、ＮＲＢＩＤは、制御チャネル・リソースに対応するＲＢ番号を表し、係数パラメータｔ、ｙ、及びｘは正の整数である。
【０３４５】
制御チャネル・リソースに対応するＲＢ番号は、制御チャネル・リソースに対応する最小ＲＢインデックス値又は最大ＲＢインデックス値などであってもよい。
【０３４６】
オプションとして、ｘの値は、制御チャネル・リソースに対応する最大ＲＢ番号に従って決定されてもよい。例えば、制御チャネル・リソースに対応する最大ＲＢ番号が１００である場合、量子化のために７つのバイナリ・ビットが必要とされる。この場合、ｘの値は７に設定することができる。例えば、制御チャネル・リソースに対応する最大ＲＢ番号が２７５である場合、量子化のために９つのバイナリ・ビットが必要とされる。この場合、ｘの値は９に設定することができる。
【０３４７】
例えば、端末がＣＯＲＥＳＥＴパラメータ・セット１に対応する時間−周波数リソースでＤＣＩを検出した場合、ＮＲＢＩＤはＣＯＲＥＳＥＴパラメータ・セット１におけるＲＢ番号である。
【０３４８】
本願の実施形態において時間単位番号及び制御チャネル・リソースに対応するＲＢ番号に基づいてスクランブル・シーケンスの初期値を決定する実装は、データ・チャネルのスクランブリングに適用されるだけでなく、他のチャネル又は信号のスクランブルにも適用され、例えば、リファレンス信号、制御チャネル、報知信号、及び端末固有信号のような他の信号のスクランブリングにも更に適用されることが可能である。
【０３４９】
ＰＵＳＣＨデータ・チャネルをスクランブルするために使用されるスクランブリング・シーケンスの初期値を決定する初期化数式と同様の方法に基づいて、他のチャネル又は信号に対するスクランブリング・シーケンスの初期値を決定する初期化数式は、表５１に示すことが可能である。
表５１
【表５１】
0006959434.tif 000092
【０３５０】
具体例３：時間単位番号と制御チャネル・リソースに対応するシンボル番号とに基づいて、スクランブリング・シーケンスの初期値を決定する。
【０３５１】
本願の実施形態では、信号又はチャネルに対するスクランブリング・シーケンスの初期値は、制御チャネル・リソースに対応するシンボル番号に基づいて決定されてもよい。
【０３５２】
更に、オプションとして、スクランブリング・シーケンスの初期値は、他の変数を参照して決定されてもよい。これは本願で具体的には限定されない。
【０３５３】
例えば、スクランブリング・シーケンスの初期値を決定するための初期化数式は、次式であってもよい：
【数４１】
0006959434.tif 000093
ここで、ｎＲＮＴＩはＲＮＴＩ番号を示し、端末を識別するために使用されることが可能であり、即ち、端末識別子として理解されることが可能であり、ｑはコードワード番号を表し、ｃｑはＣＢＧ番号を表し、ｎμｓ，ｆは無線フレーム内のスロット番号を表し、ｌは制御チャネル・リソースに対応するシンボル番号を表し、係数パラメータｔ、ｙ、及びｘは正の整数である。
【０３５４】
制御チャネル・リソースに対応するシンボル番号は、制御チャネル・リソースに対応する最小シンボル・インデックス値又は最大シンボル・インデックス値であってもよい。
【０３５５】
オプションとして、ｘの値は、制御チャネル・リソースに対応する最大シンボル番号に従って決定されてもよい。例えば、制御チャネル・リソースに対応する最大シンボル番号が１４である場合、量子化には４つのバイナリ・ビットが必要とされる。この場合、ｘの値は４に設定することができる。例えば、制御チャネル・リソースに対応する最大シンボル番号が７である場合、量子化には３つのバイナリ・ビットが必要とされる。この場合、ｘの値は３に設定することができる。
【０３５６】
本願の実施形態において時間単位番号及び制御チャネル・リソースに対応するシンボル番号に基づいてスクランブリング・シーケンスの初期値を決定する実装は、データ・チャネルのスクランブリングに適用されるだけでなく、他のチャネル又は信号のスクランブリングにも適用され、例えば、リファレンス信号、制御チャネル、報知信号、及び端末固有信号のような他の信号のスクランブリングにも更に適用されることが可能である。
【０３５７】
ＰＵＳＣＨデータ・チャネルをスクランブルするために使用されるスクランブリング・シーケンスの初期値を決定する初期化数式と同様の方法に基づいて、他のチャネル又は信号に対するスクランブリング・シーケンスの初期値を決定する初期化数式は、表５２に示すことが可能である。
表５２
【表５２】
0006959434.tif 000094
【０３５８】
本願の実施形態５は、時間単位番号が無線フレームにおけるスロット番号を含む具体例を用いて説明されているに過ぎないが、実施形態はこれらに限定されない。時間単位番号は、無線フレーム内のスロット番号、無線フレーム内のサブフレーム番号、サブフレーム内のスロット番号、及びスロット内のＯＦＤＭシンボル番号の任意の組み合わせにおける他の時間単位番号であってもよい。他の時間単位番号の実装プロセスは同様であり、本願で更には説明されない。
【０３５９】
本願の実施形態５により提供される信号スクランブリングの実装において、ネットワーク・デバイスは、制御チャネル・リソース・パラメータ／制御チャネル・リソースに対応するシンボル番号／制御チャネル・リソースに対応するＲＢ番号を用いることにより、スクランブリング・シーケンスの初期値を決定する。制御チャネル・リソース・パラメータ／制御チャネル・リソースに対応するシンボル番号／制御チャネル・リソースに対応するＲＢ番号は、上位レイヤ・シグナリングを使用することによって準静的に設定されてもよいので、事前の信号スクランブリングの処理を実施することができ、伝送遅延は低減される。更に、同じネットワーク・デバイスの異なるビーム／プリコーディング／アンテナ・ポートによって、又は異なるネットワーク・デバイスによって同じ端末に送信されるスクランブリング信号に使用されるスクランブリング・シーケンスは、相違し得る。従って、干渉ランダム化が実行され、パフォーマンスが改善される。
【０３６０】
実施形態６：端末識別子に基づいてスクランブリング・シーケンスの初期値を決定する。
【０３６１】
本願の実施形態では、信号又はチャネルに対するスクランブリング・シーケンスの初期値は、信号スクランブリングに使用される指示されたＲＮＴＩ設定識別子に対応するＲＮＴＩに従って決定されることが可能である。
【０３６２】
オプションとして、スクランブリング・シーケンスの初期値は、時間単位番号及び端末識別子に基づいて決定されることが可能である。
【０３６３】
端末がセルにアクセスした後、同じネットワーク・デバイスの異なるビーム／プリコーディング／アンテナ・ポートが端末に複数の端末識別子（例えば、ＲＮＴＩ）を割り当てるか、又は異なるネットワーク・デバイスがネットワーク・デバイスを通じて端末に複数の端末識別子（例えば、ＲＮＴＩ）を割り当てるか、又は異なるネットワーク・デバイスが端末に別々に端末識別子を割り当ててもよい。端末識別子は、同じネットワーク・デバイスの異なるビーム／プリコーディング／アンテナ・ポートからのデータ、又は異なるネットワーク・デバイスからのデータをスクランブルするために使用され、その結果、干渉ランダム化を実行することができる。
【０３６４】
ネットワーク・デバイスは、上位レイヤ・シグナリング（ＲＲＣ又はＭＡＣ）を用いて端末に少なくとも２つの端末識別子を設定し、物理レイヤ・シグナリング（ＤＣＩ等）を用いて、端末により現在使用される端末識別子を指示する。例えば、ＲＮＴＩパラメータの２つのグループがＲＲＣによって設定され、ＤＣＩの１つのビットが、現在使用されているＲＮＴＩパラメータを示すために使用される。本願の実施形態では、ネットワーク・デバイス又は端末は、現在のＲＮＴＩ設定識別子に基づいて信号をスクランブルすることができる。
【０３６５】
更に、オプションとして、スクランブリング・シーケンスの初期値は、他の変数を参照して決定されてもよい。これは本願で具体的には限定されない。
【０３６６】
本願の実施形態では、端末識別子がＲＮＴＩ設定識別子に対応するＲＮＴＩであると仮定し、ＰＵＳＣＨをスクランブルするために使用されるスクランブリング・シーケンスの初期値を生成するプロセスが、説明のための具体例として使用される。
【０３６７】
ネットワーク・デバイスは、現在端末で使用されているＲＮＴＩ設定識別子に対応するＲＮＴＩ、コードワード番号、無線フレーム内のスロット番号（ｎμｓ，ｆ）に基づいて、スクランブリング・シーケンスの初期値を決定することができる。例えば、スクランブリング・シーケンスの初期値を決定するための初期化数式は、次式であってもよい：
【数４２】
0006959434.tif 000095
ここで、ｎｉＲＮＴＩは端末により現在使用されているＲＮＴＩ設定識別子ｉに対応するＲＮＴＩを示し、ｑはコードワード番号を表し、ｎμｓ，ｆは無線フレーム内のスロット番号を表し、パラメータｔ、ｙ、ｘ及びｉは正の整数であり、ｉの値の範囲はｉ∈｛０，１｝であってもよい。具体的には、ｉの特定の値は、ネットワーク・デバイス間のネゴシエーションを通じて決定されてもよい。オプションとして、例えば、サービング基地局のｎＲＮＴＩの設定識別子は０、即ちｉ＝０であり；及び協調基地局のｎＲＮＴＩの設定識別子１、即ちｉ＝１である。
【０３６８】
オプションとして、具体的に、ｉの値の範囲は、設定されることが可能なＲＮＴＩ設定識別子の最大量に関連する。
【０３６９】
オプションとして、ＲＮＴＩ設定識別子は、上位レイヤ・シグナリング（例えば、ＲＲＣシグナリング又はＭＡＣシグナリング）又は物理レイヤ信号（例えば、ＤＣＩ）を使用することにより通知されるか、あるいは黙示的に決定されてもよい。これは本願で具体的には限定されない。
【０３７０】
具体的には、例えば、ＲＮＴＩ設定識別子は、ＣＯＲＥＳＥＴ設定又は候補、又はＤＣＩによって占有されるＣＣＥ、又はＤＣＩにおけるＱＣＬ指標に従って決定されてもよい。
【０３７１】
例えば、デフォルトで、基地局１に対応するＵＥのＲＮＴＩ設定識別子は０であってもよく、基地局２に対応するＵＥのＲＮＴＩ設定識別子は１であってもよい。基地局１は、ＣＯＲＥＳＥＴ識別子１の時間−周波数リソースを使用してＤＣＩを送信することができ、基地局２は、ＣＯＲＥＳＥＴ識別子２の時間−周波数リソースを使用してＤＣＩを送信することができる。ＵＥがＣＯＲＥＳＥＴ識別子１の時間−周波数リソースでＤＣＩを検出した場合、ＤＣＩによってスケジューリングされているデータは、ＲＮＴＩ設定識別子０を使用することによってスクランブルされることが可能であり；ＵＥがＣＯＲＥＳＥＴ識別子２の時間−周波数リソースでＤＣＩを検出した場合、ＤＣＩによってスケジューリングされているデータは、ＲＮＴＩ設定識別子１を使用することによってスクランブルされることが可能である。
【０３７２】
例えば、基地局１が候補１ないし４を用いてＤＣＩを送信し、基地局２が候補５ないし８を用いてＤＣＩを送信する場合において、ＵＥが候補１ないし４の時間−周波数リソースでＤＣＩを検出すると、ＤＣＩによってスケジューリングされているデータはＲＮＴＩ構成識別子０を用いてスクランブルすることが可能であり；ＵＥが候補５ないし８の時間−周波数リソースでＤＣＩを検出すると、ＤＣＩによってスケジューリングされているデータはＲＮＴＩ構成識別子１を用いてスクランブルすることが可能である。
【０３７３】
例えば、基地局１がＣＣＥ１ないし１０を用いてＤＣＩを送信し、基地局２がＣＣＥ１１ないし２０を用いてＤＣＩを送信する場合において、ＵＥがＣＣＥ１ないし１０の時間−周波数リソースでＤＣＩを検出すると、ＤＣＩによってスケジューリングされているデータはＲＮＴＩ構成識別子０を用いてスクランブルすることが可能であり；ＵＥがＣＣＥ１１ないし２０の時間−周波数リソースでＤＣＩを検出すると、ＤＣＩによってスケジューリングされているデータはＲＮＴＩ構成識別子１を用いてスクランブルすることが可能である。
【０３７４】
例えば、基地局１がＱＣＬ設定１を用いてＤＣＩを送信し、基地局２がＱＣＬ設定２を用いてＤＣＩを送信する場合において、ＵＥにより受信されたＤＣＩにおけるＱＣＬ設定がＱＣＬ設定１である場合、ＤＣＩによってスケジューリングされているデータはＲＮＴＩ構成識別子０を用いてスクランブルすることが可能であり；ＵＥにより受信されたＤＣＩにおけるＱＣＬ設定がＱＣＬ設定２である場合、ＤＣＩによってスケジューリングされているデータはＲＮＴＩ構成識別子１を用いてスクランブルすることが可能である。
【０３７５】
本願の実施形態において時間単位番号及びＲＮＴＩ設定識別子に対応するＲＮＴＩに基づいてスクランブリング・シーケンスの初期値を決定する実装は、データ・チャネルのスクランブルに適用されるだけでなく、他のチャネル又は信号のスクランブルにも適用され、例えば、リファレンス信号、制御チャネル、報知信号、及び端末固有信号のような他の信号のスクランブルにも更に適用されることが可能である。
【０３７６】
ＰＵＳＣＨデータ・チャネルをスクランブルするために使用されるスクランブリング・シーケンスの初期値を決定するための初期化数式と同様の方法に基づいて、他のチャネル又は信号に対するスクランブリング・シーケンスの初期値を決定するための初期化数式は、表５３に示すことが可能である。
表５３
【表５３】
0006959434.tif 000096
【０３７７】
本願の実施態様６は、端末識別子が、現在端末で使用されているＲＮＴＩ設定識別子である具体例を用いて説明されているに過ぎないが、実施形態はこれらに限定されない。端末識別子はまた、端末を区別するために使用することが可能な他の識別子、例えば一時的な加入者識別子、又はユーザーの携帯電話カード識別子であってもよい。
【０３７８】
本願の実施形態６は、時間単位番号が無線フレーム内のスロット番号を含む具体例を用いて説明されているに過ぎないが、実施形態はこれに限定されない。時間単位番号はまた、無線フレーム内のスロット番号、無線フレーム内のサブフレーム番号、サブフレーム内のスロット番号、及びスロット内のＯＦＤＭシンボル番号の任意の組み合わせにおける他の時間単位番号であってもよい。他の時間単位番号の実装プロセスは同様であり、本願で更には説明されない。
【０３７９】
本願の実施形態６により提供される信号スクランブリングの実装において、ネットワーク・デバイスは、時間単位番号及び端末識別子を用いることにより、スクランブリング・シーケンスの初期値を決定する。端末識別子は、上位レイヤ・シグナリングを使用することによって準静的に設定され得るので、事前の信号スクランブリングの処理を実行することができ、伝送遅延は低減する。更に、同一のネットワーク・デバイス又は異なるネットワーク・デバイスの異なるビーム／プリコーディング／アンテナ・ポートは、異なる端末識別子を使用するので、同一のネットワーク・デバイス又は異なるネットワーク・デバイスの異なるビーム／プリコーディング／アンテナ・ポートによって同一の端末に送信されるスクランブリング信号に使用されるスクランブリング・シーケンスは相違し得る。従って、干渉ランダムが実行され、パフォーマンスが改善される。
【０３８０】
更に、スクランブリング・シーケンスの初期値は、本願の実施形態６における端末識別子に基づいて決定され、その結果、スクランブリング初期化はネットワーク識別子（例えば、セル識別子、仮想セル識別子などのネットワーク識別子）と無関係であり、移動端末はより広い領域でより短い遅延を有する。
【０３８１】
実施形態７：コードワード設定パラメータに基づいてスクランブリング・シーケンスの初期値を決定する。
【０３８２】
本願の実施形態では、信号又はチャネルに対するスクランブリング・シーケンスの初期値は、コードワード設定パラメータに従って決定されてもよい。
【０３８３】
オプションとして、スクランブリング・シーケンスの初期値は、時間単位番号及びコードワード設定パラメータに基づいて決定されてもよい。
【０３８４】
同一のネットワーク・デバイスの異なるビーム／プリコーディング／アンテナ・ポートは、端末に複数のコードワード設定パラメータを割り当ててもよいし、あるいは異なるネットワーク・デバイスが、ネットワーク・デバイスを介して端末に複数のコードワード設定パラメータを割り当ててもよい。コードワード設定パラメータは、同じネットワーク・デバイスの異なるビーム／プリコーディング／アンテナ・ポートからのデータ、又は異なるネットワーク・デバイスからのデータをスクランブルするために使用され、そのため、干渉ランダム化を実行することができる。
【０３８５】
更に、オプションとして、スクランブリング・シーケンスの初期値は、別の変数を参照して決定されてもよい。これは本願で具体的には限定されない。
【０３８６】
コードワード設定パラメータは、スクランブリングに使用される他の設定済み識別子であってもよく、本願で具体的には限定されない。
【０３８７】
オプションとして、コードワード設定パラメータは、上位レイヤ・シグナリング（例えば、ＲＲＣシグナリング又はＭＡＣシグナリング）又は物理レイヤ・シグナリング（例えば、ＤＣＩ）を使用して通知されてもよいし、黙示的に決定されてもよい。これは本願で具体的には限定されない。
【０３８８】
コードワード設定パラメータは、コードワード識別子及びコードワード・グループ識別子の少なくとも１つを含んでもよい。本願の実施形態では、コードワード識別子に基づいてスクランブリング・シーケンスの初期値を決定する実装プロセスと、コードワード・グループ識別子に基づいてスクランブリング・シーケンスの初期値を決定する実装プロセスとは、別々に説明されている。
【０３８９】
本願の実施形態では、ＰＵＳＣＨデータ・チャネルをスクランブルするために使用されるスクランブリング・シーケンスの初期値を生成するプロセスが、説明のための具体例として依然として使用される。
【０３９０】
具体例１：時間単位番号及びコードワード識別子に基づいてスクランブリング・シーケンスの初期値を決定する。
【０３９１】
本願の実施形態では、信号又はチャネルに対するスクランブリング・シーケンスの初期値は、コードワード識別子に従って決定されることが可能である。
【０３９２】
更に、オプションとして、スクランブリング・シーケンスの初期値は、他の変数を参照して決定されてもよい。これは本願で具体的には限定されない。
【０３９３】
本願の実施形態では、ネットワーク・デバイスは、現在端末で使用されているＲＮＴＩ設定識別子、コードワード識別子、及び無線フレーム内のスロット番号（ｎμｓ，ｆ）に基づいて、スクランブリング・シーケンスの初期値を決定することができる。
【０３９４】
例えば、コーディネーション中に、複数のＰＤＣＣＨを用いてスケジューリングが実行される場合、現在使用されているコードワード識別子がＤＣＩで示されてもよい。例えば、コードワード識別子の最大量が２である場合、指定するために１ビットが使用されてもよく；あるいはコードワード識別子の最大量が４である場合、指定するために２ビットが使用されてもよい。
【０３９５】
例えば、コーディネーション中に、コードワード識別子は、ＤＣＩに専用の時間−周波数リソースに従って決定されてもよく、ＤＣＩによってスケジューリングされたデータのスクランブリング・シーケンスが決定される。
【０３９６】
具体的には、例えば、コードワード識別子は、ＣＯＲＥＳＥＴ設定又は候補、又はＤＣＩにより占有されるＣＣＥ、又はＤＣＩ内のＱＣＬ指標に従って決定されてもよい。
【０３９７】
例えば、デフォルトで、基地局１のコードワード識別子は０であってもよく、基地局２のコードワード識別子は１であってもよい。基地局１は、ＣＯＲＥＳＥＴ識別子１の時間−周波数リソースを使用してＤＣＩを送信することができ、基地局２は、ＣＯＲＥＳＥＴ識別子２の時間−周波数リソースを使用してＤＣＩを送信することができる。ＵＥがＣＯＲＥＳＥＴ識別子１の時間−周波数リソースでＤＣＩを検出した場合、ＤＣＩによってスケジューリングされているデータは、コードワード識別子０を使用することによってスクランブルされることが可能であり；ＵＥがＣＯＲＥＳＥＴ識別子２の時間−周波数リソースでＤＣＩを検出した場合、ＤＣＩによってスケジューリングされているデータは、コードワード識別子１を使用することによってスクランブルされることが可能である。
【０３９８】
例えば、基地局１が候補１ないし４を用いてＤＣＩを送信し、基地局２が候補５ないし８を用いてＤＣＩを送信する場合において、ＵＥが候補１ないし４の時間−周波数リソースでＤＣＩを検出すると、ＤＣＩによってスケジューリングされているデータはコードワード識別子０を用いてスクランブルすることが可能であり；ＵＥが候補５ないし８の時間−周波数リソースでＤＣＩを検出すると、ＤＣＩによってスケジューリングされているデータはコードワード識別子１を用いてスクランブルすることが可能である。
【０３９９】
例えば、基地局１がＣＣＥ１ないし１０を用いてＤＣＩを送信し、基地局２がＣＣＥ１１ないし２０を用いてＤＣＩを送信する場合において、ＵＥがＣＣＥ１ないし１０の時間−周波数リソースでＤＣＩを検出すると、ＤＣＩによってスケジューリングされているデータはコードワード識別子０を用いてスクランブルすることが可能であり；ＵＥがＣＣＥ１１ないし２０の時間−周波数リソースでＤＣＩを検出すると、ＤＣＩによってスケジューリングされているデータはコードワード識別子１を用いてスクランブルすることが可能である。
【０４００】
例えば、基地局１がＱＣＬ設定１を用いてＤＣＩを送信し、基地局２がＱＣＬ設定２を用いてＤＣＩを送信する場合において、ＵＥにより受信されたＤＣＩにおけるＱＣＬ設定がＱＣＬ設定１である場合、ＤＣＩによってスケジューリングされているデータはコードワード識別子０を用いてスクランブルすることが可能であり；ＵＥにより受信されたＤＣＩにおけるＱＣＬ設定がＱＣＬ設定２である場合、ＤＣＩによってスケジューリングされているデータはコードワード識別子１を用いてスクランブルすることが可能である。
【０４０１】
この場合、端末は現在のコードワード識別子に基づいてスクランブリング・シーケンスの初期値を決定することができる。例えば、スクランブリング・シーケンスの初期値を決定するための初期化数式は、次式であってもよい：
【数４３】
0006959434.tif 000097
ここで、ｎＲＮＴＩはＲＮＴＩ番号を示し、端末を識別するために使用されることが可能であり、即ち、端末識別子として理解されることが可能であり、ＮＩＤｃｗはコードワード識別子を表し、ｎμｓ，ｆは無線フレーム内のスロット番号を表し、パラメータｔ、ｙ、及びｘは正の整数である。
【０４０２】
本願の実施形態における係数パラメータｔ及びｘの値を決定する具体的な方法は、前述の実施形態における係数パラメータを決定するプロセスに類似しており、係数パラメータを決定する前述のプロセスに適用することができる。
【０４０３】
以下の３つの方法を含むことが可能である：スクランブリング・シーケンスの初期値を決定する数式における係数パラメータの値は、サブキャリア間隔設定パラメータμ及びスロット・フォーマットに応じて決定されてもよいし；スクランブリング・シーケンスの初期値を決定する数式における係数パラメータの値は、サブキャリア間隔設定パラメータμに応じて決定されてもよいし；及びスクランブリング・シーケンスの初期値を決定する数式における係数パラメータの値は、最大の時間単位数に応じて決定されてもよい。
【０４０４】
オプションとして、ｔの値はコードワード識別子の最大数に応じて決定されてもよい。
【０４０５】
例えば、ｎμｓ，ｆが２０個の値を有する場合、ｎμｓ，ｆの２０個の値を示すために５つのバイナリ・ビットが使用され得る。この場合、ｘの値は５に設定されることが可能であり、これは、干渉ランダム化が５つのバイナリ・ビットを使用して実行されることを表す。例えば、コードワード識別子の最大数が２である場合、干渉ランダム化は、１つのバイナリ・ビットを使用することによって実行され得る。この場合、ｔ＝ｘ＋１＝５＋１＝６である。例えば、コードワード識別子の最大数が４である場合、干渉ランダム化は、２つのバイナリ・ビットを使用することによって実行され得る。この場合、ｔ＝ｘ＋２＝５＋２＝７である。
【０４０６】
具体的に、ＮＩＤｃｗの値の範囲は、１つ以上のネットワーク・デバイスにより送信されることが可能なコードワードの最大数、又は端末により受信されることが可能なコードワードの最大数に応じて決定されることが可能である。
【０４０７】
オプションとして、ネットワーク・デバイスが最大１つのコードワードを送信できる場合、２つの基地局の協調を考慮して、ＮＩＤｃｗの値の範囲は、ＮＩＤｃｗ∈｛０，１｝であり；ネットワーク・デバイスが最大２つのコードワードを送信できる場合、２つの基地局の協調を考慮して、ＮＩＤｃｗの値の範囲は、ＮＩＤｃｗ∈｛０，１，２，３｝である。具体的には、ＮＩＤｃｗの具体的な値は、ネットワーク・デバイス間のネゴシエーションにより決定されることが可能である。例えば、各ネットワーク・デバイスが最大１つのコードワードを送信できる場合、サービング基地局のＮＩＤｃｗは０に設定され、協調する基地局のＮＩＤｃｗは１に設定されてもよい。
【０４０８】
本願の実施形態において時間単位番号及びコードワード識別子に基づいてスクランブリング・シーケンスの初期値を決定する実装は、データ・チャネルのスクランブリングに適用されるだけでなく、他のチャネル又は信号のスクランブリングにも適用され、例えば、リファレンス信号、制御チャネル、報知信号、及び端末固有信号のような他の信号のスクランブリングにも更に適用されることが可能である。
【０４０９】
ＰＵＳＣＨデータ・チャネルをスクランブルするために使用されるスクランブリング・シーケンスの初期値を決定する初期化数式と同様の方法に基づいて、様々なチャネル又は信号に対するスクランブリング・シーケンスの初期値を決定する初期化数式は、表５４に示すことが可能である。
表５４
【表５４】
0006959434.tif 000098
【０４１０】
具体例２：時間単位番号及びコードワード・グループ識別子に基づいてスクランブリング・シーケンスの初期値を決定する。
【０４１１】
本願の実施形態では、信号又はチャネルに対するスクランブリング・シーケンスの初期値は、コードワード・グループ識別子に従って決定されることが可能である。
【０４１２】
更に、オプションとして、スクランブリング・シーケンスの初期値は、他の変数を参照して決定されてもよい。これは本願で具体的には限定されない。
【０４１３】
同一のネットワーク・デバイスの異なるビーム／プリコーディング／アンテナ・ポートが、異なるコードワード・グループ及びコードワード・グループ識別子パラメータを、別々に端末に割り当ててもよいし、あるいは異なるネットワーク・デバイスが、異なるコードワード・グループ及びコードワード・グループ識別子パラメータを、ネットワーク・デバイスを介して端末に割り当ててもよい。異なるコードワード・グループ識別子パラメータは、同じネットワーク・デバイスの異なるビーム／プリコーディング／アンテナ・ポートからのデータ、又は異なるネットワーク・デバイスからのデータをスクランブルするために使用され、そのため、干渉ランダム化を実現することができる。
【０４１４】
例えば、コーディネーション中に、複数のＰＤＣＣＨを用いてスケジューリングが実行される場合、現在使用されているコードワード・グループ識別子がＤＣＩで示されてもよい。例えば、コードワード・グループ識別子の最大数が２である場合、指定するために１ビットが使用されてもよく；あるいはコードワード・グループ識別子の最大数が４である場合、指定するために２ビットが使用されてもよい。
【０４１５】
例えば、コーディネーション中に、コードワード・グループ識別子は、ＤＣＩに専用の時間−周波数リソースに従って決定されてもよく、ＤＣＩによってスケジューリングされたデータのスクランブリング・シーケンスが決定される。
【０４１６】
具体的には、例えば、コードワード・グループ識別子は、ＣＯＲＥＳＥＴ設定又は候補、又はＤＣＩにより占有されるＣＣＥ、又はＤＣＩ内のＱＣＬ指標に従って決定されてもよい。
【０４１７】
例えば、デフォルトで、基地局１のコードワード・グループ識別子は０であってもよく、基地局２のコードワード・グループ識別子は１であってもよい。基地局１は、ＣＯＲＥＳＥＴ識別子１の時間−周波数リソースを使用してＤＣＩを送信することができ、基地局２は、ＣＯＲＥＳＥＴ識別子２の時間−周波数リソースを使用してＤＣＩを送信することができる。ＵＥがＣＯＲＥＳＥＴ識別子１の時間−周波数リソースでＤＣＩを検出した場合、ＤＣＩによってスケジューリングされているデータは、コードワード・グループ識別子０を使用することによってスクランブルされることが可能であり；ＵＥがＣＯＲＥＳＥＴ識別子２の時間−周波数リソースでＤＣＩを検出した場合、ＤＣＩによってスケジューリングされているデータは、コードワード・グループ識別子１を使用することによってスクランブルされることが可能である。
【０４１８】
例えば、基地局１が候補１ないし４を用いてＤＣＩを送信し、基地局２が候補５ないし８を用いてＤＣＩを送信する場合において、ＵＥが候補１ないし４の時間−周波数リソースでＤＣＩを検出すると、ＤＣＩによってスケジューリングされているデータはコードワード・グループ識別子０を用いてスクランブルすることが可能であり；ＵＥが候補５ないし８の時間−周波数リソースでＤＣＩを検出すると、ＤＣＩによってスケジューリングされているデータはコードワード・グループ識別子１を用いてスクランブルすることが可能である。
【０４１９】
例えば、基地局１がＣＣＥ１ないし１０を用いてＤＣＩを送信し、基地局２がＣＣＥ１１ないし２０を用いてＤＣＩを送信する場合において、ＵＥがＣＣＥ１ないし１０の時間−周波数リソースでＤＣＩを検出すると、ＤＣＩによってスケジューリングされているデータはコードワード・グループ識別子０を用いてスクランブルすることが可能であり；ＵＥがＣＣＥ１１ないし２０の時間−周波数リソースでＤＣＩを検出すると、ＤＣＩによってスケジューリングされているデータはコードワード・グループ識別子１を用いてスクランブルすることが可能である。
【０４２０】
例えば、基地局１がＱＣＬ設定１を用いてＤＣＩを送信し、基地局２がＱＣＬ設定２を用いてＤＣＩを送信する場合において、ＵＥにより受信されたＤＣＩにおけるＱＣＬ設定がＱＣＬ設定１である場合、ＤＣＩによってスケジューリングされているデータはコードワード・グループ識別子０を用いてスクランブルすることが可能であり；ＵＥにより受信されたＤＣＩにおけるＱＣＬ設定がＱＣＬ設定２である場合、ＤＣＩによってスケジューリングされているデータはコードワード・グループ識別子１を用いてスクランブルすることが可能である。
【０４２１】
本願の実施形態では、ネットワーク・デバイスは、現在端末で使用されているＲＮＴＩ構成識別子、コードワード・グループ識別子、及び無線フレーム内のスロット番号（ｎμｓ，ｆ）に基づいて、スクランブリング・シーケンスの初期値を決定することができる。例えば、スクランブリング・シーケンスの初期値を決定するための初期化数式は、次式であってもよい：
【数４４】
0006959434.tif 000099
ここで、ｎＲＮＴＩはＲＮＴＩ番号を示し、端末を識別するために使用されることが可能であり、即ち、端末識別子として理解されることが可能であり、ＮＩＤｃｗ−ｇｒｏｕｐはコードワード・グループ識別子を表し、ｎμｓ，ｆは無線フレーム内のスロット番号を表し、パラメータｔ及びｘは正の整数である。
【０４２２】
本願の実施形態における係数パラメータｔ及びｘの値を決定する具体的な方法は、前述の実施形態における係数パラメータを決定するプロセスに類似しており、係数パラメータを決定する前述のプロセスに適用可能であり得る。以下の３つの方法を含むことが可能である：スクランブリング・シーケンスの初期値を決定する数式における係数パラメータの値は、サブキャリア間隔設定パラメータμ及びスロット・フォーマットに従って決定されてもよく；スクランブリング・シーケンスの初期値を決定する数式における係数パラメータの値は、サブキャリア間隔設定パラメータμに従って決定されてもよく；及びスクランブリング・シーケンスの初期値を決定する数式における係数パラメータの値は、最大の時間単位数に従って決定されてもよい。
【０４２３】
オプションとして、ｔの値は、コードワード・グループ識別子の最大数に応じて決定されてもよい。
【０４２４】
例えば、ｎμｓ，ｆが２０個の値を有する場合、ｎμｓ，ｆの２０個の値を示すために５つのバイナリ・ビットが使用され得る。この場合、ｘの値はｘ＝５に設定されることが可能であり、これは、干渉ランダム化が５つのバイナリ・ビットを使用して実行されることを表す。例えば、コードワード・グループ識別子の最大数が２である場合、干渉ランダム化は、１つのバイナリ・ビットを使用することによって実行され得る。この場合、ｔ＝ｘ＋１＝５＋１＝６である。例えば、コードワード・グループ識別子の最大数が４である場合、干渉ランダム化は、２つのバイナリ・ビットを使用することによって実行され得る。この場合、ｔ＝ｘ＋２＝５＋２＝７である。
【０４２５】
具体的に、ＮＩＤｃｗ−ｇｒｏｕｐの値の範囲は、１つ以上のネットワーク・デバイスにより送信されることが可能なコードワード・グループ識別子の最大数、又は端末により受信されることが可能なコードワード・グループ識別子の最大数に応じて決定されることが可能である。オプションとして、ネットワーク・デバイスが最大１つのコードワード・グループ識別子に対応するコードワード又はコードワード群を送信できる場合、２つの基地局の協調を考慮して、ＮＩＤｃｗ−ｇｒｏｕｐの値の範囲は、ＮＩＤｃｗ−ｇｒｏｕｐ∈｛０，１｝であり；あるいはネットワーク・デバイスが最大２つのコードワード・グループ識別子に対応するコードワードを送信できる場合、２つの基地局の協調を考慮して、ＮＩＤｃｗ−ｇｒｏｕｐの値の範囲は、ＮＩＤｃｗ−ｇｒｏｕｐ∈｛０，１，３，４｝である。具体的には、ＮＩＤｃｗ−ｇｒｏｕｐの具体的な値は、ネットワーク・デバイス間のネゴシエーションにより決定されることが可能である。例えば、各ネットワーク・デバイスが最大１つのコードワード・グループ識別子に対応するコードワード又はコードワード群を送信できる場合、サービング基地局のＮＩＤｃｗ−ｇｒｏｕｐは０に設定され、協調する基地局のＮＩＤｃｗ−ｇｒｏｕｐは１に設定されてもよい。
【０４２６】
異なるネットワーク・デバイスは、異なるコードワード・グループ識別子を端末に割り当てることができ、異なるネットワーク・デバイスからのデータに関し、異なるコードワード・グループ識別子が、スクランブリング・シーケンスの初期値を決定ために使用されることが可能である。異なるネットワーク・デバイスは、異なるコードワード・グループを区別するために、異なるコードワード識別子パラメータを使用してもよい。コードワード・グループは、ＤＣＩで示されるコードワード識別子パラメータに従って決定されることが可能であり、コードワード識別子パラメータは、コードワード識別子を示すために使用される。例えば、４つのコードワードがある場合、コードワードはグループ化されてもよい。オプションとして、グループ１はコードワード０及びコードワード１を含み、グループ２はコードワード２及びコードワード３を含む。この場合、信号は、コードワード・グループ情報及びコードワード識別子パラメータに関連してスクランブルされ、その結果、干渉ランダム化を実現することができる。
【０４２７】
別の具体例では、コードワード・グループ識別子情報がＤＣＩで示されることが可能である。例えば、ＤＣＩのビットは、端末によって現在使用されているコードワード・グループ情報を識別するために使用されてもよい。この場合、信号はコードワード・グループ情報を使用することによってスクランブルされ、その結果、干渉ランダム化を実現することができる。
【０４２８】
本願の実施形態において時間単位番号及びコードワード識別子に基づいてスクランブリング・シーケンスの初期値を決定する実装は、データ・チャネルのスクランブリングに適用されるだけでなく、他のチャネル又は信号のスクランブリングにも適用され、例えば、リファレンス信号、制御チャネル、報知信号、及び端末固有信号のような他の信号のスクランブリングにも更に適用されることが可能である。
【０４２９】
ＰＵＳＣＨデータ・チャネルをスクランブルするために使用されるスクランブリング・シーケンスの初期値を決定する初期化数式と同様の方法に基づいて、様々なチャネル又は信号に対するスクランブリング・シーケンスの初期値を決定する初期化数式は、表５５に示すことが可能である。
表５５
【表５５】
0006959434.tif 000100
【０４３０】
本願の実施形態７では、スクランブリング・シーケンスの初期値は、コードワード識別子及びコードワード・グループ識別子のうちの少なくとも１つに従って決定される。同一のネットワーク・デバイスの異なるビーム／プリコーディング／アンテナ・ポートは、複数のコードワード識別子を端末に割り当てることができ、又は異なるネットワーク・デバイスは、ネットワーク・デバイスを介して端末に複数のコードワード識別子を割り当てることができ、コードワード識別子は、同一のネットワーク・デバイスの異なるビーム／プリコーディング／アンテナ・ポートからのデータ、又は異なるネットワーク・デバイスからのデータをスクランブルすることを実行するために使用されるので、干渉ランダム化を実現することができる。
【０４３１】
実施形態８：フレーム構造パラメータ又はサブキャリア間隔設定に基づいて、スクランブリング・シーケンスの初期値を決定する。
【０４３２】
本願の実施形態では、信号又はチャネルに対するスクランブリング・シーケンスの初期値は、フレーム構造パラメータ又はサブキャリア間隔設定に従って決定されてもよい。
【０４３３】
更に、オプションとして、スクランブリング・シーケンスの初期値は、他の変数を参照して決定されてもよい。これは本願で具体的には限定されない。
【０４３４】
フレーム構造パラメータ又はサブキャリア間隔設定は、スクランブリングに使用される他の設定された識別子であってもよく、本願で具体的には限定されない。
【０４３５】
オプションとして、フレーム構造パラメータ又はサブキャリア間隔設定は、上位レイヤ・シグナリング（例えば、ＲＲＣシグナリング又はＭＡＣシグナリング）又は物理レイヤ・シグナリング（例えば、ＤＣＩ）を使用して通知されてもよいし、黙示的に決定されてもよい。これは本願で具体的には限定されない。
【０４３６】
本願の実施例では、ＰＵＳＣＨデータ・チャネルをスクランブルするために使用されるスクランブリング・シーケンスの初期値を生成するプロセスが、説明のための具体例として依然として使用される。
【０４３７】
例えば、スクランブリング・シーケンスの初期値を決定するための初期化数式は、次式であってもよい：
【数４５】
0006959434.tif 000101
ここで、ｎＲＮＴＩはＲＮＴＩ番号を示し、端末を識別するために使用されることが可能であり、即ち、端末識別子として理解されることが可能であり、ｑはコードワード番号を表し、ｎμｓ，ｆは無線フレーム内のスロット番号を表し、μはサブキャリア間隔設定を示し、パラメータｔ、ｘ、及びｙは正の整数である。
【０４３８】
本願の実施形態における係数パラメータｔ、ｘ、及びｙの値を決定する具体的な方法は、前述の実施形態における係数パラメータを決定するプロセスに類似しており、係数パラメータを決定する前述のプロセスに適用可能であり得る。以下の３つの方法を含むことが可能である：スクランブリング・シーケンスの初期値を決定する数式における係数パラメータの値は、サブキャリア間隔設定パラメータμ及びスロット・フォーマットに従って決定されてもよく；スクランブリング・シーケンスの初期値を決定する数式における係数パラメータの値は、サブキャリア間隔設定パラメータμに従って決定されてもよく；及びスクランブリング・シーケンスの初期値を決定する数式における係数パラメータの値は、最大の時間単位数に従って決定されてもよい。
【０４３９】
オプションとして、初期化数式における前の項の係数パラメータは、変数の値の範囲及び幾つかの後の項の係数パラメータの値に基づいて決定されてもよい。
【０４４０】
具体的には、例えば、ｙの値は、サブキャリア間隔設定パラメータμの値の最大量に従って決定される。例えば、μ∈｛０，１，２，３，４，５｝である場合、μの値の最大量は６であり、指定するために３つのバイナリ・ビットが必要とされ、即ちｙ＝３である。ｎμｓ，ｆが２０個の値を有する場合、ｎμｓ，ｆの２０個の値を示すために５つのバイナリ・ビットが必要とされ、従ってｘ＝５＋３＝８である。
【０４４１】
ＲＭＳＩの場合、先ず、ＳＩ−ＲＮＴＩに従って干渉ランダム化が実行されてもよい。更に、ＮＲで合意されたプロトコルによれば、異なるフレーム構造パラメータが、ＲＭＳＩのために使用されてもよい。異なるフレーム構造パラメータに対する干渉ランダム化を考慮して、スクランブリングは、フレーム構造パラメータ又はサブキャリア間隔設定に従って実行されてもよい。異なるフレーム構造パラメータ設定又はサブキャリア間隔設定における干渉ランダム化が改善されることが可能である。ＲＭＳＩに加えて、実施形態はまた、このソリューションで言及された種々の信号又はチャネルにも適用可能であり、また、言及されていない他の信号又はチャネルにも適用可能である。これは本願で限定されない。
【０４４２】
本願の実施形態においては、他のチャネル又は信号に対するスクランブリング・シーケンスの初期値は同様の方法で決定されてもよく、相違は、使用されるスクランブリング識別子は、チャネルのタイプ又は信号のタイプに応じて決定される必要があるという点においてのみ存在する。次の表５６は、チャネル又は信号のためのスクランブリング・シーケンスの初期値、無線フレーム内のスロット番号、及びスクランブル識別子の間の幾つかの可能な対応関係をリスト化している。
表５６
【表５６】
0006959434.tif 000102
【０４４３】
前述の各実施形態における数式で意味が説明も記載もされていないデータ項目や係数パラメータについては、数式の中で同じ意味を有するデータ項目や係数パラメータの意味に関する説明を参照されたい、ということに留意すべきである。例えば、前述の実施形態における数式で意味が説明されていない係数パラメータｃｑについては、別の数式におけるその意味に関する説明を参照し、ｃｑはＣＢＧ番号を示すと判断されたい。
【０４４４】
また、本願の前述の実施形態における数式におけるコードワード番号を表す係数パラメータｑは、ＣＢＧ番号を表す係数パラメータｃｑに置き換えられてよいことに留意すべきである。
【０４４５】
本願の前述の実施形態の各々において、スクランブル・シーケンスの初期値を決定する種々の実施形態は別々に記載されていることが理解され得る。実際の実装では、スクランブリング・シーケンスの初期値は、各実施形態における方法の１つ又はそれらの組み合わせで決定されることが可能であり、信号は、初期値に従って生成されたスクランブリング・シーケンスを使用することによってスクランブルされ、その結果、実施形態は、５Ｇ  ＮＲにおける種々のサービス・シナリオに適用可能であり、信号スクランブリングのためのランダム化を実現し、パフォーマンスを向上させることが理解され得る。
【０４４６】
更に、本願の前述の実施形態の各々におけるスクランブリング・シーケンスの初期値は、信号をスクランブルするために信号スクランブリング装置によって使用されるスクランブリング・シーケンスを生成するために使用されてもよく、又は信号をデスクランブルするために信号デスクランブリング装置によって使用されるスクランブリング・シーケンスを生成するために使用されてもよいことが理解され得る。また、スクランブリング・シーケンスの初期値を生成する方法は、信号スクランブリング装置又は信号デスクランブリング装置によって実行されてよいことも理解され得る。信号スクランブリング装置は、端末装置又はネットワーク・デバイスであってもよい。信号デスクランブリング装置は、ネットワーク・デバイス又は端末であってもよい。
【０４４７】
本願の実施形態によって提供されるソリューションは、主に、信号スクランブリング装置と信号デスクランブリング装置との間の相互作用の観点から上述されている。前述の機能を実装するために、信号スクランブリング装置及び信号デスクランブリング装置は、機能を実施するための対応するハードウェア構造及び／又はソフトウェア・モジュールを含むことが理解され得る。本願で開示される実施形態に関連して記載された具体例におけるユニット及びアルゴリズムのステップは、本願の実施形態におけるハードウェア又はハードウェアとコンピュータ・ソフトウェアとの組み合わせによって実装されることが可能である。機能がハードウェア又はコンピュータ・ソフトウェアによって駆動されるハードウェアによって実行されるかどうかは、特定のアプリケーション及び技術的ソリューションの設計上の制約に依存する。当業者は、特定のアプリケーションの各々に対して記述された機能を実装するために異なる方法を利用することが可能であるが、その実装は本願の実施形態における技術的ソリューションの範囲を超えるものであると考えるべきではない。
【０４４８】
本願の実施形態において、信号スクランブリング装置及び信号デスクランブリング装置の機能ユニットは、前述の方法例に従って規定されてもよい。例えば、各機能に対応する各機能ユニットが規定されてもよいし、２つ以上の機能が１つの処理ユニットで統合されてもよい。統合ユニットは、ハードウェアの形態で実装されてもよいし、あるいはソフトウェア機能ユニットの形態で実装されてもよい。
【０４４９】
統合ユニットが使用される場合に、図６は本願の実施形態による信号スクランブリング装置の概略的な構成図を示す。図６に示す信号スクランブリング装置１００は、通信装置に適用されてもよく、通信装置は、端末又はネットワーク・デバイスであってもよい。図６を参照すると、信号スクランブリング装置１００は、処理ユニット１０１及び送信ユニット１０２を含むことが可能であり、処理ユニット１０１は、スクランブリング・シーケンスを使用して信号をスクランブルするように構成され、送信ユニット１０２は、スクランブルされた信号を送信するように構成される。
【０４５０】
統合ユニットが使用される場合に、図７は本願の実施形態による信号デスクランブリング装置の概略的な構造図を示す。図７に示す信号デスクランブリング装置２００は、通信装置に適用されてもよく、通信装置は、端末又はネットワーク・デバイスであってもよい。図７を参照すると、信号デスクランブリング装置２００は、受信ユニット２０１及び処理ユニット２０１を含むことが可能であり、受信ユニット２０１は信号を受信するように構成され、処理ユニット２０２は、スクランブリング・シーケンスを使用して信号をデスクランブルするように構成される。
【０４５１】
信号をスクランブルするために処理ユニット１０１により使用されるスクランブリング・シーケンスと、信号をデスクランブルするために処理ユニット２０２により使用されるスクランブリング・シーケンスとは、同じスクランブリング・シーケンスとして理解されてもよい。
【０４５２】
可能な実装において、スクランブリング・シーケンスを生成するために処理ユニット１０１及び処理ユニット２０２により使用されるスクランブリング・シーケンスの初期値は、信号を送信するために使用されるフレーム構造パラメータに対応する時間単位番号に応じて生成されることが可能である。
【０４５３】
フレーム構造パラメータは、サブキャリア間隔設定パラメータ、スロット設定パラメータ、及びＣＰ構造パラメータのうちの少なくとも１つを含む。時間単位番号は、無線フレーム内のスロット番号、無線フレーム内のサブフレーム番号、サブフレーム内のスロット番号、及びスロット内のＯＦＤＭシンボル番号のうちの少なくとも１つを含む。
【０４５４】
可能な具体例において、処理ユニット１０１及び処理ユニット２０２は、無線フレーム内のスロット番号に基づいてスクランブリング・シーケンスの初期値を決定することができる。無線フレーム内のスロット番号は互いに重複しないので、同じスクランブリング・シーケンスの発生は、無線フレーム内のスロット番号に基づいてスクランブリング・シーケンスの初期値を決定することによってある程度回避され、更に、干渉オーバーラップ問題の発生をある程度回避することができる。異なる伝送フレーム構造パラメータ間の干渉はランダム化されることが可能であり、サブフレーム内の異なるスロット間の干渉もまたランダム化されることが可能であり、従って干渉ランダム化が実現される。
【０４５５】
他の可能な具体例において、処理ユニット１０１及び処理ユニット２０２はまた、サブフレーム内のスロット番号及び無線フレーム内のサブフレーム番号に基づいてスクランブリング・シーケンスの初期値を決定し、異なるサブフレーム及びサブフレーム内の異なるスロットのスクランブリング・ランダム化を反映し、干渉ランダム化のパフォーマンスを向上させることができる。
【０４５６】
更に他の可能な具体例において、処理ユニット１０１及び処理ユニット２０２は、更に、無線フレーム内のサブフレーム番号に基づいて、スクランブリング・シーケンスの初期値を決定することができる。
【０４５７】
別の可能な実装において、処理ユニット１０１及び処理ユニット２０２は、スクランブリング識別子に基づいて、スクランブリング・シーケンスの初期値を決定してもよい。
【０４５８】
オプションとして、処理ユニット１０１及び処理ユニット２０２は、スクランブリング識別子、及び信号を送信するために使用されるフレーム構造パラメータに対応する時間単位番号に基づいて、スクランブリング・シーケンスの初期値を決定してもよい。
【０４５９】
スクランブリング識別子は、端末識別子、セル識別子、コード・ブロック・グループ設定パラメータ、フレーム構造パラメータ、帯域幅パート設定パラメータ、ＱＣＬ設定パラメータ、制御チャネル・リソース設定パラメータ、及びコードワード設定パラメータのうちの少なくとも１つを含んでもよい。
【０４６０】
具体的には、処理ユニット１０１及び処理ユニット２０２は、信号が送信されるチャネルのタイプ又は信号のタイプに応じて、スクランブリング・シーケンスの初期値を生成するために使用されるスクランブル識別子を決定することができる。
【０４６１】
可能な具体例において、処理ユニット１０１及び処理ユニット２０２は、信号を送信するために使用されるフレーム構造パラメータに対応する端末識別子及び時間単位番号に基づいて、スクランブリング・シーケンスの初期値を決定することができる。
【０４６２】
他の可能な具体例において、処理ユニット１０１及び処理ユニット２０２は、信号を送信するために使用されるフレーム構造パラメータに対応するコード・ブロック・グループ設定パラメータ及び時間単位番号に基づいて、スクランブリング・シーケンスの初期値を決定することができる。
【０４６３】
更に他の可能な具体例において、処理ユニット１０１及び処理ユニット２０２は、信号を送信するために使用されるフレーム構造パラメータに対応するＱＣＬ設定パラメータ及び時間単位番号に基づいて、スクランブリング・シーケンスの初期値を決定することができる。
【０４６４】
更に他の可能な具体例において、処理ユニット１０１及び処理ユニット２０２は、信号を送信するために使用されるフレーム構造パラメータに対応する帯域幅パート設定パラメータ及び時間単位番号に基づいて、スクランブリング・シーケンスの初期値を決定することができる。
【０４６５】
更に他の可能な具体例において、処理ユニット１０１及び処理ユニット２０２は、信号の送信に使用されるフレーム構造パラメータに対応する制御チャネル・リソース設定パラメータ及び時間単位番号に基づいて、スクランブリング・シーケンスの初期値を決定することができる。
【０４６６】
更に他の可能な具体例において、処理ユニット１０１及び処理ユニット２０２は、信号を送信するために使用されるフレーム構造パラメータに対応するコードワード設定パラメータ及び時間単位番号に基づいて、スクランブリング・シーケンスの初期値を決定することができる。
【０４６７】
更に他の可能な具体例において、処理ユニット１０１及び処理ユニット２０２は、フレーム構造パラメータ又はサブキャリア間隔設定に基づいて、スクランブリング・シーケンスの初期値を決定することができる。
【０４６８】
更に他の可能な実装において、スクランブル・シーケンスの初期値を決定するために処理ユニット１０１及び処理ユニット２０２により使用される初期化数式における前の項の係数パラメータは、変数の値の範囲及び幾つかの後の項の係数パラメータの値に基づいて決定することができる。
【０４６９】
処理ユニット１０１及び処理ユニット２０２は、スクランブリング・シーケンスの初期値を決定するために使用される初期化数式における係数パラメータの値を：サブキャリア間隔設定パラメータμ及びスロット・フォーマットに従って決定すること；サブキャリア間隔設定パラメータμに従って決定すること；及び最大のスロット数に従って決定することのうちの１つ又は組み合わせにより決定することができる。
【０４７０】
本願の実施形態において、信号スクランブリング装置１００及び信号デスクランブリング装置２００によるスクランブリング・シーケンスの初期値を決定するプロセスにおいて、前述の実施形態における決定方法のうちの何れか１つを使用して決定することができることが理解され得る。詳細については、前述の方法の実施形態におけるスクランブリング・シーケンスの初期値を決定する実装プロセスを参照されたい。更に、本願の実施形態によって提供される技術的ソリューションに関する概念、説明、詳細な説明、その他のステップについては、上記方法又はその他の実施形態におけるこれらの内容についての説明を参照されたい。詳細は本願では説明されない。
【０４７１】
前述の信号スクランブリング装置１００及び信号デスクランブリング装置２００における各ユニットの区分は、単なる論理的機能的な区分に過ぎないことが理解され得る。実際の実装では、ユニットは、物理的実体の中に全て又は部分的に統合されてもよいし、あるいは物理的に分離されてもよい。更に、全てのユニットは、処理要素によって起動されるソフトウェアの形態で実装されてもよいし、あるいはハードウェアの形態で実装されてもよいし；あるいは、幾つかのユニットは、処理要素によって起動されるソフトウェアの形態で実装され、幾つかのユニットは、ハードウェアの形態で実装される。例えば、処理ユニットは、別々に配置される処理要素であってもよいし、あるいは通信装置のチップに実装されてもよい。更に、処理ユニットは、プログラムの形態で通信装置のメモリに格納され、通信装置の処理要素によって呼び出され、ユニットの機能を実行してもよい。他のユニットの実装はこれと同様である。更に、ユニットは、全て又は部分的に統合されるか、又は別々に実装されてもよい。ここで、処理要素は、集積回路であってもよいし、信号処理能力を有していてもよい。実装プロセスにおいて、前述の方法のステップ及び前述のユニットは、プロセッサ要素内のハードウェア集積論理回路を使用することによって、又はソフトウェアの形式で命令を使用することによって、実装されることが可能である。更に、受信ユニットは、受信を制御するユニットであり、例えばアンテナや無線周波数装置のような通信装置の受信装置を介して、他の通信装置により送信された情報を受信することができる。送信ユニットは、送信を制御するユニットであり、例えばアンテナ及び無線周波数装置のような通信装置の送信装置を介して、他の通信装置に情報を送信することができる。
【０４７２】
例えば、ユニットは、上記方法を実装するように構成された１つ以上の集積回路、例えば、１つ以上の特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ，ＡＳＩＣ）、１つ以上のマイクロプロセッサ（ｄｉｇｉｔａｌ  ｓｉｇｎａｌ  ｐｒｏｃｅｓｓｏｒ，ＤＳＰ）、又は１つ以上のフィールド・プログラマブル・ゲート・アレイ（Ｆｉｅｌｄ  Ｐｒｏｇｒａｍｍａｂｌｅ  Ｇａｔｅ  Ａｒｒａｙ，ＦＰＧＡ）であってもよい。別の具体例に関し、ユニットの１つが処理要素によって起動されるプログラムの形式で実装される場合、処理要素は、汎用プロセッサ、例えば中央処理ユニット（Ｃｅｎｔｒａｌ  Ｐｒｏｃｅｓｓｉｎｇ  Ｕｎｉｔ，ＣＰＵ）、又はプログラムを起動することができる別のプロセッサであってもよい。別の具体例では、ユニットは、システム・オン・チップ（ｓｙｓｔｅｍ−ｏｎ−ａ−ｃｈｉｐ，ＳＯＣ）の形態で統合され、実装されてもよい。
【０４７３】
図８を参照すると、図８は、本願の実施形態による通信装置の概略的な構造図である。通信装置は、前述の実施形態のネットワーク・デバイスであってもよく、前述の実施形態における信号スクランブリング装置１００又は信号デスクランブリング装置２００の動作を実行するように構成されルことが可能である。図８に示すように、通信装置は、アンテナ１１０、無線周波数装置１２０、及びベースバンド装置１３０を含む。アンテナ１１０は、無線周波数装置１２０に接続される。アップリンク方向では、無線周波数装置１２０は、端末から送信された情報を、アンテナ１１０を介して受信し、端末から送信された情報を、処理のためにベースバンド装置１３０に送信する。ダウンリンク方向では、ベースバンド装置１３０は、端末の情報を処理し、その情報を無線周波数装置１２０に送信し、線周波数装置１２０は、端末の情報を処理し、その情報を、アンテナ１１０を介して端末に送信する。
【０４７４】
ベースバンド装置１３０は、物理的な装置であってもよく、又は、例えばＣＵ及び少なくとも１つのＤＵを含む物理的に分離された少なくとも２つの装置を含んでもよい。ＤＵ及び無線周波数装置１２０は、装置内に統合されていてもよく、又は物理的に分離されていてもよい。ベースバンド装置１３０内で物理的に分離された少なくとも２つの装置に対するプロトコル・レイヤの区分は限定されない。例えば、ベースバンド装置１３０は、ＲＲＣレイヤ、パケット・データ・コンバージェンス・プロトコル（Ｐａｃｋｅｔ  Ｄａｔａ  Ｃｏｎｖｅｒｇｅｎｃｅ  Ｐｒｏｔｏｃｏｌ，ＰＤＣＰ）レイヤ、無線リンク制御（ｒａｄｉｏ  ｌｉｎｋ  ｃｏｎｔｒｏｌ，ＲＬＣ）レイヤ、ＭＡＣ（媒体アクセス制御，Ｍｅｄｉａ  Ａｃｃｅｓｓ  Ｃｏｎｔｒｏｌ）レイヤ、及び物理レイヤのようなプロトコル・レイヤの処理を行うように構成される。ベースバンド装置が、物理的に分離され且つそれぞれ責務のあるプロトコル・レイヤの処理を実行するように構成された２つの装置を含むように、任意の２つのプロトコル・レイヤの間で分割が実行されてもよい。例えば、ＲＲＣとＰＤＣＰとの間で分割が行われる。別の具体例では、ＰＤＣＰとＲＬＣとの間で分割が行われる。更に、分割はプロトコル・レイヤにおいて実行されてもよい。例えば、プロトコル・レイヤの一部及びプロトコル・レイヤより上位のプロトコル・レイヤが装置に割り当てられ、プロトコル・レイヤの残りの部分及びプロトコル・レイヤより下位のプロトコル・レイヤが別の装置に割り当てられる。信号スクランブリング装置１００又は信号デスクランブリング装置２００は、ベースバンド装置１３０内で物理的に分離される少なくとも２つの装置のうちの１つに配置されることが可能である。
【０４７５】
本願の実施形態によって提供される通信装置は、複数のベースバンド・ボードを含んでもよい。必要な機能を実装するために、複数の処理要素がベースバンド・ボード上に統合されてもよい。ベースバンド装置１３０は少なくとも１つのベースバンド・ボードを含むことが可能であり、信号スクランブリング装置１００又は信号デスクランブリング装置２００は、ベースバンド装置１３０内に配置されてもよい。実装では、図６又は図７に示される各ユニットは、処理要素によって呼び出されるプログラムの形式で実装される。例えば、ベースバンド装置１３０は、処理要素１３１及び記憶要素１３２を含む。処理要素１３１は、前述の方法の実施形態においてネットワーク・デバイスによって実行される方法を実行するために、記憶要素１３２に記憶されているプログラムを呼び出す。更に、ベースバンド装置１３０は、無線周波数装置１２０と情報を交換するように構成されたインターフェース１３３を更に含むことが可能である。インターフェースは、例えば、共通の公衆無線インターフェース（ｃｏｍｍｏｎ  ｐｕｂｌｉｃ  ｒａｄｉｏ  ｉｎｔｅｒｆａｃｅ，ＣＰＲＩ）である。ベースバンド装置１３０及び無線周波数装置１２０が物理的に一緒に配置される場合、インターフェースは、イントラ・ボード・インターフェース又はインター・ボード・インターフェースであってもよく、ここでボードは回路基板である。
【０４７６】
別の実装では、図６又は図７に示されるユニットは、ネットワーク・デバイスによって実行される方法を実装するように構成された１つ以上の処理要素であってもよい。１つ以上の処理要素は、ベースバンド装置１３０内に配置される。１つ以上の処理要素は、集積回路／集積回路群、例えば、１つ以上のＡＳＩＣ、１つ以上のＤＳＰ、又は１つ以上のＦＰＧＡであってもよい。集積回路は、チップを形成するように集積化されることが可能である。
【０４７７】
例えば、図６又は図７に示されるユニットは、集積化され、システム・オン・チップ（ｓｙｓｔｅｍ−ｏｎ−ａ−ｃｈｉｐ，ＳＯＣ）の形態で実装されてもよい。例えば、ベースバンド装置１３０は、前述の方法を実行するように構成されたＳＯＣチップを含む。処理要素１３１及び記憶要素１３２は、チップに統合されてもよく、処理要素１３１は、ネットワーク・デバイスによって実行される前述の方法を実行するために、記憶要素１３２に記憶されたプログラムを呼び出す。あるいは、少なくとも１つの集積回路は、チップ内に集積され、ネットワーク・デバイスによって実行される前述の方法を実行するように構成されることが可能である。あるいは、前述の実装に関連して、幾つかのユニットの機能は、処理要素によって呼び出されるプログラムの形態で実装され、幾つかのユニットの機能は集積回路の形態で実装される。
【０４７８】
何れの方法を使用しても、結論として、ネットワーク・デバイス等の通信装置に使用される信号スクランブリング装置１００又は信号デスクランブリング装置２００は、少なくとも１つの処理要素及び記憶要素を含み、少なくとも１つの処理要素は、前述の方法の実施形態によって提供される信号スクランブリング又はデスクランブリング方法を実行するように構成される。処理要素は、第１方法において、即ち記憶要素に記憶されたプログラムを実行する方法において、前述の方法の実施形態における信号スクランブリング装置１００又は信号デスクランブリング装置２００によって実行される全部又は一部のステップを実行することができ；あるいは第２方法において、即ち処理要素内のハードウェア集積論理回路と命令との結合の方式において、前述の方法の実施形態における信号スクランブリング装置１００又は信号デスクランブリング装置２００によって実行される全部又は一部のステップを実行することができ；及び第１方法及び第２方法は、前述の方法の実施形態におけるネットワーク・デバイスによって実行される全部又は一部のステップを実行するように結合されることが可能である。
【０４７９】
上述したように、本願では処理要素は、汎用プロセッサ、例えば中央処理装置（Ｃｅｎｔｒａｌ  Ｐｒｏｃｅｓｓｉｎｇ  Ｕｎｉｔ，ＣＰＵ）であってもよく、又は、前述の方法を実行するように構成された１つ以上の集積回路、例えば１つ以上の特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ，ＡＳＩＣ）、又は１つ以上のマイクロプロセッサ（ｄｉｇｉｔａｌ  ｓｉｇｎａｌ  ｐｒｏｃｅｓｓｏｒ，ＤＳＰ）、又は１つ以上のフィールド・プログラマブル・ゲート・アレイ（Ｆｉｅｌｄ  Ｐｒｏｇｒａｍｍａｂｌｅ  Ｇａｔｅ  Ａｒｒａｙ，ＦＰＧＡ）であってもよい。
【０４８０】
記憶要素は、メモリであってもよいし、複数の記憶要素の集合名であってもよい。
【０４８１】
図９を参照すると、図９は本願の実施形態による通信装置の概略的な構造図である。通信装置は、前述の実施形態における端末であってもよく、前述の実施形態における信号スクランブリング装置１００又は信号デスクランブリング装置２００の動作を実行するように構成されることが可能である。図９に示すように、通信装置は、アンテナ２１０、無線周波数装置２２０、及びベースバンド装置２３０を含む。アンテナ２１０は、無線周波数装置２２０に接続される。ダウンリンク方向では、無線周波数装置２２０は、ネットワーク・デバイスによって送信された情報をアンテナ２１０を介して受信し、ネットワーク・デバイスによって送信された情報を、処理のためにベースバンド装置２３０へ送信する。アップリンク方向では、ベースバンド装置２３０は、端末の情報を処理し、その情報を無線周波数装置２２０へ送信し、無線周波数装置２２０は、端末の情報を処理し、アンテナ２１０を介してネットワーク・デバイスへ情報を送信する。
【０４８２】
ベースバンド装置２３０は、各通信プロトコル・レイヤでデータ処理を実行するように構成された変調／復調サブシステムを含んでもよい。ベースバンド装置２３０は更に、端末のオペレーティング・システム及びアプリケーション・レイヤの処理を実行するように構成された中央処理サブシステムを含んでもよい。更に、ベースバンド装置２３０は、他のサブシステム、例えばマルチメディア・サブシステム及びペリフェラル・サブシステムを更に含むことが可能であり、マルチメディア・サブシステムは、端末カメラ、スクリーン・ディスプレイ等で制御を実行するように構成され、ペリフェラル・サブシステムは、他の装置への接続を実施するように構成される。変調／復調サブシステムは、別個に配置されたチップであってもよい。オプションとして、信号スクランブリング装置１００又は信号デスクランブリング装置２００は、変調／復調サブシステム内に実装されてもよい。
【０４８３】
実装において、図６又は図７に示す各ユニットは、処理要素によって呼び出されるプログラムの形式で実装される。例えば、変調／復調サブシステムのようなベースバンド装置２３０のサブシステムは、処理要素２３１及び記憶要素２３２を含み、処理要素２３１は、記憶要素２３２に記憶されたプログラムを呼び出して、前述の方法の実施形態において端末によって実行される方法を実行する。更に、ベースバンド装置２３０は、無線周波数装置２２０と情報を交換するように構成されたインターフェース２３３を更に含むことが可能である。
【０４８４】
別の実装では、図６又は図７に示されるユニットは、端末によって実行される方法を実装するように構成された１つ以上の処理要素であってもよい。１つ以上の処理要素は、変調／復調サブシステム等のベースバンド装置２３０のサブシステム内に配置される。ここで、１つ以上の処理要素は、集積回路／集積回路、例えば、１つ以上のＡＳＩＣ、１つ以上のＤＳＰ、又は１つ以上のＦＰＧＡであってもよい。集積回路は、チップを形成するように集積化されることが可能である。
【０４８５】
例えば、図６又は図７に示されるユニットは、集積化され、システム・オン・チップ（ｓｙｓｔｅｍ−ｏｎ−ａ−ｃｈｉｐ，ＳＯＣ）の形態で実装されてもよい。例えば、ベースバンド装置１３０は、前述の方法を実行するように構成されたＳＯＣチップを含む。処理要素２３１及び記憶要素２３２は、チップに統合されてもよく、処理要素２３１は、端末によって実行される前述の方法を実行するために、記憶要素２３２に記憶されたプログラムを呼び出す。あるいは、少なくとも１つの集積回路は、チップ内に集積され、端末によって実行される前述の方法を実行するように構成されることが可能である。あるいは、前述の実装に関連して、幾つかのユニットの機能は、処理要素によって呼び出されるプログラムの形態で実装され、幾つかのユニットの機能は集積回路の形態で実装される。
【０４８６】
何れの方法を使用しても、結論として、端末などの通信装置に使用される信号スクランブリング装置１００又は信号デスクランブリング装置２００は、少なくとも１つの処理要素及び記憶要素を含み、少なくとも１つの処理要素は、前述の方法の実施形態における端末によって実行される方法を実行するように構成される。処理要素は、第１方法において、即ち記憶要素に記憶されたプログラムを実行する方法において、前述の方法の実施形態における端末により実行される全部又は一部のステップを実行することができ；あるいは第２方法において、即ち処理要素内のハードウェア集積論理回路と命令との結合の方式において、前述の方法の実施形態における端末より実行される全部又は一部のステップを実行することができ；及び第１方法及び第２方法は、前述の方法の実施形態における端末によって実行される全部又は一部のステップを実行するように結合されることが可能である。
【０４８７】
上述したように、本願では処理要素は、汎用プロセッサ、例えば中央処理装置（Ｃｅｎｔｒａｌ  Ｐｒｏｃｅｓｓｉｎｇ  Ｕｎｉｔ，ＣＰＵ）であってもよく、又は、前述の方法を実行するように構成された１つ以上の集積回路、例えば１つ以上の特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ，ＡＳＩＣ）、又は１つ以上のマイクロプロセッサ（ｄｉｇｉｔａｌ  ｓｉｇｎａｌ  ｐｒｏｃｅｓｓｏｒ，ＤＳＰ）、又は１つ以上のフィールド・プログラマブル・ゲート・アレイ（Ｆｉｅｌｄ  Ｐｒｏｇｒａｍｍａｂｌｅ  Ｇａｔｅ  Ａｒｒａｙ，ＦＰＧＡ）であってもよい。
【０４８８】
記憶要素は、メモリであってもよいし、複数の記憶要素の集合名であってもよい。
【０４８９】
本願の実施形態によって提供される方法によれば、本願の実施形態は、通信システムを更に提供し、通信システムは、前述の信号スクランブリング装置及び信号デスクランブリング装置を含む。
【０４９０】
本願の実施形態は、更に、通信装置に適用される信号スクランブリング装置を提供し、通信装置は、ネットワーク・デバイス又は端末であり、前述の実施形態において方法を実行するように構成された少なくとも１つの処理要素（又は少なくとも１つのチップ）を含む。
【０４９１】
本願の実施形態は、更に、通信装置に適用される信号デスクランブリング装置を提供し、通信装置は、ネットワーク・デバイス又は端末であり、前述の実施形態において方法を実行するように構成された少なくとも１つの処理要素（又は少なくとも１つのチップ）を含む。
【０４９２】
本願は信号スクランブリング・プログラムを提供し、プログラムは、プロセッサによって実行されると、前述の実施形態における方法を実行するように構成されている。
【０４９３】
本願は信号デスクランブリング・プログラムを提供し、プログラムは、プロセッサによって実行されると、前述の実施形態における方法を実行するように構成されている。
【０４９４】
本願は、前述の信号スクランブリング・プログラム又は信号デスクランブリング・プログラムを含むプログラム・プロダクト、例えばコンピュータ読み取り可能な記憶媒体を更に提供する。
【０４９５】
当業者は、本願の実施形態が、方法、システム、又はコンピュータ・プログラム・プロダクトとして提供され得ることを理解するであろう。従って、本願の実施形態は、ハードウェアのみの実施形態、ソフトウェアのみの実施形態、又はソフトウェア及びハードウェアの組み合わせを伴う実施形態という形態を使用することができる。更に、本願の実施形態は、コンピュータで使用可能なプログラム・コードを含む１つ以上のコンピュータ使用可能な記憶媒体（ディスク・メモリ、ＣＤ−ＲＯＭ、光メモリ等を含むが、これらに限定されない）において実装されるコンピュータ・プログラム・プロダクトの形態を使用することができる。
【０４９６】
本願の実施形態は、本願の実施形態による方法、デバイス（システム）及びコンピュータ・プログラム・プロダクトのフローチャート及び／又はブロック図に関連して説明される。コンピュータ・プログラム命令は、フローチャート及び／又はブロック図の各プロセス及び／又は各ブロック、及びフローチャート及び／又はブロック図のプロセス及び／又はブロックの組み合わせを実行するために使用され得ることが理解されるべきである。これらのコンピュータ・プログラム命令は、汎用コンピュータ、専用コンピュータ、埋め込みプロセッサ、又はマシンを生成するようにプログラム可能な任意の他のデータ処理装置のプロセッサに提供されることが可能であり、その結果、コンピュータ又は任意の他のプログラマブル・データ処理装置のプロセッサで実行される命令は、フローチャート内の１つ以上のプロセス及び／又はブロック図内の１つ以上のブロックにおける特定の機能を実現するための装置を生成する。
【０４９７】
これらのコンピュータ・プログラム命令は、コンピュータ又は他の任意のプログラマブル・データ処理装置に特定の方法で動作するように命令することが可能なコンピュータ読取可能メモリに記憶されてもよく、その結果、コンピュータ読取可能メモリに記憶された命令は、命令装置を含むアーチファクトを生成する。命令装置は、フローチャート内の１つ以上のプロセス及び／又はブロック図内の１つ以上のブロックにおける特定の機能を実行する。
【０４９８】
これらのコンピュータ・プログラム命令は、コンピュータ又は他のプログラマブル・データ処理装置にロードされることが可能であり、その結果、一連の動作及びステップが、コンピュータ又は他のプログラマブル装置において実行され、それにより、コンピュータ実装処理を生成する。従って、コンピュータ又は別のプログラマブル装置で実行される命令は、フローチャートの１つ以上のプロセス及び／又はブロック図の１つ以上のブロックにおける特定の機能を実現するためのステップを提供する。
【図１】
0006959434.tif 000103
【図２】
0006959434.tif 000104
【図３Ａ】
0006959434.tif 000105
【図３Ｂ】
0006959434.tif 000106
【図４】
0006959434.tif 000107
【図５】
0006959434.tif 000108
【図６】
0006959434.tif 000109
【図７】
0006959434.tif 000110
【図８】
0006959434.tif 000111
【図９】
0006959434.tif 000112